(57)【要約】【課題】トレーニング用サポーターにおいて、意識しなくても着用するだけで肛門が引き締められて正しい姿勢をとることができ、着用してトレーニングするだけで効果的なトレーニングができて美しいプロポーションが得られること。【解決手段】トレーニング用サポーター１を着用することによって、伸縮性を有する生地からなる股部３の分岐部分３ａ，３ｂには伸縮性による引っ張り力が着用者の肛門の位置ＨＣＰにかかり、着用者の肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができ、ウォーキング、ジョギング、エアロビクス、ヨガ、等のトレーニングをすることによって、筋肉に刺激が与えられ大臀筋・中臀筋が鍛えられて美しいプロポーションを得ることができる。【選択図】図１
2007247124.tif 000002
【特許請求の範囲】
【請求項１】
着用者の股下に当接する股部を有し伸縮性を有する生地からなるサポーター本体の前記股部が前記股下の背面側に分岐部分を有するトレーニング用サポーターであって、
前記サポーター本体の背面部に前記股部の分岐部分の先端及び／または先端の周囲の部分が前記股部の分岐部分の内側においては前記股部の分岐部分の分岐点から所定長さの位置まで、前記股部の分岐部分の外側においては前記股部の分岐部分の内側の前記位置にほぼ対応する位置まで縫付けられ、
前記トレーニング用サポーターを着用したときに前記着用者の肛門位置が前記股部の分岐部分の間の前記分岐点の近傍または前記股部の下の前記分岐点の近傍に位置するとともに、前記股部の分岐部分の内側及び外側の縫い止まり点が前記着用者の肛門位置よりも上方に位置するように縫付けられていることを特徴とするトレーニング用サポーター。
【請求項２】
前記サポーター本体の前面両脇部分から背面部にかけて開口部を設けて、該開口部を前記サポーター本体の裏側から通風性の良い通風生地で塞いだことを特徴とする請求項１に記載のトレーニング用サポーター。
【請求項３】
前記サポーター本体の前記股部の前面中央に前面開口部を設けたことを特徴とする請求項１または請求項２に記載のトレーニング用サポーター。
【請求項４】
前記サポーター本体が前記開口部の下からほぼそのままの幅で伸びて１対のクロス部分となり、前記サポーター本体の後中心で交差して前記サポーター本体の前面部分まで伸びて前記サポーター本体の前中心まで到達して前記サポーター本体の前中心に縫付けられ、または前記サポーター本体の前中心と両脇の中間まで到達して前記サポーター本体の前面部分に縫付けられ、または前記サポーター本体の両脇まで到達して前記サポーター本体の両脇に縫付けられていることを特徴とする請求項２または請求項３に記載のトレーニング用サポーター。
【請求項５】
前記１対のクロス部分の前記サポーター本体の後中心の交差部分において、前記１対のクロス部分の一方にループの両端が縫付けられ、前記１対のクロス部分の他方は前記ループの中を潜っていることを特徴とする請求項４に記載のトレーニング用サポーター。
【請求項６】
着用者の股下に当接する股部を有しない伸縮性を有する生地からなるサポーター本体と、１対の分岐部分を有する略Ｙ字形の伸縮性を有する生地からなる羽根部材とを具備するトレーニング用サポーターであって、
前記サポーター本体の裏側または表側の前部に前記羽根部材の分岐していない側の端が縫付けられ、前記サポーター本体の裏側または表側の臀部に前記羽根部材の前記１対の分岐部分の先端及びその周囲の部分が前記１対の分岐部分の内側においては前記１対の分岐部分の分岐点から所定長さの位置まで、前記１対の分岐部分の外側においては前記１対の分岐部分の内側の前記位置にほぼ対応する位置まで縫付けられることによって前記股部が形成され、
前記羽根部材は前記トレーニング用サポーターを着用したときに前記着用者の肛門位置が前記１対の分岐部分の間の前記分岐点の近傍または前記羽根部材の下の前記分岐点の近傍に位置するとともに、前記１対の分岐部分の内側及び外側の縫い止まり点が前記着用者の肛門位置よりも上方に位置するように縫付けられていることを特徴とするトレーニング用サポーター。
【請求項７】
着用者の股下に当接する股部を有しない伸縮性を有する生地からなるサポーター本体と、１対の分岐部分と１対の前部分岐部分とを有する略Ｘ字形の伸縮性を有する生地からなる羽根部材とを具備するトレーニング用サポーターであって、
前記サポーター本体の裏側または表側の前部に前記羽根部材の前記１対の前部分岐部分が縫付けられ、前記サポーター本体の裏側または表側の臀部に前記羽根部材の前記１対の分岐部分の先端及びその周囲の部分が前記１対の分岐部分の内側においては前記１対の分岐部分の分岐点から所定長さの位置まで、前記１対の分岐部分の外側においては前記１対の分岐部分の内側の前記位置にほぼ対応する位置まで縫付けられることによって前記股部が形成され、
前記羽根部材は前記トレーニング用サポーターを着用したときに前記着用者の肛門位置が前記１対の分岐部分の間の前記分岐点の近傍または前記羽根部材の下の前記分岐点の近傍に位置するとともに、前記１対の分岐部分の内側及び外側の縫い止まり点が前記着用者の肛門位置よりも上方に位置するように縫付けられていることを特徴とするトレーニング用サポーター。
【請求項８】
前記羽根部材の前記分岐していない側または前記１対の前部分岐部分が前記サポーター本体の裏側または表側の前部に縫付けられておらず、前記羽根部材の前記分岐していない側または前記１対の前部分岐部分と前記サポーター本体の裏側または表側の前部とは、前記羽根部材の前記分岐していない側または前記１対の前部分岐部分と、前記サポーター本体の裏側または表側の前部に取付けられた複数の接続位置を選択できる１組または２組の調節機能付き接続具によって接続されることを特徴とする請求項６または請求項７に記載のトレーニング用サポーター。
【請求項９】
伸縮性を有する生地からなるスパッツ本体と、１対の分岐部分を有する略Ｙ字形の伸縮性を有する生地からなる羽根部材とを具備するトレーニング用スパッツであって、
前記スパッツ本体の裏側の前部に前記羽根部材の分岐していない側の端が縫付けられ、前記スパッツ本体の裏側の臀部に前記羽根部材の前記１対の分岐部分の先端及びその周囲の部分が前記１対の分岐部分の内側においては前記１対の分岐部分の分岐点から所定長さの位置まで、前記１対の分岐部分の外側においては前記１対の分岐部分の内側の前記位置にほぼ対応する位置まで縫付けられ、
前記羽根部材は前記トレーニング用スパッツを着用したときに前記着用者の肛門位置が前記１対の分岐部分の間の前記分岐点の近傍または前記羽根部材の下の前記分岐点の近傍に位置するとともに、前記１対の分岐部分の内側及び外側の縫い止まり点が前記着用者の肛門位置よりも上方に位置するように縫付けられていることを特徴とするトレーニング用スパッツ。
【請求項１０】
伸縮性を有する生地からなるスパッツ本体と、１対の分岐部分と１対の前部分岐部分とを有する略Ｘ字形の伸縮性を有する生地からなる羽根部材とを具備するトレーニング用スパッツであって、
前記スパッツ本体の裏側の前部に前記羽根部材の前記１対の前部分岐部分が縫付けられ、前記スパッツ本体の裏側の臀部に前記羽根部材の前記１対の分岐部分の先端及びその周囲の部分が前記１対の分岐部分の内側においては前記１対の分岐部分の分岐点から所定長さの位置まで、前記１対の分岐部分の外側においては前記１対の分岐部分の内側の前記位置にほぼ対応する位置まで縫付けられ、
前記羽根部材は前記トレーニング用スパッツを着用したときに前記着用者の肛門位置が前記１対の分岐部分の間の前記分岐点の近傍または前記羽根部材の下の前記分岐点の近傍に位置するとともに、前記１対の分岐部分の内側及び外側の縫い止まり点が前記着用者の肛門位置よりも上方に位置するように縫付けられていることを特徴とするトレーニング用スパッツ。
【請求項１１】
伸縮性を有する生地からなる水着本体と、１対の分岐部分を有する略Ｙ字形の伸縮性を有する生地からなる羽根部材とを具備するトレーニング用水着であって、
前記水着本体の股部の裏側の前部に前記羽根部材の分岐していない側の端が縫付けられ、前記水着本体の股部の裏側の臀部に前記羽根部材の前記１対の分岐部分の先端及びその周囲の部分が前記１対の分岐部分の内側においては前記１対の分岐部分の分岐点から所定長さの位置まで、前記１対の分岐部分の外側においては前記１対の分岐部分の内側の前記位置にほぼ対応する位置まで縫付けられ、
前記羽根部材は前記トレーニング用水着を着用したときに前記着用者の肛門位置が前記１対の分岐部分の間の前記分岐点の近傍または前記羽根部材の下の前記分岐点の近傍に位置するとともに、前記１対の分岐部分の内側及び外側の縫い止まり点が前記着用者の肛門位置よりも上方に位置するように縫付けられていることを特徴とするトレーニング用水着。
【請求項１２】
伸縮性を有する生地からなる水着本体と、１対の分岐部分と１対の前部分岐部分とを有する略Ｘ字形の伸縮性を有する生地からなる羽根部材とを具備するトレーニング用水着であって、
前記水着本体の股部の裏側の前部に前記羽根部材の前記１対の前部分岐部分が縫付けられ、前記水着本体の股部の裏側の臀部に前記羽根部材の前記１対の分岐部分の先端及びその周囲の部分が前記１対の分岐部分の内側においては前記１対の分岐部分の分岐点から所定長さの位置まで、前記１対の分岐部分の外側においては前記１対の分岐部分の内側の前記位置にほぼ対応する位置まで縫付けられ、
前記羽根部材は前記トレーニング用水着を着用したときに前記着用者の肛門位置が前記１対の分岐部分の間の前記分岐点の近傍または前記羽根部材の下の前記分岐点の近傍に位置するとともに、前記１対の分岐部分の内側及び外側の縫い止まり点が前記着用者の肛門位置よりも上方に位置するように縫付けられていることを特徴とするトレーニング用水着。
【請求項１３】
前記羽根部材の前記分岐していない側の先端または前記１対の前部分岐部分の先端が前記スパッツ本体または前記水着本体の裏側の前部のウエスト回り上端またはその近傍に縫付けられていることを特徴とする請求項９乃至請求項１２のいずれか１つに記載のトレーニング用スパッツまたはトレーニング用水着。
【請求項１４】
前記羽根部材は前記スパッツ本体または前記水着本体の前記股部の裏側に取付けられた股下当て布と前記スパッツ本体または前記水着本体の前記股部との間を潜って取付けられていることを特徴とする請求項９乃至請求項１３のいずれか１つに記載のトレーニング用スパッツまたはトレーニング用水着。
【請求項１５】
前記羽根部材には１対または複数対の枝部分が設けられており、前記羽根部材が前記スパッツ本体または前記水着本体の前記股部の裏側に取付けられた前記股下当て布と前記羽根部材が前記スパッツ本体または前記水着本体の前記股部との間を潜って取付けられる際に前記枝部分が前記股下当て布の内部において前記羽根部材が前記スパッツ本体または前記水着本体の前記股部の裏側及び／または前記股下当て布に縫付けられていることを特徴とする請求項１４に記載のトレーニング用スパッツまたはトレーニング用水着。
【請求項１６】
前記羽根部材は前記１対の分岐部分と前記分岐点を含む根元部分のみからなる伸縮性を有する生地からなる後部羽根部材であって、前記後部羽根部材は前記根元部分が前記スパッツ本体または前記水着本体の前記股部の裏側に取付けられた伸縮性を有する生地からなる股下当て布の後部の端に縫付けられていることを特徴とする請求項９乃至請求項１３のいずれか１つに記載のトレーニング用スパッツまたはトレーニング用水着。
【請求項１７】
前記後部羽根部材とともに前記羽根部材の分岐していない側または前記１対の前部分岐部分のみからなる伸縮性を有する生地からなる前部羽根部材を有し、前記前部羽根部材の前記分岐していない側の先端または前記１対の前部分岐部分の先端は前記スパッツ本体または前記水着本体の裏側の前部に縫付けられており、前記前部羽根部材の反対側の端は前記股下当て布の前部の端に縫付けられていることを特徴とする請求項１６に記載のトレーニング用スパッツまたはトレーニング用水着。
【請求項１８】
前記羽根部材についての前記所定長さは３ｃｍから１０ｃｍの範囲内であり、前記着用者の肛門位置が当接する位置が前記１対の分岐部分の間にある場合の当該位置から前記分岐点までの距離は０．５ｃｍから３．０ｃｍの範囲内であることを特徴とする請求項６乃至請求項１７のいずれか１つに記載のトレーニング用サポーター、トレーニング用スパッツまたはトレーニング用水着。
【請求項１９】
前記羽根部材の前記１対の分岐部分が、前記着用者の肛門位置が引き締められたときに前記着用者の臀部に生ずる左右１対の笑窪様の小さい窪みを覆う大きさであることを特徴とする請求項６乃至請求項１８のいずれか１つに記載のトレーニング用サポーター、トレーニング用スパッツまたはトレーニング用水着。
【請求項２０】
前記羽根部材の前記１対の分岐部分の一方若しくは両方及び／または前記１対の前部分岐部分の一方若しくは両方がさらに二つ以上に分岐していることを特徴とする請求項６乃至請求項１９のいずれか１つに記載のトレーニング用サポーター、トレーニング用スパッツまたはトレーニング用水着。
【請求項２１】
前記羽根部材の前記１対の分岐部分の先端及び／または前記１対の前部分岐部分の先端が丸みのある形状となっていることを特徴とする請求項６乃至請求項２０のいずれか１つに記載のトレーニング用サポーター、トレーニング用スパッツまたはトレーニング用水着。
【請求項２２】
前記伸縮性を有する生地はパワーネット、サテンネット（ストレッチサテン）、ストレッチレースのいずれかであることを特徴とする請求項１乃至請求項２１のいずれか１つに記載のトレーニング用サポーター、トレーニング用スパッツまたはトレーニング用水着。
【発明の詳細な説明】
【技術分野】
【０００１】
本発明は、単独で、またはズボン（パンツ）、スカート等の衣服の下に着用するだけで臀部の弛みを引き締めて、背筋を伸ばし下腹を引き締めた正しい姿勢に補整するとともに、着用して運動するだけで下腹を引き締めて臀部を締め背筋を伸ばした効果的なトレーニングをすることができるトレーニング用サポーター、トレーニング用スパッツ及びトレーニング用水着に関するものである。
【背景技術】
【０００２】
現代人は、座るときも立つときも歩くときも姿勢が悪い人が多く、このような悪い姿勢を続けることによって健康にも害を及ぼすだけでなく、特に女性にとっては重要な美しいプロポーションをも維持できないという大きな問題を生じている。美しいプロポーション作りの基本は、正しい座り方・正しい立ち方・正しい歩き方の三点であり、即ち常に正しい姿勢を取ることが極めて重要である。
【０００３】
従来、衣服の下に着用するガードル等の衣類において、体形補整機能または筋肉サポート機能を付与するため、ガードル等の衣類本体生地をジャガード編みからなる生地で構成し、緊迫力の強弱の要求に応じて編み組織を切り替えて、組織の変化によって所定部分に比較的緊迫力の強い部分と緊迫力の弱い部分をパターン状に形成する技術が知られている（特許文献１）。これによって、ガードル等の衣類に急激な段差を生ずることなく、体形補整機能または筋肉サポート機能を付与することができるとしている。
【０００４】
さらに、特許文献２に開示された発明においては、ガードル等の衣類において腹部布と左右身頃布がそれぞれジャガード編みからなる生地で構成され、腹部布における比較的緊迫力の強い部分と左右身頃布における比較的緊迫力の強い部分とが少なくとも一部において連結する構成としている。これによって、着用者の腹部にかかる緊迫力と腹部以外のヒップ等にかかる緊迫力とを連動させることで、相乗的に体形補整機能を向上させることができるとしている。
【０００５】
しかし、これらの発明においては、美しいプロポーション作りの基本である正しい姿勢を維持するという視点が欠けており、本質的に優れた体形補整機能を得ることは困難である。そこで、本質的に優れた体形補整機能を得るためには、正しい姿勢を維持する努力をすることが必要となる。
【０００６】
例えば、非特許文献１の１９４頁〜１９５頁に、日常生活の中で歩くということは、まず正しい立ち方ができなければ正しく歩くことはできない。それには、股間で物を挟むような筋肉の使い方をすればよい。そのためには、肛門位置を軽く上に引き上げる感じにすれば骨盤を安定させる力が強くなり、しかもお尻の筋肉に余計な緊張を生まないで正しい立ち方ができるようになる、と記載されているように、肛門位置を引き締めて肛門位置を軽く上に引き上げるように立つことによって、正しい姿勢で立ち、正しい姿勢で歩くことができる。
【０００７】
また、非特許文献２の２３頁の「椅子に座る」の項に「肛門をキュッと締め、座骨を中央に寄せて座りましょう。これなら背筋が伸びるうえにひざも閉じて、座り姿が見違えます。」と記載され、同じ頁の「立ち上がり方はこうする」の項に「いったん片足を手前に引き寄せ、肛門を締めたまま垂直に体を引き上げて。これなら背骨のゆがみを避けられるうえに、おなかと太ももに力がかかり、ひき締め効果が望めます。」と記載されているように、肛門を引き締めることによって、正しい姿勢で座り、正しい姿勢で立ち上がることができることが分かる。
【０００８】
さらに、非特許文献３の６５頁〜６８頁に、「そこでお勧めしたいのが、私の考案した「饗庭式ウォーキング」です。最大の特徴は、歩幅を広くして足の裏全体で着地し、後ろにしっかり蹴るという点です。・・・・・・「饗庭式ウォーキング」には、さらにもうひとつ「一直線上を歩く」という特徴があります。「ヒップアップ」の項で少し触れましたが、一直線上を歩くと、正面を向いている上半身と左右にねじれる下半身のひねりによって、重要な効果が生まれます。お尻の上部にある筋肉に負荷がかかり、ウエストがねじられることによって引き締められるからです。「饗庭式ウォーキング」は、広い歩幅によって大臀筋が引き締まり、一直線上を歩くことでお尻の上部の中臀筋を鍛えるという二重のヒップアップ効果をもたらしてくれるのです。」と記載されているように、ウォーキングの際に広い歩幅で一直線上を歩くことによって、大臀筋が引き締まり、中臀筋が鍛えられるという効果が得られることが分かる。
【特許文献１】特許第３０２３３６５号公報
【特許文献２】特開２００４−３３９６２３号公報
【非特許文献１】「ＰＨＰ文庫・１週間で脚が細くなる本」著者・山田陽子、発行所・ＰＨＰ研究所、出版年月日・平成１５年８月１８日
【非特許文献２】「その日のうちに見違える・即効！骨盤スリミング」著者・立花みどり、発行所・株式会社日本文芸社、出版年月日・平成１４年１０月２５日
【非特許文献３】「クビレ美人になる「１分間ＢＭストレッチ」ダイエット」著者・饗庭秀直、発行所・株式会社講談社、出版年月日・平成１４年７月１５日
【発明の開示】
【発明が解決しようとする課題】
【０００９】
しかしながら、上記非特許文献１及び非特許文献２に記載されるように常に肛門を引き締めることを意識して生活するのはかなり困難であり、また肛門を引き締めることに意識を集中すると強迫観念がストレスを生み、そのストレスが体を硬くしてしまって却って緊張から正しい姿勢が取りづらくなるという問題点があった。また、上記非特許文献３に記載されるようにウォーキングの際に広い歩幅で一直線上を歩くことを意識して歩くことも困難である。さらに、近年は、女性のみでなく男性にも美しいプロポーションを得るために種々のトレーニングを行う人が増加し、より効果的にトレーニングをしたいという要求が男女を問わず強くなる傾向にある。
【００１０】
そこで、本発明は、意識しなくても単独で、またはズボン・パンツやスカート等の衣服の下やトレーニングウェアの上に着用するだけで、肛門が引き締められて正しい姿勢をとることができ、さらに着用してトレーニングをするだけで筋肉に刺激を与え大臀筋・中臀筋が鍛えられて効果的にトレーニングをすることができ、美しいプロポーションを得ることができるトレーニング用サポーター、トレーニング用スパッツ及びトレーニング用水着の提供を課題とするものである。
【課題を解決するための手段】
【００１１】
請求項１の発明にかかるトレーニング用サポーターは、着用者の股下に当接する股部を有し伸縮性を有する生地からなるサポーター本体の前記股部が前記股下の背面側に分岐部分を有するトレーニング用サポーターであって、前記サポーター本体の背面部に前記股部の分岐部分の先端及び／または先端の周囲の部分が前記股部の分岐部分の内側においては前記股部の分岐部分の分岐点から所定長さの位置まで、前記股部の分岐部分の外側においては前記股部の分岐部分の内側の前記位置にほぼ対応する位置まで縫付けられ、前記トレーニング用サポーターを着用したときに前記着用者の肛門が前記股部の分岐部分の間の前記分岐点の近傍または前記股部の下の前記分岐点の近傍に位置するとともに、前記股部の分岐部分の内側及び外側の縫い止まり点が前記着用者の肛門よりも上方に位置するように縫付けられているものである。
【００１２】
ここで、「伸縮性を有する生地」としては、例えば、トリコット、ニット生地、ポリエステル等にポリウレタンが１％から３０％混入されたポリウレタン混合生地、スパンレックス、パワーネット、サテンネット（ストレッチサテン）、ストレッチレース、等がある。
【００１３】
請求項２の発明にかかるトレーニング用サポーターは、請求項１の構成において、前記サポーター本体の前面両脇部分から背面部にかけて開口部を設けて、該開口部を前記サポーター本体の裏側から通風性の良い通風生地で塞いだものである。
【００１４】
請求項３の発明にかかるトレーニング用サポーターは、請求項１または請求項２の構成において、前記サポーター本体の前記股部の前面中央に前面開口部を設けたものである。
【００１５】
請求項４の発明にかかるトレーニング用サポーターは、請求項２または請求項３の構成において、前記サポーター本体が前記開口部の下からほぼそのままの幅で伸びて１対のクロス部分となり、前記サポーター本体の後中心で交差して前記サポーター本体の両脇から前面部分まで伸びて前記サポーター本体の前中心まで到達して前記サポーター本体の前中心に縫付けられ、または前記サポーター本体の前中心と両脇の中間まで到達して前記サポーター本体の前面部分に縫付けられ、または前記サポーター本体の両脇まで到達して前記サポーター本体の両脇に縫付けられているものである。
【００１６】
請求項５の発明にかかるトレーニング用サポーターは、請求項４の構成において、前記１対のクロス部分の前記サポーター本体の後中心の交差部分において、前記１対のクロス部分の一方にループの両端が縫付けられ、前記１対のクロス部分の他方は前記ループの中を潜っているものである。
【００１７】
請求項６の発明にかかるトレーニング用サポーターは、着用者の股下に当接する股部を有しない伸縮性を有する生地からなるサポーター本体と、１対の分岐部分を有する略Ｙ字形の伸縮性を有する生地からなる羽根部材とを具備するトレーニング用サポーターであって、前記サポーター本体の裏側または表側の前部に前記羽根部材の分岐していない側の端が縫付けられ、前記サポーター本体の裏側または表側の臀部に前記羽根部材の前記１対の分岐部分の先端及びその周囲の部分が前記１対の分岐部分の内側においては前記１対の分岐部分の分岐点から所定長さの位置まで、前記１対の分岐部分の外側においては前記１対の分岐部分の内側の前記位置にほぼ対応する位置まで縫付けられることによって前記股部が形成され、前記羽根部材は前記トレーニング用サポーターを着用したときに前記着用者の肛門が前記１対の分岐部分の間の前記分岐点の近傍または前記羽根部材の下の前記分岐点の近傍に位置するとともに、前記１対の分岐部分の内側及び外側の縫い止まり点が前記着用者の肛門よりも上方に位置するように縫付けられているものである。
【００１８】
ここで、「伸縮性を有する生地」としては、例えば、トリコット、ニット生地、ポリエステル等にポリウレタンが１％から３０％混入されたポリウレタン混合生地、スパンレックス、パワーネット、サテンネット、ストレッチレース、等がある。また、「股部を有しないサポーター本体」としては、例えば、腹巻状のサポーターや、腹巻状のサポーターに股部の前部のみを構成する突出部が一体となったもの、等がある。
【００１９】
請求項７の発明にかかるトレーニング用サポーターは、着用者の股下に当接する股部を有しない伸縮性を有する生地からなるサポーター本体と、１対の分岐部分と１対の前部分岐部分とを有する略Ｘ字形の伸縮性を有する生地からなる羽根部材とを具備するトレーニング用サポーターであって、前記サポーター本体の裏側または表側の前部に前記羽根部材の前記１対の前部分岐部分が縫付けられ、前記サポーター本体の裏側または表側の臀部に前記羽根部材の前記１対の分岐部分の先端及びその周囲の部分が前記１対の分岐部分の内側においては前記１対の分岐部分の分岐点から所定長さの位置まで、前記１対の分岐部分の外側においては前記１対の分岐部分の内側の前記位置にほぼ対応する位置まで縫付けられることによって前記股部が形成され、前記羽根部材は前記トレーニング用サポーターを着用したときに前記着用者の肛門が前記１対の分岐部分の間の前記分岐点の近傍または前記羽根部材の下の前記分岐点の近傍に位置するとともに、前記１対の分岐部分の内側及び外側の縫い止まり点が前記着用者の肛門よりも上方に位置するように縫付けられているものである。
【００２０】
請求項８の発明にかかるトレーニング用サポーターは、請求項６または請求項７の構成において、前記羽根部材の前記分岐していない側または前記１対の前部分岐部分が前記サポーター本体の裏側または表側の前部に縫付けられておらず、前記羽根部材の前記分岐していない側または前記１対の前部分岐部分と前記サポーター本体の裏側または表側の前部とは、前記羽根部材の前記分岐していない側または前記１対の前部分岐部分と、前記サポーター本体の裏側または表側の前部に取付けられた複数の接続位置を選択できる１組または２組の調節機能付き接続具によって接続されるものである。
【００２１】
ここで、「調節機能付き接続具」としては、例えば、長さ方向の複数の位置にメンカンを取付けたものと、その複数のメンカンのいずれにも嵌合するカギホックを布地に取付けたものとを組にしたものや、長さ方向の複数の位置に凹側のホックを取付けたものと、その複数の凹側のホックのいずれにも嵌合する凸側のホックを布地に取付けたものとを組にしたものや、長さ方向の複数の位置に凹側のドット釦を取付けたものと、その複数の凹側のドット釦のいずれにも嵌合する凸側のドット釦を布地に取付けたものとを組にしたものや、一組の接続布（マジックテープ（登録商標））、等がある。
【００２２】
請求項９の発明にかかるトレーニング用スパッツは、伸縮性を有する生地からなるスパッツ本体と、１対の分岐部分を有する略Ｙ字形の伸縮性を有する生地からなる羽根部材とを具備するトレーニング用スパッツであって、前記スパッツ本体の裏側の前部に前記羽根部材の分岐していない側の端が縫付けられ、前記スパッツ本体の裏側の臀部に前記羽根部材の前記１対の分岐部分の先端及びその周囲の部分が前記１対の分岐部分の内側においては前記１対の分岐部分の分岐点から所定長さの位置まで、前記１対の分岐部分の外側においては前記１対の分岐部分の内側の前記位置にほぼ対応する位置まで縫付けられ、前記羽根部材は前記トレーニング用スパッツを着用したときに前記着用者の肛門が前記１対の分岐部分の間の前記分岐点の近傍または前記羽根部材の下の前記分岐点の近傍に位置するとともに、前記１対の分岐部分の内側及び外側の縫い止まり点が前記着用者の肛門よりも上方に位置するように縫付けられているものである。
【００２３】
ここで、「伸縮性を有する生地」としては、例えば、トリコット、ニット生地、ポリエステル等にポリウレタンが１％から３０％混入されたポリウレタン混合生地、スパンレックス、パワーネット、サテンネット、ストレッチレース、等がある。
【００２４】
請求項１０の発明にかかるトレーニング用スパッツは、伸縮性を有する生地からなるスパッツ本体と、１対の分岐部分と１対の前部分岐部分とを有する略Ｘ字形の伸縮性を有する生地からなる羽根部材とを具備するトレーニング用スパッツであって、前記スパッツ本体の裏側の前部に前記羽根部材の前記１対の前部分岐部分が縫付けられ、前記スパッツ本体の裏側の臀部に前記羽根部材の前記１対の分岐部分の先端及びその周囲の部分が前記１対の分岐部分の内側においては前記１対の分岐部分の分岐点から所定長さの位置まで、前記１対の分岐部分の外側においては前記１対の分岐部分の内側の前記位置にほぼ対応する位置まで縫付けられ、前記羽根部材は前記トレーニング用スパッツを着用したときに前記着用者の肛門が前記１対の分岐部分の間の前記分岐点の近傍または前記羽根部材の下の前記分岐点の近傍に位置するとともに、前記１対の分岐部分の内側及び外側の縫い止まり点が前記着用者の肛門よりも上方に位置するように縫付けられているものである。
【００２５】
請求項１１の発明にかかるトレーニング用水着は、伸縮性を有する生地からなる水着本体と、１対の分岐部分を有する略Ｙ字形の伸縮性を有する生地からなる羽根部材とを具備するトレーニング用水着であって、前記水着本体の股部の裏側の前部に前記羽根部材の分岐していない側の端が縫付けられ、前記水着本体の股部の裏側の臀部に前記羽根部材の前記１対の分岐部分の先端及びその周囲の部分が前記１対の分岐部分の内側においては前記１対の分岐部分の分岐点から所定長さの位置まで、前記１対の分岐部分の外側においては前記１対の分岐部分の内側の前記位置にほぼ対応する位置まで縫付けられ、前記羽根部材は前記トレーニング用水着を着用したときに前記着用者の肛門が前記１対の分岐部分の間の前記分岐点の近傍または前記羽根部材の下の前記分岐点の近傍に位置するとともに、前記１対の分岐部分の内側及び外側の縫い止まり点が前記着用者の肛門よりも上方に位置するように縫付けられているものである。
【００２６】
ここで、「水着本体」としては、ワンピース型の水着でも、セパレート型の水着でも良い。また、水着本体は、通常は伸縮性を有し、かつ耐水性のある生地で製造されている。
【００２７】
請求項１２の発明にかかるトレーニング用水着は、伸縮性を有する生地からなる水着本体と、１対の分岐部分と１対の前部分岐部分とを有する略Ｘ字形の伸縮性を有する生地からなる羽根部材とを具備するトレーニング用水着であって、前記水着本体の股部の裏側の前部に前記羽根部材の前記１対の前部分岐部分が縫付けられ、前記水着本体の股部の裏側の臀部に前記羽根部材の前記１対の分岐部分の先端及びその周囲の部分が前記１対の分岐部分の内側においては前記１対の分岐部分の分岐点から所定長さの位置まで、前記１対の分岐部分の外側においては前記１対の分岐部分の内側の前記位置にほぼ対応する位置まで縫付けられ、前記羽根部材は前記トレーニング用水着を着用したときに前記着用者の肛門が前記１対の分岐部分の間の前記分岐点の近傍または前記羽根部材の下の前記分岐点の近傍に位置するとともに、前記１対の分岐部分の内側及び外側の縫い止まり点が前記着用者の肛門よりも上方に位置するように縫付けられているものである。
【００２８】
請求項１３の発明にかかるトレーニング用スパッツまたはトレーニング用水着は、請求項９乃至請求項１２のいずれか１つの構成において、前記羽根部材の前記分岐していない側の先端または前記１対の前部分岐部分の先端が前記スパッツ本体または前記水着本体の裏側の前部のウエスト回り上端またはその近傍に縫付けられているものである。
【００２９】
請求項１４の発明にかかるトレーニング用スパッツまたはトレーニング用水着は、請求項９乃至請求項１３のいずれか１つの構成において、前記羽根部材は前記スパッツ本体または前記水着本体の前記股部の裏側に取付けられた股下当て布と前記スパッツ本体または前記水着本体の前記股部との間を潜って取付けられているものである。
【００３０】
請求項１５の発明にかかるトレーニング用スパッツまたはトレーニング用水着は、請求項１４の構成において、前記羽根部材には１対または複数対の枝部分が設けられており、前記羽根部材が前記スパッツ本体または前記水着本体の前記股部の裏側に取付けられた前記股下当て布と前記羽根部材が前記スパッツ本体または前記水着本体の前記股部との間を潜って取付けられる際に前記枝部分が前記股下当て布の内部において前記羽根部材が前記スパッツ本体または前記水着本体の前記股部の裏側及び／または前記股下当て布に縫付けられているものである。
【００３１】
請求項１６の発明にかかるトレーニング用スパッツまたはトレーニング用水着は、請求項９乃至請求項１３のいずれか１つの構成において、前記羽根部材は前記１対の分岐部分と前記分岐点を含む根元部分のみからなる伸縮性を有する生地からなる後部羽根部材であって、前記後部羽根部材は前記根元部分が前記スパッツ本体または前記水着本体の前記股部の裏側に取付けられた伸縮性を有する生地からなる股下当て布の後部の端に縫付けられているものである。
【００３２】
ここで、「伸縮性を有する生地」としては、例えば、トリコット、ニット生地、ポリウレタンが１％から３０％混入されたポリウレタン混合生地、綿ストレッチ、スパンレックス、パワーネット、サテンネット（ストレッチサテン）、ストレッチレース、等がある。
【００３３】
請求項１７の発明にかかるトレーニング用スパッツまたはトレーニング用水着は、請求項１６の構成において、前記後部羽根部材とともに前記羽根部材の分岐していない側または前記１対の前部分岐部分のみからなる伸縮性を有する生地からなる前部羽根部材を有し、前記前部羽根部材の前記分岐していない側の先端または前記１対の前部分岐部分の先端は前記スパッツ本体または前記水着本体の裏側の前部に縫付けられており、前記前部羽根部材の反対側の端は前記股下当て布の前部の端に縫付けられているものである。
【００３４】
請求項１８の発明にかかるトレーニング用サポーター、トレーニング用スパッツまたはトレーニング用水着は、請求項６乃至請求項１７のいずれか１つの構成において、前記羽根部材についての前記所定長さは３ｃｍから１０ｃｍの範囲内であり、前記着用者の肛門が当接する位置が前記１対の分岐部分の間にある場合の当該位置から前記分岐点までの距離は０．５ｃｍから３．０ｃｍの範囲内であるものである。
【００３５】
請求項１９の発明にかかるトレーニング用サポーター、トレーニング用スパッツまたはトレーニング用水着は、請求項６乃至請求項１８のいずれか１つの構成において、前記羽根部材の前記１対の分岐部分が、前記着用者の肛門が引き締められたときに前記着用者の臀部に生ずる左右１対の笑窪様の小さい窪みを覆う大きさであるものである。
【００３６】
請求項２０の発明にかかるトレーニング用サポーター、トレーニング用スパッツまたはトレーニング用水着は、請求項６乃至請求項１９のいずれか１つの構成において、前記羽根部材の前記１対の分岐部分の一方若しくは両方及び／または前記１対の前部分岐部分の一方若しくは両方がさらに二つ以上に分岐しているものである。
【００３７】
請求項２１の発明にかかるトレーニング用サポーター、トレーニング用スパッツまたはトレーニング用水着は、請求項６乃至請求項２０のいずれか１つの構成において、前記羽根部材の前記１対の分岐部分の先端及び／または前記１対の前部分岐部分の先端が丸みのある形状となっているものである。
【００３８】
請求項２２の発明にかかるトレーニング用サポーター、トレーニング用スパッツまたはトレーニング用水着は、請求項１乃至請求項２１のいずれか１つの構成において、前記伸縮性を有する生地はパワーネット、サテンネット（ストレッチサテン）、ストレッチレースのいずれかであるものである。
【発明の効果】
【００３９】
請求項１の発明にかかるトレーニング用サポーターは、着用者の股下に当接する股部を有し伸縮性を有する生地からなるサポーター本体の股部が股下の背面側に分岐部分を有するトレーニング用サポーターであって、サポーター本体の背面部に股部の分岐部分の先端及び／または先端の周囲の部分が股部の分岐部分の内側においては股部の分岐部分の分岐点から所定長さの位置まで、股部の分岐部分の外側においては股部の分岐部分の内側の位置にほぼ対応する位置まで縫付けられ、トレーニング用サポーターを着用したときに着用者の肛門が股部の分岐部分の間の分岐点の近傍または股部の下の分岐点の近傍に位置するとともに、股部の分岐部分の内側及び外側の縫い止まり点が着用者の肛門よりも上方に位置するように縫付けられている。
【００４０】
ここで、「伸縮性を有する生地」としては、例えば、トリコット、ニット生地、ポリエステル等にポリウレタンが１％から３０％混入されたポリウレタン混合生地、スパンレックス、パワーネット、サテンネット、ストレッチレース、等がある。
【００４１】
かかる構成を有するトレーニング用サポーターを着用することによって、伸縮性を有する生地からなるサポーター本体の股部の分岐部分の間の分岐点の近傍または股部の下の分岐点の近傍に着用者の肛門が位置しているため、股部には伸縮性によって引っ張り力が作用し、さらに股部の分岐部分の内側及び外側の縫い止まり点が着用者の肛門よりも上方に位置するため、肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【００４２】
このようにして、意識しなくても単独で、またはズボン・パンツやスカート等の衣服の下やトレーニングウェアの上に着用するだけで、肛門が引き締められて正しい姿勢をとることができ、さらに着用してトレーニングをするだけで筋肉に刺激を与え大臀筋・中臀筋が鍛えられて効果的にトレーニングをすることができ、美しいプロポーションを得ることができるトレーニング用サポーターとなる。
【００４３】
請求項２の発明にかかるトレーニング用サポーターは、サポーター本体の前面両脇部分から背面部にかけて開口部を設けて、開口部をサポーター本体の裏側から通風性の良い通風生地で塞いだものである。
【００４４】
かかる構成を有するトレーニング用サポーターを着用することによって、請求項１に記載の効果に加えて、トレーニングによる汗が開口部から放散されるとともに、開口部が通風性の良い通風生地で塞がれているため、腹部や臀部がトレーニング用サポーターからはみ出すのを防止することができる。このように、開口部から腹部または臀部の一部がはみ出ることを防ぎつつ、汗が開口部から放散されて爽やかにトレーニングを行うことができるという作用効果が得られる。
【００４５】
請求項３の発明にかかるトレーニング用サポーターは、サポーター本体の股部の前面中央に前面開口部を設けたものである。これによって、請求項１または請求項２に記載の効果に加えて、特に男性が前面にファスナー等の開閉具が設けられたトレーニングパンツ等の下や上に本発明にかかるトレーニング用サポーターを着用した場合には、排尿時に一々トレーニング用サポーターを下ろす必要がなく、非常に使い勝手が良いという作用効果が得られる。
【００４６】
請求項４の発明にかかるトレーニング用サポーターは、サポーター本体が開口部の下からほぼそのままの幅で伸びて１対のクロス部分となり、サポーター本体の後中心で交差してサポーター本体の両脇から前面部分まで伸びてサポーター本体の前中心まで到達してサポーター本体の前中心に縫付けられ、またはサポーター本体の前中心と両脇の中間まで到達してサポーター本体の前面部分に縫付けられ、またはサポーター本体の両脇まで到達してサポーター本体の両脇に縫付けられている。
【００４７】
かかる構成を有するトレーニング用サポーターを着用することによって、請求項２または請求項３に記載の効果に加えて、肛門が引き締められると臀部に笑窪状の１対の小さい窪みが生じ、この小さい窪みを押さえることによって小尻になるとともにヒップアップの効果が得られるが、伸縮性を有する生地からなる１対のクロス部分によってこの小さい窪みが押さえられるため、小尻になるとともにヒップアップの効果が得られて、より美しいプロポーションを得ることができる。
【００４８】
さらに、伸縮性を有する生地からなる１対のクロス部分によって、骨盤の両脚の大腿骨の付け根である大転子が押えられるため、骨盤が矯正されるとともに上半身と下半身の間にひねりが生じて、意識しなくてもウォーキングの際に広い歩幅で一直線上を歩くことができて、大臀筋が引き締まり中臀筋が鍛えられるという作用効果をも得ることができる。
【００４９】
請求項５の発明にかかるトレーニング用サポーターは、１対のクロス部分のサポーター本体の後中心の交差部分において、１対のクロス部分の一方にループの両端が縫付けられ、１対のクロス部分の他方はループの中を潜っている。これによって、請求項４に記載の効果に加えて、１対のクロス部分が互いの自由な伸縮を妨げることなく、互いに離れることを防止できるという作用効果が得られる。
【００５０】
したがって、小尻になるとともにヒップアップの効果がより確実に得られて、より美しいプロポーションを得ることができ、大転子が押えられるため骨盤が矯正されるとともに上半身と下半身の間にひねりが生じて、意識しなくてもウォーキングの際に広い歩幅で一直線上を歩くことができて、大臀筋が引き締まり中臀筋が鍛えられるという作用効果をもより確実に得ることができる。
【００５１】
請求項６の発明にかかるトレーニング用サポーターは、着用者の股下に当接する股部を有しない伸縮性を有する生地からなるサポーター本体と、１対の分岐部分を有する略Ｙ字形の伸縮性を有する生地からなる羽根部材とを具備するトレーニング用サポーターであって、サポーター本体の裏側または表側の前部に羽根部材の分岐していない側の端が縫付けられ、サポーター本体の裏側または表側の臀部に羽根部材の１対の分岐部分の先端及びその周囲の部分が１対の分岐部分の内側においては１対の分岐部分の分岐点から所定長さの位置まで、１対の分岐部分の外側においては１対の分岐部分の内側の位置にほぼ対応する位置まで縫付けられることによって股部が形成され、羽根部材はトレーニング用サポーターを着用したときに着用者の肛門が１対の分岐部分の間の分岐点の近傍または羽根部材の下の分岐点の近傍に位置するとともに、１対の分岐部分の内側及び外側の縫い止まり点が着用者の肛門よりも上方に位置するように縫付けられている。
【００５２】
ここで、「伸縮性を有する生地」としては、例えば、トリコット、ニット生地、ポリエステル等にポリウレタンが１％から３０％混入されたポリウレタン混合生地、スパンレックス、パワーネット、サテンネット、ストレッチレース、等がある。また、「股部を有しないサポーター本体」としては、例えば、腹巻状のサポーターや、腹巻状のサポーターに股部の前部のみを構成する突出部が一体となったもの、等がある。
【００５３】
かかる構成を有するトレーニング用サポーターを着用することによって、伸縮性を有する生地からなる羽根部材の１対の分岐部分の間の分岐点の近傍または羽根部材の下の分岐点の近傍に着用者の肛門が位置しており、羽根部材は縫付けられた分岐していない側の端と、縫付けられた１対の分岐部分の先端及びその周囲の部分の端（縫い止まり点）との間が縫付けられていないため、伸縮性によって引っ張り力が作用し、さらに１対の分岐部分の内側及び外側の縫い止まり点が着用者の肛門よりも上方に位置するため、肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【００５４】
このようにして、意識しなくても単独で、またはズボン・パンツやスカート等の衣服の下やトレーニングウェアの上に着用するだけで、肛門が引き締められて正しい姿勢をとることができ、さらに着用してトレーニングをするだけで筋肉に刺激を与え大臀筋・中臀筋が鍛えられて効果的にトレーニングをすることができ、美しいプロポーションを得ることができるトレーニング用サポーターとなる。
【００５５】
請求項７の発明にかかるトレーニング用サポーターは、着用者の股下に当接する股部を有しない伸縮性を有する生地からなるサポーター本体と、１対の分岐部分と１対の前部分岐部分とを有する略Ｘ字形の伸縮性を有する生地からなる羽根部材とを具備するトレーニング用サポーターであって、サポーター本体の裏側または表側の前部に羽根部材の１対の前部分岐部分が縫付けられ、サポーター本体の裏側または表側の臀部に羽根部材の１対の分岐部分の先端及びその周囲の部分が１対の分岐部分の内側においては１対の分岐部分の分岐点から所定長さの位置まで、１対の分岐部分の外側においては１対の分岐部分の内側の位置にほぼ対応する位置まで縫付けられることによって股部が形成され、羽根部材はトレーニング用サポーターを着用したときに着用者の肛門が１対の分岐部分の間の分岐点の近傍または羽根部材の下の分岐点の近傍に位置するとともに、１対の分岐部分の内側及び外側の縫い止まり点が着用者の肛門よりも上方に位置するように縫付けられている。
【００５６】
かかる構成を有するトレーニング用サポーターを着用することによって、伸縮性を有する生地からなる羽根部材の１対の分岐部分の間の分岐点の近傍または羽根部材の下の分岐点の近傍に着用者の肛門が位置しており、羽根部材は縫付けられた１対の前部分岐部分と、縫付けられた１対の分岐部分の先端及びその周囲の部分の端（縫い止まり点）との間が縫付けられていないため、伸縮性によって引っ張り力が作用し、さらに１対の分岐部分の内側及び外側の縫い止まり点が着用者の肛門よりも上方に位置するため、肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【００５７】
さらに、伸縮性を有する生地からなる羽根部材の１対の前部分岐部分がサポーター本体の前部に縫付けられているため、肛門を引き締める効果が向上するとともにヒップアップの効果をも得ることができる。また、特に男性が前面にファスナー等の開閉具が設けられたトレーニングパンツ等の下や上に本発明にかかるトレーニング用サポーターを着用した場合には、排尿時に一々トレーニング用サポーターを下ろす必要がなく、非常に使い勝手が良いという作用効果が得られる。
【００５８】
このようにして、意識しなくても単独で、またはズボン・パンツやスカート等の衣服の下やトレーニングウェアの上に着用するだけで、肛門が引き締められて正しい姿勢をとることができ、さらに着用してトレーニングをするだけで筋肉に刺激を与え大臀筋・中臀筋が鍛えられて効果的にトレーニングをすることができ、美しいプロポーションを得ることができ、また男性用としても使い勝手の良いトレーニング用サポーターとなる。
【００５９】
請求項８の発明にかかるトレーニング用サポーターは、前記羽根部材の前記分岐していない側または前記１対の前部分岐部分が前記サポーター本体の裏側または表側の前部に縫付けられておらず、前記羽根部材の前記分岐していない側または前記１対の前部分岐部分と前記サポーター本体の裏側または表側の前部とは、前記羽根部材の前記分岐していない側または前記１対の前部分岐部分と、前記サポーター本体の裏側または表側の前部に取付けられた複数の接続位置を選択できる１組または２組の調節機能付き接続具によって接続されるものである。
【００６０】
ここで、「調節機能付き接続具」としては、例えば、長さ方向の複数の位置にメンカンを取付けたものと、その複数のメンカンのいずれにも嵌合するカギホックを布地に取付けたものとを組にしたものや、長さ方向の複数の位置に凹側のホックを取付けたものと、その複数の凹側のホックのいずれにも嵌合する凸側のホックを布地に取付けたものとを組にしたものや、長さ方向の複数の位置に凹側のドット釦を取付けたものと、その複数の凹側のドット釦のいずれにも嵌合する凸側のドット釦を布地に取付けたものとを組にしたものや、一組の接続布（マジックテープ（登録商標））、等がある。
【００６１】
かかる構成によって、請求項６または請求項７に記載の効果に加えて、羽根部材の分岐していない側または１対の前部分岐部分とサポーター本体の裏側または表側の前部とを調節機能付き接続具によって接続する際に、複数の接続位置のうちいずれを選択するかによって、羽根部材による引っ張り力を最適に調節することができ、着用者の体形によって微妙に異なる羽根部材による肛門の引き締め力を最適に調節することができる。
【００６２】
このようにして、意識しなくても単独で、またはズボン・パンツやスカート等の衣服の下やトレーニングウェアの上に着用するだけで、最適な引き締め力で肛門が引き締められて正しい姿勢をとることができ、さらに着用してトレーニングをするだけで筋肉に刺激を与え大臀筋・中臀筋が鍛えられて効果的にトレーニングをすることができ、美しいプロポーションを得ることができるトレーニング用サポーターとなる。
【００６３】
請求項９の発明にかかるトレーニング用スパッツは、伸縮性を有する生地からなるスパッツ本体と、１対の分岐部分を有する略Ｙ字形の伸縮性を有する生地からなる羽根部材とを具備するトレーニング用スパッツであって、スパッツ本体の裏側の前部に羽根部材の分岐していない側の端が縫付けられ、スパッツ本体の裏側の臀部に羽根部材の１対の分岐部分の先端及びその周囲の部分が１対の分岐部分の内側においては１対の分岐部分の分岐点から所定長さの位置まで、１対の分岐部分の外側においては１対の分岐部分の内側の位置にほぼ対応する位置まで縫付けられ、羽根部材はトレーニング用スパッツを着用したときに着用者の肛門が１対の分岐部分の間の分岐点の近傍または羽根部材の下の分岐点の近傍に位置するとともに、１対の分岐部分の内側及び外側の縫い止まり点が着用者の肛門よりも上方に位置するように縫付けられている。
【００６４】
ここで、「伸縮性を有する生地」としては、例えば、トリコット、ニット生地、ポリエステル等にポリウレタンが１％から３０％混入されたポリウレタン混合生地、スパンレックス、パワーネット、サテンネット、ストレッチレース、等がある。
【００６５】
かかる構成を有するトレーニング用スパッツを着用することによって、伸縮性を有する生地からなる羽根部材の１対の分岐部分の間の分岐点の近傍または羽根部材の下の分岐点の近傍に着用者の肛門が位置しており、羽根部材は縫付けられた分岐していない側の端と、縫付けられた１対の分岐部分の先端及びその周囲の部分の端（縫い止まり点）との間が縫付けられていないため、伸縮性によって引っ張り力が作用し、さらに１対の分岐部分の内側及び外側の縫い止まり点が着用者の肛門よりも上方に位置するため、肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【００６６】
このようにして、意識しなくても単独で、またはズボン・パンツやスカート等の衣服の下に着用するだけで、肛門が引き締められて正しい姿勢をとることができ、さらに着用してトレーニングをするだけで筋肉に刺激を与え大臀筋・中臀筋が鍛えられて効果的にトレーニングをすることができ、美しいプロポーションを得ることができるトレーニング用スパッツとなる。
【００６７】
請求項１０の発明にかかるトレーニング用スパッツは、伸縮性を有する生地からなるスパッツ本体と、１対の分岐部分と１対の前部分岐部分とを有する略Ｘ字形の伸縮性を有する生地からなる羽根部材とを具備するトレーニング用スパッツであって、スパッツ本体の裏側の前部に羽根部材の１対の前部分岐部分が縫付けられ、スパッツ本体の裏側の臀部に羽根部材の１対の分岐部分の先端及びその周囲の部分が１対の分岐部分の内側においては１対の分岐部分の分岐点から所定長さの位置まで、１対の分岐部分の外側においては１対の分岐部分の内側の位置にほぼ対応する位置まで縫付けられ、羽根部材はトレーニング用スパッツを着用したときに着用者の肛門が１対の分岐部分の間の分岐点の近傍または羽根部材の下の分岐点の近傍に位置するとともに、１対の分岐部分の内側及び外側の縫い止まり点が着用者の肛門よりも上方に位置するように縫付けられている。
【００６８】
かかる構成を有するトレーニング用スパッツを着用することによって、伸縮性を有する生地からなる羽根部材の１対の分岐部分の間の分岐点の近傍または羽根部材の下の分岐点の近傍に着用者の肛門が位置しており、羽根部材は縫付けられた１対の前部分岐部分と、縫付けられた１対の分岐部分の先端及びその周囲の部分の端（縫い止まり点）との間が縫付けられていないため、伸縮性によって引っ張り力が作用し、さらに１対の分岐部分の内側及び外側の縫い止まり点が着用者の肛門よりも上方に位置するため、肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【００６９】
さらに、伸縮性を有する生地からなる羽根部材の１対の前部分岐部分がサポーター本体の前部に縫付けられているため、肛門を引き締める効果が向上するとともにヒップアップの効果をも得ることができる。また、特に男性が前面にファスナー等の開閉具が設けられたトレーニングパンツ等の下に本発明にかかるトレーニング用スパッツを着用した場合には、排尿時に一々トレーニング用スパッツを下ろす必要がなく、非常に使い勝手が良いという作用効果が得られる。
【００７０】
このようにして、意識しなくても単独でまたはズボン・パンツやスカート等の衣服の下に着用するだけで、肛門が引き締められて正しい姿勢をとることができ、さらに着用してトレーニングをするだけで筋肉に刺激を与え大臀筋・中臀筋が鍛えられて効果的にトレーニングをすることができ、美しいプロポーションを得ることができ、また男性用としても使い勝手の良いトレーニング用スパッツとなる。
【００７１】
請求項１１の発明にかかるトレーニング用水着は、伸縮性を有する生地からなる水着本体と、１対の分岐部分を有する略Ｙ字形の伸縮性を有する生地からなる羽根部材とを具備するトレーニング用水着であって、水着本体の股部の裏側の前部に羽根部材の分岐していない側の端が縫付けられ、水着本体の股部の裏側の臀部に羽根部材の１対の分岐部分の先端及びその周囲の部分が１対の分岐部分の内側においては１対の分岐部分の分岐点から所定長さの位置まで、１対の分岐部分の外側においては１対の分岐部分の内側の位置にほぼ対応する位置まで縫付けられ、羽根部材はトレーニング用水着を着用したときに着用者の肛門が１対の分岐部分の間の分岐点の近傍または羽根部材の下の分岐点の近傍に位置するとともに、１対の分岐部分の内側及び外側の縫い止まり点が着用者の肛門よりも上方に位置するように縫付けられている。
【００７２】
ここで、「水着本体」としては、ワンピース型の水着でも、セパレート型の水着でも良い。また、水着本体は、通常は伸縮性を有し、かつ耐水性のある生地で製造されている。
【００７３】
かかる構成を有するトレーニング用水着を着用することによって、伸縮性を有する生地からなる羽根部材の１対の分岐部分の間の分岐点の近傍または羽根部材の下の分岐点の近傍に着用者の肛門が位置しており、羽根部材は縫付けられた分岐していない側の端と、縫付けられた１対の分岐部分の先端及びその周囲の部分の端（縫い止まり点）との間が縫付けられていないため、伸縮性によって引っ張り力が作用し、さらに１対の分岐部分の内側及び外側の縫い止まり点が着用者の肛門よりも上方に位置するため、肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【００７４】
このようにして、意識しなくても着用するだけで、肛門が引き締められて正しい姿勢をとることができ、さらに着用してトレーニングをするだけで筋肉に刺激を与え大臀筋・中臀筋が鍛えられて効果的にトレーニングをすることができ、美しいプロポーションを得ることができるトレーニング用水着となる。
【００７５】
請求項１２の発明にかかるトレーニング用水着は、伸縮性を有する生地からなる水着本体と、１対の分岐部分と１対の前部分岐部分とを有する略Ｘ字形の伸縮性を有する生地からなる羽根部材とを具備するトレーニング用水着であって、水着本体の股部の裏側の前部に羽根部材の１対の前部分岐部分が縫付けられ、水着本体の股部の裏側の臀部に羽根部材の１対の分岐部分の先端及びその周囲の部分が１対の分岐部分の内側においては１対の分岐部分の分岐点から所定長さの位置まで、１対の分岐部分の外側においては１対の分岐部分の内側の位置にほぼ対応する位置まで縫付けられ、羽根部材はトレーニング用水着を着用したときに着用者の肛門が１対の分岐部分の間の分岐点の近傍または羽根部材の下の分岐点の近傍に位置するとともに、１対の分岐部分の内側及び外側の縫い止まり点が着用者の肛門よりも上方に位置するように縫付けられている。
【００７６】
かかる構成を有するトレーニング用水着を着用することによって、伸縮性を有する生地からなる羽根部材の１対の分岐部分の間の分岐点の近傍または羽根部材の下の分岐点の近傍に着用者の肛門が位置しており、羽根部材は縫付けられた１対の前部分岐部分と、縫付けられた１対の分岐部分の先端及びその周囲の部分の端（縫い止まり点）との間が縫付けられていないため、伸縮性によって引っ張り力が作用し、さらに１対の分岐部分の内側及び外側の縫い止まり点が着用者の肛門よりも上方に位置するため、肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【００７７】
さらに、伸縮性を有する生地からなる羽根部材の１対の前部分岐部分が水着本体の前部に縫付けられているため、肛門を引き締める効果が向上するとともにヒップアップの効果をも得ることができる。また、特に男性用の股部前面に開閉部分が設けられた水着本体に本発明にかかるトレーニング用水着を適用した場合には、排尿時に一々トレーニング用水着を脱ぐ必要がなく、非常に使い勝手が良いという作用効果が得られる。
【００７８】
このようにして、意識しなくても着用するだけで、肛門が引き締められて正しい姿勢をとることができ、さらに着用してトレーニングをするだけで筋肉に刺激を与え大臀筋・中臀筋が鍛えられて効果的にトレーニングをすることができ、美しいプロポーションを得ることができ、また男性用としても使い勝手の良いトレーニング用水着となる。
【００７９】
請求項１３の発明にかかるトレーニング用スパッツまたはトレーニング用水着は、羽根部材の分岐していない側の先端または１対の前部分岐部分の先端がスパッツ本体または水着本体の裏側の前部のウエスト回り上端またはその近傍に縫付けられている。これによって、請求項９乃至請求項１２のいずれか１つに記載の効果に加えて、伸縮性を有する生地からなる羽根部材の引っ張り力がより強力になって肛門が効果的に締付けられるとともに、下腹部が押え付けられるので下腹部が引っ込んでより美しいプロポーションを得ることができる。
【００８０】
このようにして、意識しなくても着用するだけで、肛門が引き締められて正しい姿勢をとることができるとともに下腹部が引っ込んでより美しいプロポーションを得ることができ、さらに着用してトレーニングをするだけで筋肉に刺激を与え大臀筋・中臀筋が鍛えられて効果的にトレーニングをすることができ、美しいプロポーションを得ることができるトレーニング用スパッツまたはトレーニング用水着となる。
【００８１】
請求項１４の発明にかかるトレーニング用スパッツまたはトレーニング用水着は、羽根部材はスパッツ本体または水着本体の股部の裏側に取付けられた股下当て布とスパッツ本体または水着本体の股部との間を潜って取付けられている。
【００８２】
これによって、請求項９乃至請求項１３のいずれか１つに記載の効果に加えて、トレーニング用スパッツまたはトレーニング用水着を着用したときに羽根部材が直接着用者の股部に当接することがなく、股下当て布を介して当接することになるので、皮膚が過敏な人が長時間着用しても違和感がなく、一般の人にとっても羽根部材の横ずれ等を直接感じることがなく、股下当て布がクッションになるため穿き心地が向上する。
【００８３】
このようにして、意識しなくても着用するだけで、肛門が引き締められて正しい姿勢をとることができるとともに、穿き心地が良くなり長時間着用しても違和感を覚えることなく、さらに着用してトレーニングをするだけで筋肉に刺激を与え大臀筋・中臀筋が鍛えられて効果的にトレーニングをすることができ、美しいプロポーションを得ることができるトレーニング用スパッツまたはトレーニング用水着となる。
【００８４】
請求項１５の発明にかかるトレーニング用スパッツまたはトレーニング用水着は、請求項１４の構成において、羽根部材には１対または複数対の枝部分が設けられており、羽根部材がスパッツ本体または水着本体の股部の裏側に取付けられた股下当て布と羽根部材がスパッツ本体または水着本体の股部との間を潜って取付けられる際に枝部分が股下当て布の内部において羽根部材がスパッツ本体または水着本体の股部の裏側及び／または股下当て布に縫付けられている。
【００８５】
これによって、特に請求項１３の発明にかかるトレーニング用スパッツまたはトレーニング用水着のように、羽根部材が長い場合には、中間部分が全くフリーであると捩れたりずれたりして肛門を引き締める効果が半減するとともに、穿き心地も悪くなるが、羽根部材に設けられた１対または複数対の枝部分を股下当て布の内部においてスパッツ本体または水着本体の股部の裏側及び／または股下当て布に縫付けることによって、穿き心地及び見た目を損なうことなく、かつ羽根部材の引き締め力を低下させることなく、羽根部材が捩れたりずれたりする事態を確実に防止することができる。
【００８６】
このようにして、意識しなくても着用するだけで、肛門が引き締められて正しい姿勢をとることができるとともに、穿き心地が良くなり長時間着用しても違和感を覚えることなく、さらに着用してトレーニングをするだけで筋肉に刺激を与え大臀筋・中臀筋が鍛えられて効果的にトレーニングをすることができ、美しいプロポーションを得ることができるトレーニング用スパッツまたはトレーニング用水着となる。
【００８７】
請求項１６の発明にかかるトレーニング用スパッツまたはトレーニング用水着は、羽根部材は１対の分岐部分と分岐点を含む根元部分のみからなる伸縮性を有する生地からなる後部羽根部材であって、後部羽根部材は根元部分がスパッツ本体または水着本体の股部の裏側に取付けられた伸縮性を有する生地からなる股下当て布の後部の端に縫付けられている。ここで、「伸縮性を有する生地」としては、例えば、トリコット、ニット生地、ポリウレタンが１％から３０％混入されたポリウレタン混合生地、綿ストレッチ、スパンレックス、パワーネット、サテンネット（ストレッチサテン）、ストレッチレース、等がある。
【００８８】
このような後部羽根部材を伸縮性を有する生地からなる股下当て布の後部の端に縫付けることによっても、後部羽根部材の分岐点の近傍に位置する着用者の肛門を引き締める効果が得られる。そして、着用者の股部には股下当て布が当接するため、皮膚が過敏な人が長時間着用しても違和感がなく、一般の人にとっても股下当て布がクッションになるため穿き心地が向上する。
【００８９】
このようにして、意識しなくても着用するだけで、肛門が引き締められて正しい姿勢をとることができるとともに、穿き心地が良くなり長時間着用しても違和感を覚えることなく、さらに着用してトレーニングをするだけで筋肉に刺激を与え大臀筋・中臀筋が鍛えられて効果的にトレーニングをすることができ、美しいプロポーションを得ることができるトレーニング用スパッツまたはトレーニング用水着となる。
【００９０】
請求項１７の発明にかかるトレーニング用スパッツまたはトレーニング用水着は、後部羽根部材とともに羽根部材の分岐していない側または１対の前部分岐部分のみからなる伸縮性を有する生地からなる前部羽根部材を有し、前部羽根部材の分岐していない側の先端または１対の前部分岐部分の先端はスパッツ本体または水着本体の裏側の前部に縫付けられており、前部羽根部材の反対側の端は股下当て布の前部の端に縫付けられている。
【００９１】
これによって、請求項１６に記載の効果に加えて、伸縮性を有する生地からなる股下当て布を介してではあるが、後部羽根部材が前部羽根部材によって引っ張られるために後部羽根部材が肛門を引き締める効果が向上するとともに、前部羽根部材によって下腹部が押え付けられるので、下腹部が引っ込んでより美しいプロポーションを得ることができる。
【００９２】
このようにして、意識しなくても着用するだけで、肛門が引き締められて正しい姿勢をとることができるとともに、下腹部が引っ込んでより美しいプロポーションを得ることができ、穿き心地が良くなり長時間着用しても違和感を覚えることなく、さらに着用してトレーニングをするだけで筋肉に刺激を与え大臀筋・中臀筋が鍛えられて効果的にトレーニングをすることができ、美しいプロポーションを得ることができるトレーニング用スパッツまたはトレーニング用水着となる。
【００９３】
請求項１８の発明にかかるトレーニング用サポーター、トレーニング用スパッツまたはトレーニング用水着は、羽根部材についての所定長さが３ｃｍから１０ｃｍの範囲内であり、着用者の肛門が当接する位置が１対の分岐部分の間にある場合の当該位置から分岐点までの距離が０．５ｃｍから３．０ｃｍの範囲内である。さらに、所定長さが５ｃｍから８ｃｍの範囲内であり、当該位置から分岐点までの距離が１．０ｃｍから２．０ｃｍの範囲内であることがより好ましい。そして、所定長さが約７ｃｍ（６．０ｃｍ〜８．０ｃｍ）の場合が最も好ましく、当該位置から分岐点までの距離が約１．５ｃｍ（１．０ｃｍ〜２．０ｃｍ）の場合が最も好ましい。
【００９４】
本発明者は、羽根部材についての１対の分岐部分の先端及びその周囲の部分が縫付けられている端（縫い止まり点）から１対の分岐部分の分岐点までの所定長さの最適範囲、及び着用者の肛門が当接する位置が１対の分岐部分の間にある場合の当該位置から分岐点までの長さの最適範囲について、鋭意実験研究を重ねた結果、所定長さについては３ｃｍから１０ｃｍの範囲内、より好ましくは５ｃｍから８ｃｍの範囲内であり、当該位置から分岐点までの長さについては０．５ｃｍから３．０ｃｍの範囲内、より好ましくは１．０ｃｍから２．０ｃｍの範囲内である場合に、最も適切に着用者の肛門を効果的に引き締め、肛門が軽く上に引き上げられて姿勢を正しくする効果が得られることを見出し、この知見に基づいて本発明を完成させたものである。
【００９５】
さらに、縫い止まり点から１対の分岐部分の分岐点までの所定長さが約７ｃｍ（６．０ｃｍ〜８．０ｃｍ）の場合、及び当該位置から分岐点までの距離が約１．５ｃｍ（１．０ｃｍ〜２．０ｃｍ）の場合が最も効果的に着用者の肛門を効果的に引き締め、肛門が軽く上に引き上げられて姿勢を正しくする効果が得られることを見出した。
【００９６】
このようにして、意識しなくても単独で、またはズボン・パンツやスカート等の衣服の下やトレーニングウェアの上に着用するだけで、最も適切に肛門が引き締められて正しい姿勢をとることができ、さらに着用してトレーニングをするだけで筋肉に刺激を与え大臀筋・中臀筋が鍛えられて効果的にトレーニングをすることができ、美しいプロポーションを得ることができるトレーニング用サポーター、トレーニング用スパッツまたはトレーニング用水着となる。
【００９７】
請求項１９の発明にかかるトレーニング用サポーター、トレーニング用スパッツまたはトレーニング用水着は、羽根部材の１対の分岐部分が、着用者の肛門が引き締められたときに着用者の臀部に生ずる左右１対の笑窪様の小さい窪みを覆う大きさである。上述の如く、この窪みを押えることによって、臀部が引き締まって小尻になるとともにヒップアップの効果が得られるが、羽根部材の１対の分岐部分によって直接押えることによってこれらの効果が倍増する。
【００９８】
このようにして、意識しなくても単独で、またはズボン・パンツやスカート等の衣服の下やトレーニングウェアの上に着用するだけで、肛門が引き締められて正しい姿勢をとることができ、さらに着用してトレーニングをするだけで筋肉に刺激を与え大臀筋・中臀筋が鍛えられて効果的にトレーニングをすることができるとともに、小尻になってヒップアップの効果も得られて美しいプロポーションを得ることができるトレーニング用サポーター、トレーニング用スパッツまたはトレーニング用水着となる。
【００９９】
請求項２０の発明にかかるトレーニング用サポーター、トレーニング用スパッツまたはトレーニング用水着は、羽根部材の１対の分岐部分の一方若しくは両方及び／または１対の前部分岐部分の一方若しくは両方がさらに二つ以上に分岐している。羽根部材の効果は、伸縮性を有する生地からなる羽根部材の１対の分岐部分の間の分岐点の近傍または羽根部材の下の分岐点の近傍に着用者の肛門が位置していれば得ることができ、１対の分岐部分及び／または１対の前部分岐部分がさらに分岐していても変わることはない。したがって、１対の分岐部分及び／または１対の前部分岐部分がさらに分岐していても、肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【０１００】
このようにして、意識しなくても単独で、またはズボン・パンツやスカート等の衣服の下やトレーニングウェアの上に着用するだけで、肛門が引き締められて正しい姿勢をとることができ、さらに着用してトレーニングをするだけで筋肉に刺激を与え大臀筋・中臀筋が鍛えられて効果的にトレーニングをすることができ、美しいプロポーションを得ることができるトレーニング用サポーター、トレーニング用スパッツまたはトレーニング用水着となる。
【０１０１】
請求項２１の発明にかかるトレーニング用サポーター、トレーニング用スパッツまたはトレーニング用水着は、羽根部材の１対の分岐部分の先端及び／または１対の前部分岐部分の先端が丸みのある形状となっている。これによって、羽根部材の１対の分岐部分の先端及び／または１対の前部分岐部分の先端を縫付ける際に、丸みのある形状に沿って曲がりながら一度に縫付けることができるため、縫製時間を短縮することができ、大量生産に向いたトレーニング用サポーター、トレーニング用スパッツまたはトレーニング用水着となる。
【０１０２】
このようにして、意識しなくても単独で、またはズボン・パンツやスカート等の衣服の下やトレーニングウェアの上に着用するだけで、肛門が引き締められて正しい姿勢をとることができ、さらに着用してトレーニングをするだけで筋肉に刺激を与え大臀筋・中臀筋が鍛えられて効果的にトレーニングをすることができ、美しいプロポーションを得ることができるとともに、製造工程を短縮できるトレーニング用サポーター、トレーニング用スパッツまたはトレーニング用水着となる。
【０１０３】
請求項２２の発明にかかるトレーニング用サポーター、トレーニング用スパッツまたはトレーニング用水着は、伸縮性を有する生地がパワーネット、サテンネット（ストレッチサテン）、ストレッチレースのいずれかである。
【０１０４】
パワーネット、サテンネット、ストレッチレースは、いずれも大きな伸縮性を有し、入手も容易であるため、トレーニング用サポーター、トレーニング用スパッツまたはトレーニング用水着の羽根部材を構成する伸縮性を有する生地として適している。また、サポーター本体、スパッツ本体を構成する伸縮性を有する生地としても、パワーネット、サテンネット、ストレッチレースは適している。
【０１０５】
このようにして、意識しなくても単独で、またはズボン・パンツやスカート等の衣服の下やトレーニングウェアの上に着用するだけで、肛門が引き締められて正しい姿勢をとることができ、さらに着用してトレーニングをするだけで筋肉に刺激を与え大臀筋・中臀筋が鍛えられて効果的にトレーニングをすることができ、美しいプロポーションを得ることができるトレーニング用サポーター、トレーニング用スパッツまたはトレーニング用水着となる。
【発明を実施するための最良の形態】
【０１０６】
以下、本発明の実施の形態について、図面を参照しつつ説明する。
【０１０７】
実施の形態１
まず、本発明の実施の形態１にかかるトレーニング用サポーターについて、図１乃至図４を参照して説明する。
【０１０８】
図１（ａ）は本発明の実施の形態１にかかるトレーニング用サポーターの全体構成を示す正面図、（ｂ）は背面図、（ｃ）は本発明の実施の形態１にかかるトレーニング用サポーターを裏返した場合の全体構成を示す正面図、（ｄ）は背面図である。図２は人体の肛門が引き締められた場合に臀部に生ずる左右１対の笑窪様の小さい窪みの位置を示す模式図である。図３（ａ）は本発明の実施の形態１にかかるトレーニング用サポーターの縫付けの手順を示す正面図、（ｂ）は背面図である。
【０１０９】
図４（ａ）は本発明の実施の形態１の第１変形例にかかるトレーニング用サポーターの全体構成を示す正面図、（ｂ）は背面図、（ｃ）は本発明の実施の形態１の第２変形例にかかるトレーニング用サポーターの全体構成を示す正面図、（ｄ）は背面図、（ｅ）は本発明の実施の形態１の第３変形例にかかるトレーニング用サポーターの全体構成を示す正面図、（ｆ）は背面図、（ｇ）は本発明の実施の形態１の第４変形例にかかるトレーニング用サポーターの全体構成を示す正面図、（ｈ）は背面図である。
【０１１０】
図１（ａ）に示されるように、本実施の形態１にかかるトレーニング用サポーター１は、伸縮性を有する生地としてのサテンネット（ストレッチサテン）からなる表地に、伸縮性を有する生地としてのパワーネットからなる裏地を縫い合わせてなるサポーター本体２を中心として構成されている。サポーター本体２は、正面中央部から股下を通って股下部分で分岐してサポーター本体２の背面部に縫付けられる股部３と、正面から背面に続いて設けられている開口部５と、この開口部５の下のサポーター本体２がそのままの幅で伸びて後中心ＢＣ部分で交差する１対のクロス部分４ａ，４ｂとを有している。
【０１１１】
図１（ｂ），（ｃ）に示されるように、開口部５は、裏側から通風生地としての目の粗いパワーネット６が縫付けられることによって塞がれている。なお、図１において、通風生地としての目の粗いパワーネット６の部分のみに網目模様のハッチングを施したのは、サポーター本体２，股部３及びクロス部分４ａ，４ｂと区別し易くするためであり、網目模様の大きさは通風生地としての目の粗いパワーネット６の網目の大きさを表すものではない（以下の各図においても同様である。）。
【０１１２】
図１（ａ），（ｂ）に示されるように、１対のクロス部分４ａ，４ｂは、後中心ＢＣ部分で交差してから正面まで回り込んで、サポーター本体２の前中心ＦＣまで達し、前中心ＦＣにおいてジグザグ縫い４ｃによってサポーター本体２に縫付けられている。１対のクロス部分４ａ，４ｂの交差部分には、クロス部分４ａ，４ｂの自由な伸縮を封じることなく、互いに離れることを防止するために、クロス部分４ｂの裏側にループ７の両端が縫付けられており、クロス部分４ａはこのループ７の中を潜っている。
【０１１３】
さらに、ループ７は目の粗いパワーネット６に両端を縫付けられた、より小さいループ８の中を潜って取付けられている。また、クロス部分４ａ，４ｂは両脇部において、糸ループ９によってサポーター本体２に縫付けられている。これらによって、１対のクロス部分４ａ，４ｂが自らの重みによってサポーター本体２から離れてしまう事態が防止され、トレーニング用サポーター１の着用がより容易になるという作用効果が得られる。
【０１１４】
さらに、トレーニング用サポーター１を裏返した状態を示す図１（ｃ），（ｄ）に示されるように、股部３の分岐部分３ａ，３ｂはステッチ縫い３ｉによって、サポーター本体２の背面下端に縫付けられている。ステッチ縫い３ｉの縫い止まり点は、分岐部分３ａ，３ｂの内側においては、分岐点３ｃから約７ｃｍ（６．０ｃｍ〜８．０ｃｍ）離れており、分岐部分３ａ，３ｂの外側においては、内側のステッチ縫い５ｉの縫い止まり点とほぼ対応する位置にあって、少なくとも着用者の肛門の位置ＨＣＰよりは上方にある。
【０１１５】
そして、図１（ｄ）に示されるように、股部３の分岐部分３ａ，３ｂは、トレーニング用サポーター１を着用したときに、着用者の肛門の位置ＨＣＰが分岐部分３ａ，３ｂの間の分岐点３ｃの近傍（分岐点３ｃから約１．５ｃｍ（１．０ｃｍ〜２．０ｃｍ）離れた点）に位置するように縫付けられている。
【０１１６】
これによって、本実施の形態１にかかるトレーニング用サポーター１を下着の上に単独で、またはズボン（パンツ）・スカート等のボトムズの下に、或いはトレーニングパンツ・スパッツ等のトレーニングウェアの上から着用することによって、伸縮性を有する生地からなる股部３の分岐部分３ａ，３ｂには伸縮性による引っ張り力がかかり、着用者の肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【０１１７】
そして、本実施の形態１にかかるトレーニング用サポーター１を着用して、ウォーキング、ジョギング、エアロビクス、ヨガ、等のトレーニングをすることによって、筋肉に刺激が与えられ大臀筋・中臀筋が鍛えられて効果的にトレーニングをすることができ、美しいプロポーションを得ることができる。
【０１１８】
トレーニング用サポーター１を着用することによる作用効果について、図２を参照して、さらに説明する。図２に示されるように、人体ＨＢにおいて肛門ＨＣが引き締められると、臀部ＨＤに左右１対の笑窪様の小さい窪みＨＥが生ずる。これらの小さい窪みＨＥを押えることによって、臀部ＨＤが引き締まって小尻になるとともにヒップアップの効果が得られる。
【０１１９】
図１（ｂ），（ｄ）に示されるように、本実施の形態１にかかるトレーニング用サポーター１においては、これらの小さい窪みＨＥの位置ＨＥＰが伸縮性を有する生地からなる１対のクロス部分４ａ，４ｂによって押えられるため、小尻になってヒップアップの効果も得られ、より美しいプロポーションを得ることができる。
【０１２０】
このようにして、本実施の形態１にかかるトレーニング用サポーター１においては、意識しなくても単独で、またはズボン・パンツやスカート等の衣服の下や、トレーニングパンツ・スパッツ等のトレーニングウェアの上に着用するだけで、最適な引き締め力で肛門が引き締められて正しい姿勢をとることができ、さらに着用してトレーニングをするだけで筋肉に刺激を与え大臀筋・中臀筋が鍛えられて効果的にトレーニングをすることができ、美しいプロポーションを得ることができる。
【０１２１】
さらに、トレーニング用サポーター１においては、伸縮性を有する生地からなる１対のクロス部分４ａ，４ｂによって大臀筋が締め付けられるとともに大転子が押えられるため、着用してトレーニングをすることによってより効果的に大臀筋が鍛えられ、骨盤が矯正されるとともに上半身と下半身の間にひねりが生じて、意識しなくてもウォーキングの際に広い歩幅で一直線上を歩くことができて、大臀筋が引き締まり中臀筋が鍛えられるという作用効果が得られる。
【０１２２】
さらに、開口部５を設けて通風生地としての目の粗いパワーネット６で塞いでいるため、開口部５から腹部または臀部の一部がはみ出ることを防ぎつつ、汗が開口部５から放散されて爽やかにトレーニングを行うことができるという作用効果が得られる。
【０１２３】
本実施の形態１にかかるトレーニング用サポーター１の縫付けの手順について、図３を参照して説明する。図３（ａ），（ｂ）に示されるように、まずサポーター本体２を構成するサテンネットからなる表地とパワーネットからなる裏地を上端部で裏側へ折り返し、この折り返し部分２ａをステッチ２ｂで縫い合わせ、サポーター本体２の後中心ＢＣも縫い合わせる。次に、股部３の分岐部分３ａ，３ｂをサポーター本体２の背面下端に縫付け、さらに開口部５の裏側から目の粗いパワーネット６を縫付ける。
【０１２４】
それから、クロス部分４ｂの裏側にループ７の両端を縫付け、ループ７により小さいループ８を通して小さいループ８の両端を目の粗いパワーネット６を縫付けた後に、まずループ７の中にクロス部分４ａを潜らせて、糸ループ９によってサポーター本体２の左脇部に支持し、続いて矢印で示されるようにクロス部分４ｂを前方へ回り込ませて、同様に糸ループ９で支持する。そして、前中心ＦＣでクロス部分４ａとクロス部分４ｂを互いに縫い合わせた後に、クロス部分４ａ，４ｂの中心をジグザグ縫い４ｃでサポーター本体２に縫付ければ、トレーニング用サポーター１が完成する。
【０１２５】
勿論、以上述べた縫製の手順は標準的な手順の一例を説明したものであり、これ以外にも種々の手順によってトレーニング用サポーター１を縫製することが可能である。また、小さいループ８でループ７を目の粗いパワーネット６に留めるとともに、糸ループ９でクロス部分４ａ，４ｂを支持することによって、トレーニング用サポーター１の着用がより容易になるが、小さいループ８のみまたは糸ループ９のみを用いることによっても、トレーニング用サポーター１の着用が容易になるという作用効果が得られる。
【０１２６】
さらに、糸ループ９でクロス部分４ａ，４ｂを支持する位置は、両脇部に限られず、両脇部より正面側でも背面側でも良い。
【０１２７】
次に、本実施の形態１の第１変形例にかかるトレーニング用サポーター１Ａについて、図４（ａ），（ｂ）を参照して説明する。なお、トレーニング用サポーター１Ａの構成は、一部を除いて上記トレーニング用サポーター１と同様であるため、同一の部分には同一の符号を付して説明を省略する。
【０１２８】
図４（ａ）に示されるように、本実施の形態１の第１変形例にかかるトレーニング用サポーター１Ａが上記トレーニング用サポーター１と異なるのは、１対のクロス部分４Ａａ，４Ａｂの長さが１対のクロス部分４ａ，４ｂよりも短く、サポーター本体２の前中心まで到達していない点のみである。
【０１２９】
したがって、本実施の形態１の第１変形例にかかるトレーニング用サポーター１Ａを下着の上に単独で、またはズボン（パンツ）・スカート等のボトムズの下に、或いはトレーニングパンツ・スパッツ等のトレーニングウェアの上から着用することによって、伸縮性を有する生地からなる股部３の分岐部分３ａ，３ｂには伸縮性による引っ張り力がかかり、着用者の肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【０１３０】
そして、トレーニング用サポーター１Ａを着用して、ウォーキング、ジョギング、エアロビクス、ヨガ、等のトレーニングをすることによって、筋肉に刺激が与えられ大臀筋・中臀筋が鍛えられて効果的にトレーニングをすることができ、美しいプロポーションを得ることができる。
【０１３１】
さらに、図４（ｂ）に示されるように、本実施の形態１の第１変形例にかかるトレーニング用サポーター１Ａにおいては、小さい窪みの位置ＨＥＰが伸縮性を有する生地からなる１対のクロス部分４Ａａ，４Ａｂによって押えられるため、小尻になってヒップアップの効果も得られ、より美しいプロポーションを得ることができる。
【０１３２】
次に、本実施の形態１の第２変形例にかかるトレーニング用サポーター１Ｂについて、図４（ｃ），（ｄ）を参照して説明する。なお、トレーニング用サポーター１Ｂの構成は、一部を除いて上記トレーニング用サポーター１Ａと同様であるため、同一の部分には同一の符号を付して説明を省略する。
【０１３３】
図４（ｄ）に示されるように、本実施の形態１の第２変形例にかかるトレーニング用サポーター１Ｂが上記トレーニング用サポーター１Ａと異なるのは、サポーター本体２の背面部が１対のクロス部分４Ａａ，４Ａｂを除いて、通風生地としての目の粗いパワーネット６Ｂで構成されている点のみである。
【０１３４】
したがって、本実施の形態１の第２変形例にかかるトレーニング用サポーター１Ｂを下着の上に単独で、またはズボン（パンツ）・スカート等のボトムズの下に、或いはトレーニングパンツ・スパッツ等のトレーニングウェアの上から着用することによって、伸縮性を有する生地からなる股部３Ｂの分岐部分３Ｂａ，３Ｂｂには伸縮性による引っ張り力がかかり、着用者の肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【０１３５】
そして、トレーニング用サポーター１Ｂを着用して、ウォーキング、ジョギング、エアロビクス、ヨガ、等のトレーニングをすることによって、筋肉に刺激が与えられ大臀筋・中臀筋が鍛えられて効果的にトレーニングをすることができ、美しいプロポーションを得ることができる。
【０１３６】
さらに、図４（ｄ）に示されるように、本実施の形態１の第２変形例にかかるトレーニング用サポーター１Ｂにおいても、小さい窪みの位置ＨＥＰが伸縮性を有する生地からなる１対のクロス部分４Ａａ，４Ａｂによって押えられるため、小尻になってヒップアップの効果も得られ、より美しいプロポーションを得ることができる。また、通風生地としての目の粗いパワーネット６Ｂの占める面積が大きいため、より汗がこもり難くなり、より爽やかにトレーニングを行うことができる。
【０１３７】
次に、本実施の形態１の第３変形例にかかるトレーニング用サポーター１Ｃについて、図４（ｅ），（ｆ）を参照して説明する。なお、トレーニング用サポーター１Ｃの構成は、一部を除いて上記トレーニング用サポーター１Ｂと同様であるため、同一の部分には同一の符号を付して説明を省略する。
【０１３８】
図４（ｅ）に示されるように、本実施の形態１の第３変形例にかかるトレーニング用サポーター１Ｃが上記トレーニング用サポーター１Ｂと異なるのは、１対のクロス部分４ａ，４ｂの長さが１対のクロス部分４Ａａ，４Ａｂよりも長く、サポーター本体２Ｂの前中心まで到達している点のみである。
【０１３９】
したがって、本実施の形態１の第３変形例にかかるトレーニング用サポーター１Ｃを下着の上に単独で、またはズボン（パンツ）・スカート等のボトムズの下に、或いはトレーニングパンツ・スパッツ等のトレーニングウェアの上から着用することによって、伸縮性を有する生地からなる股部３Ｂの分岐部分３Ｂａ，３Ｂｂには伸縮性による引っ張り力がかかり、着用者の肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【０１４０】
そして、トレーニング用サポーター１Ｃを着用して、ウォーキング、ジョギング、エアロビクス、ヨガ、等のトレーニングをすることによって、筋肉に刺激が与えられ大臀筋・中臀筋が鍛えられて効果的にトレーニングをすることができ、美しいプロポーションを得ることができる。
【０１４１】
さらに、図４（ｆ）に示されるように、本実施の形態１の第３変形例にかかるトレーニング用サポーター１Ｃにおいても、小さい窪みの位置ＨＥＰが伸縮性を有する生地からなる１対のクロス部分４ａ，４ｂによって押えられるため、小尻になってヒップアップの効果も得られ、より美しいプロポーションを得ることができる。また、通風生地としての目の粗いパワーネット６Ｂの占める面積が大きいため、より汗がこもり難くなり、より爽やかにトレーニングを行うことができる。
【０１４２】
次に、本実施の形態１の第４変形例にかかるトレーニング用サポーター１Ｄについて、図４（ｇ），（ｈ）を参照して説明する。なお、トレーニング用サポーター１Ｄの構成は、一部を除いて上記トレーニング用サポーター１Ｃと同様である。
【０１４３】
図４（ｇ）に示されるように、本実施の形態１の第４変形例にかかるトレーニング用サポーター１Ｄが上記トレーニング用サポーター１Ｃと異なるのは、１対のクロス部分４Ｄａ，４Ｄｂの長さが１対のクロス部分４ａ，４ｂよりも短く、サポーター本体２Ｄの両脇部までしか到達していない点のみである。また、図４（ｈ）に示されるように、トレーニング用サポーター１Ｄにおいては、背面部の通風生地としての目の粗いパワーネット６Ｄが二枚の生地から構成されているが、実質的な相違ではない。
【０１４４】
したがって、本実施の形態１の第４変形例にかかるトレーニング用サポーター１Ｄを下着の上に単独で、またはズボン（パンツ）・スカート等のボトムズの下に、或いはトレーニングパンツ・スパッツ等のトレーニングウェアの上から着用することによって、伸縮性を有する生地からなる股部３Ｄの分岐部分３Ｄａ，３Ｄｂには伸縮性による引っ張り力がかかり、着用者の肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【０１４５】
そして、トレーニング用サポーター１Ｄを着用して、ウォーキング、ジョギング、エアロビクス、ヨガ、等のトレーニングをすることによって、筋肉に刺激が与えられ大臀筋・中臀筋が鍛えられて効果的にトレーニングをすることができ、美しいプロポーションを得ることができる。
【０１４６】
さらに、図４（ｈ）に示されるように、本実施の形態１の第４変形例にかかるトレーニング用サポーター１Ｄにおいても、小さい窪みの位置ＨＥＰが伸縮性を有する生地からなる１対のクロス部分４Ｄａ，４Ｄｂによって押えられるため、小尻になってヒップアップの効果も得られ、より美しいプロポーションを得ることができる。また、通風生地としての目の粗いパワーネット６Ｄの占める面積が大きいため、より汗がこもり難くなり、より爽やかにトレーニングを行うことができる。
【０１４７】
このようにして、本実施の形態１にかかるトレーニング用サポーター１，１Ａ，１Ｂ，１Ｃ，１Ｄにおいては、意識しなくても単独で、またはズボン・パンツやスカート等の衣服の下や、トレーニングパンツ・スパッツ等のトレーニングウェアの上に着用するだけで、肛門が引き締められて正しい姿勢をとることができ、さらに着用してトレーニングをするだけで筋肉に刺激を与え大臀筋・中臀筋が鍛えられて効果的にトレーニングをすることができ、美しいプロポーションを得ることができる。
【０１４８】
さらに、トレーニング用サポーター１，１Ａ，１Ｂ，１Ｃ，１Ｄにおいては、伸縮性を有する生地からなる１対のクロス部分４ａ，４ｂ，４Ａａ，４Ａｂ，４Ｄａ，４Ｄｂによって大臀筋が締め付けられるとともに大転子が押えられるため、着用してトレーニングをすることによってより効果的に大臀筋が鍛えられ、骨盤が矯正されるとともに上半身と下半身の間にひねりが生じて、意識しなくてもウォーキングの際に広い歩幅で一直線上を歩くことができて、大臀筋が引き締まり中臀筋が鍛えられるという作用効果が得られる。
【０１４９】
さらに、開口部５，５Ｂを設けて通風生地としての目の粗いパワーネット６，６Ｂ，６Ｄで塞いでいるため、開口部５，５Ｂから腹部または臀部の一部がはみ出ることを防ぎつつ、汗が開口部５，５Ｂから放散されて爽やかにトレーニングを行うことができるという作用効果が得られる。
【０１５０】
実施の形態２
次に、本発明の実施の形態２にかかるトレーニング用サポーターについて、図５を参照して説明する。図５（ａ）は本発明の実施の形態２にかかるトレーニング用サポーターの全体構成を示す正面図、（ｂ）は背面図、（ｃ）は本発明の実施の形態２にかかるトレーニング用サポーターを構成する一体の元地を示す展開図である。
【０１５１】
図５（ａ），（ｂ），（ｃ）に示されるように、本実施の形態２にかかるトレーニング用サポーター１０は、全体が伸縮性を有する生地としてのサテンネット（表地）及びパワーネット（裏地）を縫い合わせてなる元地１０Ａから構成されており、上記実施の形態１にかかるトレーニング用サポーター１と同様に、正面中央部から股下を通って股下部分で分岐して背面部に縫付けられる股部１０Ｂと、正面から背面に続いて設けられている開口部１０ｇの下のサポーター本体がそのままの幅で伸びて後中心部分で交差する１対のクロス部分１０ｄ，１０ｅを有している。
【０１５２】
また、股部１０Ｂの分岐部分１０ａ，１０ｂの先端がステッチ縫い１０ｉで背面部に縫付けられており、１対のクロス部分１０ｄ，１０ｅが後中心部分で交差してから正面まで回り込んで前中心ＦＣまで達し、前中心ＦＣにおいてジグザグ縫い１０ＦＣによって縫付けられている。１対のクロス部分１０ｄ，１０ｅの交差部分には、クロス部分１０ｄ，１０ｅの自由な伸縮を封じることなく、互いに離れることを防止するために、クロス部分１０ｅの裏側にループ７の両端が縫付けられており、クロス部分１０ｄはこのループ７の中を潜っている。
【０１５３】
これらの点については、上記実施の形態１にかかるトレーニング用サポーター１と同様である。本実施の形態２にかかるトレーニング用サポーター１０に特有な点は、図５（ｃ）に示されるように、かかる構成が、ループ７を除いて、一体の元地１０Ａから作り上げられている点である。
【０１５４】
即ち、図５（ｃ）に示される形状に切り出した伸縮性を有する生地としてのサテンネットからなる表地と、図５（ｃ）に示される形状に切り出した伸縮性を有する生地としてのパワーネットからなる裏地とを重ねて、ステッチ縫い１０ｆで前中心ＦＣの左右部分１０Ｒ，１０Ｌを除いて縁に沿って縫付け、前中心ＦＣの左右部分１０Ｒ，１０Ｌから手を入れて裏返すことによって、二枚の生地の袋縫いからなる一体の元地１０Ａが作成される。
【０１５５】
この袋縫いからなる元地１０Ａを、二点鎖線で示される右脇下１０ＳＲ，左脇下１０ＳＬ，右脇上１０ＵＲ，左脇上１０ＵＬの各位置で折り曲げて、１対のクロス部分１０ｄ，１０ｅを交差させ、元地１０Ａの両端ＦＣＲ，ＦＣＬを突き合わせて、図５（ａ）に示されるようにジグザグ縫い１０ＦＣで縫い合わせ、前中心ＦＣの左右部分１０Ｒ，１０Ｌをその下にステッチ縫い１０ｈで縫付ける。
【０１５６】
また、図５（ｂ）に示されるように、股部１０Ｂの分岐部分１０ａ，１０ｂを１対のクロス部分１０ｄ，１０ｅの下端にそれぞれステッチ縫い１０ｉで縫い付ける。そして、ループ７でクロス部分１０ｄを包むようにしてループ７の両端をクロス部分１０ｅの裏側に縫付ければ、本実施の形態２にかかるトレーニング用サポーター１０が完成する。
【０１５７】
ここで、図５（ｂ）に示されるように、股部１０Ｂの分岐部分１０ａ，１０ｂを縫付けているステッチ縫い１０ｉの縫い止まり点は、分岐部分１０ａ，１０ｂの内側においては、股部１０Ｂの分岐点１０ｃから約７ｃｍ（６．０ｃｍ〜８．０ｃｍ）離れており、分岐部分１０ａ，１０ｂの外側においては、内側のステッチ縫い１０ｉの縫い止まり点とほぼ対応する位置にあって、少なくとも着用者の肛門の位置ＨＣＰよりは上方にある。
【０１５８】
そして、図５（ｂ）に示されるように、股部１０Ｂの分岐部分１０ａ，１０ｂは、トレーニング用サポーター１０を着用したときに、着用者の肛門の位置ＨＣＰが分岐部分１０ａ，１０ｂの間の分岐点１０ｃの近傍（分岐点１０ｃから約１．５ｃｍ（１．０ｃｍ〜２．０ｃｍ）離れた点）に位置するように縫付けられている。
【０１５９】
これによって、本実施の形態２にかかるトレーニング用サポーター１０を下着の上に単独で、またはズボン（パンツ）・スカート等のボトムズの下に、或いはトレーニングパンツ・スパッツ等のトレーニングウェアの上から着用することによって、伸縮性を有する生地からなる股部１０Ｂの分岐部分１０ａ，１０ｂには伸縮性による引っ張り力がかかり、着用者の肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【０１６０】
そして、本実施の形態２にかかるトレーニング用サポーター１０を着用して、ウォーキング、ジョギング、エアロビクス、ヨガ、等のトレーニングをすることによって、筋肉に刺激が与えられ大臀筋・中臀筋が鍛えられて効果的にトレーニングをすることができ、美しいプロポーションを得ることができる。
【０１６１】
また、図５（ｂ）に示されるように、本実施の形態２にかかるトレーニング用サポーター１０においては、小さい窪みの位置ＨＥＰが伸縮性を有する生地からなる１対のクロス部分１０ｄ，１０ｅによって押えられるため、小尻になってヒップアップの効果も得られ、より美しいプロポーションを得ることができる。
【０１６２】
このようにして、本実施の形態２にかかるトレーニング用サポーター１０においては、意識しなくても単独で、またはズボン・パンツやスカート等の衣服の下や、トレーニングパンツ・スパッツ等のトレーニングウェアの上に着用するだけで、最適な引き締め力で肛門が引き締められて正しい姿勢をとることができ、さらに着用してトレーニングをするだけで筋肉に刺激を与え大臀筋・中臀筋が鍛えられて効果的にトレーニングをすることができ、美しいプロポーションを得ることができる。
【０１６３】
さらに、トレーニング用サポーター１０においては、伸縮性を有する生地からなる１対のクロス部分１０ｄ，１０ｅによって大臀筋が締め付けられるとともに大転子が押えられるため、着用してトレーニングをすることによってより効果的に大臀筋が鍛えられ、骨盤が矯正されるとともに上半身と下半身の間にひねりが生じて、意識しなくてもウォーキングの際に広い歩幅で一直線上を歩くことができて、大臀筋が引き締まり中臀筋が鍛えられるという作用効果が得られる。さらに、開口部１０ｇを設けているため、汗が開口部１０ｇから放散されて爽やかにトレーニングを行うことができるという作用効果が得られる。
【０１６４】
実施の形態３
次に、本発明の実施の形態３にかかるトレーニング用サポーターについて、図６乃至図１０を参照して説明する。
【０１６５】
図６（ａ）は本発明の実施の形態３にかかるトレーニング用サポーターの全体構成を示す正面図、（ｂ）は背面図、（ｃ）は本発明の実施の形態３にかかるトレーニング用サポーターを裏返した場合の全体構成を示す正面図、（ｄ）は背面図である。
【０１６６】
図７（ａ）は本発明の実施の形態３の第１変形例にかかるトレーニング用サポーターの全体構成を示す正面図、（ｂ）は背面図、（ｃ）は本発明の実施の形態３の第２変形例にかかるトレーニング用サポーターの全体構成を示す正面図、（ｄ）は背面図、（ｅ）は本発明の実施の形態３の第３変形例にかかるトレーニング用サポーターの全体構成を示す正面図、（ｆ）は背面図、（ｇ）は本発明の実施の形態３の第４変形例にかかるトレーニング用サポーターの全体構成を示す正面図、（ｈ）は背面図である。
【０１６７】
図８（ａ）は本発明の実施の形態３にかかるトレーニング用サポーターに用いられる羽根部材と肛門の位置及び左右１対の小さい窪みの位置との位置関係を示す図、（ｂ）は羽根部材と肛門の位置及び左右１対の小さい窪みの位置との別の位置関係を示す図、（ｃ）は羽根部材と肛門の位置及び左右１対の小さい窪みの位置とのさらに別の位置関係を示す図、（ｄ）は異なる羽根部材と肛門の位置との位置関係を示す図である。
【０１６８】
図９（ａ）〜（ｊ）は本発明の実施の形態３にかかるトレーニング用サポーターに用いられる羽根部材の様々な形状を示す図である。図１０（ａ）は本発明の実施の形態３にかかるトレーニング用サポーターに用いられる羽根部材の縫付け方法を示す図、（ｂ）は羽根部材の異なる縫付け方法を示す図、（ｃ）は羽根部材のさらに異なる縫付け方法を示す図である。
【０１６９】
図６（ａ）に示されるように、本実施の形態３にかかるトレーニング用サポーター１１は、伸縮性を有する生地としてのサテンネット（表地）及び伸縮性を有する生地としてのパワーネット（裏地）からなるサポーター本体１２を中心に構成されており、サポーター本体１２は、腰周りを覆う腹巻き状の部分に股部の前半分のみを形成するための突出部１２ａが一体となったものであり、後中心ＢＣにおいて縫い合わされており、伸縮性を有する生地としてのパワーネットからなる羽根部材１３を縫付けることによって初めて股部が形成される。
【０１７０】
したがって、サポーター本体１２は、本発明における「着用者の股下に当接する股部を有しないサポーター本体」に相当する。また、本実施の形態３にかかるトレーニング用サポーター１１は、「伸縮性を有する生地からなるサポーター本体と、略Ｙ字形の伸縮性を有する生地からなる羽根部材とを具備するトレーニング用サポーター」に相当する。
【０１７１】
そして、図６（ｄ）に示されるように、トレーニング用サポーター１１を裏返すと、サポーター本体１２の臀部裏側には、伸縮性を有する生地としてのパワーネットからなる羽根部材１３が直接縫付けられている。羽根部材１３は、後述するように（図１０（ａ）に示されるように）二枚のパワーネット生地を袋縫いしてなるものであり、１対の分岐部分１３ａ，１３ｂの先端及びその周囲の部分がステッチ縫い１３ｉによって、目の粗いパワーネット６の裏側に縫付けられている。
【０１７２】
一方、図６（ｃ）に示されるように、サポーター本体１２の突出部１２ａの裏側には、羽根部材１３の分岐していない側１３ｄの先端１３ｅがステッチ縫い１３ｈによって縫付けられている。したがって、羽根部材１３は、ステッチ縫い１３ｈによって分岐していない側１３ｄの先端１３ｅがサポーター本体１２の突出部１２ａに縫付けられた部分と、ステッチ縫い１３ｉによって１対の分岐部分１３ａ，１３ｂの先端及びその周囲の部分が目の粗いパワーネット６の裏側に縫付けられた部分との間は縫付けられておらず、フリーの状態になっている。
【０１７３】
１対の分岐部分１３ａ，１３ｂの内側におけるステッチ縫い１３ｉの縫い止まり点は、羽根部材１３の分岐点１３ｃから約７ｃｍ（６．０ｃｍ〜８．０ｃｍ）離れており、１対の分岐部分１３ａ，１３ｂの外側におけるステッチ縫い１３ｉの縫い止まり点は、内側のステッチ縫い１３ｉの縫い止まり点とほぼ対応する位置にあって、少なくとも着用者の肛門の位置ＨＣＰよりは上方にある。
【０１７４】
そして、図６（ｄ）に示されるように、羽根部材１３は、トレーニング用サポーター１１を着用したときに、着用者の肛門の位置ＨＣＰが１対の分岐部分１３ａ，１３ｂの間の分岐点１３ｃの近傍（分岐点１３ｃから約１．５ｃｍ（１．０ｃｍ〜２．０ｃｍ）離れた位置）にくるように縫付けられている。
【０１７５】
本発明者は、羽根部材１３についての１対の分岐部分１３ａ，１３ｂの先端及びその周囲の部分が縫付けられている端（縫い止まり点）から１対の分岐部分１３ａ，１３ｂの分岐点１３ｃまでの所定長さの最適範囲、及び着用者の肛門が当接する位置ＨＣＰが１対の分岐部分１３ａ，１３ｂの間にある場合の当該位置ＨＣＰから分岐点１３ｃまでの長さの最適範囲について、鋭意実験研究を重ねた結果、所定長さについては３ｃｍから１０ｃｍの範囲内、より好ましくは５ｃｍから８ｃｍの範囲内であり、当該位置ＨＣＰから分岐点１３ｃまでの長さについては０．５ｃｍから３．０ｃｍの範囲内、より好ましくは１．０ｃｍから２．０ｃｍの範囲内である場合に、最も適切に着用者の肛門を効果的に引き締め、肛門が軽く上に引き上げられて姿勢を正しくする効果が得られることを見出したものである。
【０１７６】
さらに、縫い止まり点から１対の分岐部分１３ａ，１３ｂの分岐点１３ｃまでの所定長さが約７ｃｍ（６．０ｃｍ〜８．０ｃｍ）の場合、及び当該位置ＨＣＰから分岐点１３ｃまでの距離が約１．５ｃｍ（１．０ｃｍ〜２．０ｃｍ）の場合が最も効果的に着用者の肛門を効果的に引き締め、肛門が軽く上に引き上げられて姿勢を正しくする効果が得られることを見出した。
【０１７７】
これによって、本実施の形態３にかかるトレーニング用サポーター１１を着用することによって、羽根部材１３には伸縮性による引っ張り力がかかり、着用者の肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【０１７８】
そして、本実施の形態３にかかるトレーニング用サポーター１１を着用して、ウォーキング、ジョギング、エアロビクス、ヨガ、等のトレーニングをすることによって、筋肉に刺激が与えられ大臀筋・中臀筋が鍛えられて効果的にトレーニングをすることができ、美しいプロポーションを得ることができる。
【０１７９】
また、図６（ｄ）に示されるように、本実施の形態３にかかるトレーニング用サポーター１１においては、小さい窪みの位置ＨＥＰが伸縮性を有する生地からなる１対のクロス部分４ａ，４ｂによって押えられるため、小尻になってヒップアップの効果も得られ、より美しいプロポーションを得ることができる。
【０１８０】
このようにして、本実施の形態３にかかるトレーニング用サポーター１１においては、意識しなくても単独で、またはズボン・パンツやスカート等の衣服の下や、トレーニングパンツ・スパッツ等のトレーニングウェアの上に着用するだけで、最適な引き締め力で肛門が引き締められて正しい姿勢をとることができ、さらに着用してトレーニングをするだけで筋肉に刺激を与え大臀筋・中臀筋が鍛えられて効果的にトレーニングをすることができ、美しいプロポーションを得ることができる。
【０１８１】
さらに、トレーニング用サポーター１１においては、伸縮性を有する生地からなる１対のクロス部分４ａ，４ｂによって大臀筋が締め付けられるとともに大転子が押えられるため、着用してトレーニングをすることによってより効果的に大臀筋が鍛えられ、骨盤が矯正されるとともに上半身と下半身の間にひねりが生じて、意識しなくてもウォーキングの際に広い歩幅で一直線上を歩くことができて、大臀筋が引き締まり中臀筋が鍛えられるという作用効果が得られる。
【０１８２】
さらに、開口部５を設けて通風生地としての目の粗いパワーネット６で塞いでいるため、開口部５から腹部または臀部の一部がはみ出ることを防ぎつつ、汗が開口部５から放散されて爽やかにトレーニングを行うことができるという作用効果が得られる。
【０１８３】
本実施の形態３にかかるトレーニング用サポーター１１の縫付けの手順について、図６を参照して説明する。図６（ａ），（ｂ），（ｃ），（ｄ）に示されるように、まずサポーター本体１２を構成するサテンネットからなる表地とパワーネットからなる裏地を上端部で裏側へ折り返し、この折り返し部分をステッチで縫い合わせ、サポーター本体１２の後中心ＢＣも縫い合わせる。さらに、開口部５の裏側から目の粗いパワーネット６を縫付ける。
【０１８４】
次に、図６（ｄ）に示されるように、羽根部材１３の１対の分岐部分１３ａ，１３ｂを目の粗いパワーネット６の臀部の下にステッチ縫い１３ｉで縫付け、図６（ｃ）に示されるように、羽根部材１３の分岐していない側１３ｄの端１３ｅをサポーター本体１２の突出部１２ａにステッチ縫い１３ｈで縫付ける。
【０１８５】
それから、クロス部分４ｂの裏側にループ７の両端を縫付け、ループ７により小さいループ８を通して小さいループ８の両端を目の粗いパワーネット６を縫付けた後に、まずループ７の中にクロス部分４ａを潜らせて、糸ループ９によってサポーター本体１２の左脇部に支持し、続いてクロス部分４ｂを前方へ回り込ませて、同様に糸ループ９で支持する。そして、前中心ＦＣの上でクロス部分４ａとクロス部分４ｂを互いに縫い合わせた後に、クロス部分４ａ，４ｂの中心をジグザグ縫い４ｃでサポーター本体１２に縫付ければ、トレーニング用サポーター１１が完成する。
【０１８６】
勿論、以上述べた縫製の手順は標準的な手順の一例を説明したものであり、これ以外にも種々の手順によってトレーニング用サポーター１１を縫製することが可能である。また、小さいループ８でループ７を目の粗いパワーネット６に留めるとともに、糸ループ９でクロス部分４ａ，４ｂを支持することによって、トレーニング用サポーター１１の着用がより容易になるが、小さいループ８のみまたは糸ループ９のみを用いることによっても、トレーニング用サポーター１１の着用が容易になるという作用効果が得られる。
【０１８７】
さらに、糸ループ９でクロス部分４ａ，４ｂを支持する位置は、両脇部に限られず、両脇部より正面側でも背面側でも良い。
【０１８８】
次に、本実施の形態３の第１変形例にかかるトレーニング用サポーター１１Ａについて、図７（ａ），（ｂ）を参照して説明する。なお、トレーニング用サポーター１１Ａの構成は、一部を除いて上記トレーニング用サポーター１１と同様であるため、同一の部分には同一の符号を付して説明を省略する。
【０１８９】
図７（ａ）に示されるように、本実施の形態３の第１変形例にかかるトレーニング用サポーター１１Ａが上記トレーニング用サポーター１１と異なるのは、１対のクロス部分４Ａａ，４Ａｂの長さが１対のクロス部分４ａ，４ｂよりも短く、サポーター本体１２の前中心まで到達していない点のみである。
【０１９０】
したがって、本実施の形態３の第１変形例にかかるトレーニング用サポーター１１Ａを下着の上に単独で、またはズボン（パンツ）・スカート等のボトムズの下に、或いはトレーニングパンツ・スパッツ等のトレーニングウェアの上から着用することによって、伸縮性を有する生地からなる羽根部材１３の１対の分岐部分１３ａ，１３ｂには伸縮性による引っ張り力がかかり、着用者の肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【０１９１】
そして、トレーニング用サポーター１１Ａを着用して、ウォーキング、ジョギング、エアロビクス、ヨガ、等のトレーニングをすることによって、筋肉に刺激が与えられ大臀筋・中臀筋が鍛えられて効果的にトレーニングをすることができ、美しいプロポーションを得ることができる。
【０１９２】
さらに、図７（ｂ）に示されるように、本実施の形態３の第１変形例にかかるトレーニング用サポーター１１Ａにおいては、小さい窪みの位置ＨＥＰが伸縮性を有する生地からなる１対のクロス部分４Ａａ，４Ａｂによって押えられるため、小尻になってヒップアップの効果も得られ、より美しいプロポーションを得ることができる。
【０１９３】
次に、本実施の形態３の第２変形例にかかるトレーニング用サポーター１１Ｂについて、図７（ｃ），（ｄ）を参照して説明する。なお、トレーニング用サポーター１１Ｂの構成は、一部を除いて上記トレーニング用サポーター１１Ａと同様であるため、同一の部分には同一の符号を付して説明を省略する。
【０１９４】
図７（ｄ）に示されるように、本実施の形態３の第２変形例にかかるトレーニング用サポーター１１Ｂが上記トレーニング用サポーター１１Ａと異なるのは、サポーター本体１２の背面部が１対のクロス部分４Ａａ，４Ａｂを除いて、通風生地としての目の粗いパワーネット６Ｂで構成されている点のみである。
【０１９５】
したがって、本実施の形態３の第２変形例にかかるトレーニング用サポーター１１Ｂを下着の上に単独で、またはズボン（パンツ）・スカート等のボトムズの下に、或いはトレーニングパンツ・スパッツ等のトレーニングウェアの上から着用することによって、伸縮性を有する生地からなる羽根部財１３の１対の分岐部分１３ａ，１３ｂには伸縮性による引っ張り力がかかり、着用者の肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【０１９６】
そして、トレーニング用サポーター１１Ｂを着用して、ウォーキング、ジョギング、エアロビクス、ヨガ、等のトレーニングをすることによって、筋肉に刺激が与えられ大臀筋・中臀筋が鍛えられて効果的にトレーニングをすることができ、美しいプロポーションを得ることができる。
【０１９７】
さらに、図７（ｄ）に示されるように、本実施の形態３の第２変形例にかかるトレーニング用サポーター１１Ｂにおいても、小さい窪みの位置ＨＥＰが伸縮性を有する生地からなる１対のクロス部分４Ａａ，４Ａｂによって押えられるため、小尻になってヒップアップの効果も得られ、より美しいプロポーションを得ることができる。また、通風生地としての目の粗いパワーネット６Ｂの占める面積が大きいため、より汗がこもり難くなり、より爽やかにトレーニングを行うことができる。
【０１９８】
次に、本実施の形態３の第３変形例にかかるトレーニング用サポーター１１Ｃについて、図７（ｅ），（ｆ）を参照して説明する。なお、トレーニング用サポーター１１Ｃの構成は、一部を除いて上記トレーニング用サポーター１１Ｂと同様であるため、同一の部分には同一の符号を付して説明を省略する。
【０１９９】
図７（ｅ）に示されるように、本実施の形態３の第３変形例にかかるトレーニング用サポーター１１Ｃが上記トレーニング用サポーター１１Ｂと異なるのは、１対のクロス部分４ａ，４ｂの長さが１対のクロス部分４Ａａ，４Ａｂよりも長く、サポーター本体１２Ｂの前中心まで到達している点のみである。
【０２００】
したがって、本実施の形態３の第３変形例にかかるトレーニング用サポーター１１Ｃを下着の上に単独で、またはズボン（パンツ）・スカート等のボトムズの下に、或いはトレーニングパンツ・スパッツ等のトレーニングウェアの上から着用することによって、伸縮性を有する生地からなる羽根部財１３の１対の分岐部分１３ａ，１３ｂには伸縮性による引っ張り力がかかり、着用者の肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【０２０１】
そして、トレーニング用サポーター１１Ｃを着用して、ウォーキング、ジョギング、エアロビクス、ヨガ、等のトレーニングをすることによって、筋肉に刺激が与えられ大臀筋・中臀筋が鍛えられて効果的にトレーニングをすることができ、美しいプロポーションを得ることができる。
【０２０２】
さらに、図７（ｆ）に示されるように、本実施の形態３の第３変形例にかかるトレーニング用サポーター１１Ｃにおいても、小さい窪みの位置ＨＥＰが伸縮性を有する生地からなる１対のクロス部分４ａ，４ｂによって押えられるため、小尻になってヒップアップの効果も得られ、より美しいプロポーションを得ることができる。また、通風生地としての目の粗いパワーネット６Ｂの占める面積が大きいため、より汗がこもり難くなり、より爽やかにトレーニングを行うことができる。
【０２０３】
次に、本実施の形態３の第４変形例にかかるトレーニング用サポーター１１Ｄについて、図７（ｇ），（ｈ）を参照して説明する。なお、トレーニング用サポーター１１Ｄの構成は、一部を除いて上記トレーニング用サポーター１１Ｃと同様である。
【０２０４】
図７（ｇ）に示されるように、本実施の形態３の第４変形例にかかるトレーニング用サポーター１１Ｄが上記トレーニング用サポーター１１Ｃと異なるのは、１対のクロス部分４Ｄａ，４Ｄｂの長さが１対のクロス部分４ａ，４ｂよりも短く、サポーター本体１２Ｄの両脇部までしか到達していない点のみである。また、図７（ｈ）に示されるように、トレーニング用サポーター１１Ｄにおいては、背面部の通風生地としての目の粗いパワーネット６Ｄが二枚の生地から構成されているが、実質的な相違ではない。
【０２０５】
したがって、本実施の形態３の第４変形例にかかるトレーニング用サポーター１１Ｄを下着の上に単独で、またはズボン（パンツ）・スカート等のボトムズの下に、或いはトレーニングパンツ・スパッツ等のトレーニングウェアの上から着用することによって、伸縮性を有する生地からなる羽根部財１３の１対の分岐部分１３ａ，１３ｂには伸縮性による引っ張り力がかかり、着用者の肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【０２０６】
そして、トレーニング用サポーター１１Ｄを着用して、ウォーキング、ジョギング、エアロビクス、ヨガ、等のトレーニングをすることによって、筋肉に刺激が与えられ大臀筋・中臀筋が鍛えられて効果的にトレーニングをすることができ、美しいプロポーションを得ることができる。
【０２０７】
さらに、図７（ｈ）に示されるように、本実施の形態３の第４変形例にかかるトレーニング用サポーター１１Ｄにおいても、小さい窪みの位置ＨＥＰが伸縮性を有する生地からなる１対のクロス部分４Ｄａ，４Ｄｂによって押えられるため、小尻になってヒップアップの効果も得られ、より美しいプロポーションを得ることができる。また、通風生地としての目の粗いパワーネット６Ｄの占める面積が大きいため、より汗がこもり難くなり、より爽やかにトレーニングを行うことができる。
【０２０８】
このようにして、本実施の形態３にかかるトレーニング用サポーター１１，１１Ａ，１１Ｂ，１１Ｃ，１１Ｄにおいては、意識しなくても単独で、またはズボン・パンツやスカート等の衣服の下や、トレーニングパンツ・スパッツ等のトレーニングウェアの上に着用するだけで、肛門が引き締められて正しい姿勢をとることができ、さらに着用してトレーニングをするだけで筋肉に刺激を与え大臀筋・中臀筋が鍛えられて効果的にトレーニングをすることができ、美しいプロポーションを得ることができる。
【０２０９】
さらに、トレーニング用サポーター１１，１１Ａ，１１Ｂ，１１Ｃ，１１Ｄにおいては、伸縮性を有する生地からなる１対のクロス部分４ａ，４ｂ，４Ａａ，４Ａｂ，４Ｄａ，４Ｄｂによって大臀筋が締め付けられるとともに大転子が押えられるため、着用してトレーニングをすることによってより効果的に大臀筋が鍛えられ、骨盤が矯正されるとともに上半身と下半身の間にひねりが生じて、意識しなくてもウォーキングの際に広い歩幅で一直線上を歩くことができて、大臀筋が引き締まり中臀筋が鍛えられるという作用効果が得られる。
【０２１０】
さらに、開口部５，５Ｂを設けて通風生地としての目の粗いパワーネット６，６Ｂ，６Ｄで塞いでいるため、開口部５，５Ｂから腹部または臀部の一部がはみ出ることを防ぎつつ、汗が開口部５，５Ｂから放散されて爽やかにトレーニングを行うことができるという作用効果が得られる。
【０２１１】
次に、これらのトレーニング用サポーター１１，１１Ａ，１１Ｂ，１１Ｃ，１１Ｄに用いられている羽根部財１３の肛門の引き締め効果と肛門との位置関係について、図８を参照して説明する。
【０２１２】
図８（ａ）に示されるように、トレーニング用サポーター１１等を着用した場合には、着用者の肛門の位置ＨＣＰは羽根部材１３の１対の分岐部分１３ａ，１３ｂの間にあり、着用者の肛門の位置ＨＣＰは羽根部材１３の１対の分岐部分１３ａ，１３ｂの分岐点１３ｃから１．５ｃｍの位置にある。また、羽根部材１３の１対の分岐部分１３ａ，１３ｂを目の粗いパワーネット６の裏側に縫付けるステッチ縫い１３ｉの先端から分岐点１３ｃまでの長さは、７ｃｍである。そして、左右１対の笑窪様の小さい窪みの位置ＨＥＰは、羽根部材１３の１対の分岐部分１３ａ，１３ｂによって覆われている。
【０２１３】
したがって、図８（ａ）に示されるように、羽根部材１３には、ステッチ縫い５ｈによって分岐していない側１３ｄの先端１３ｅが縫付けられた部分とステッチ縫い５ｉによって目の粗いパワーネット６の裏側に縫付けられた１対の分岐部分１３ａ，１３ｂとの間が縫付けられていないため、矢印で示されるように伸縮性による引っ張り力がかかり、着用者の肛門が効果的に引き締められる。そして、肛門が引き締められると臀部に生ずる小さい窪みの位置ＨＥＰが１対の分岐部分１３ａ，１３ｂによって押えられるため、着用者の臀部が引き締まって小尻になるとともにヒップアップの効果が得られる。
【０２１４】
また、図８（ｂ）に示される羽根部材１３においても、着用者の肛門の位置ＨＣＰは羽根部材１３の１対の分岐部分１３ａ，１３ｂの間にあり、着用者の肛門の位置ＨＣＰは羽根部材１３の１対の分岐部分１３ａ，１３ｂの分岐点１３ｃから２．０ｃｍの位置にある。また、羽根部材１３の１対の分岐部分１３ａ，１３ｂを目の粗いパワーネット６の裏側に縫付けるステッチ縫い１３ｉの先端から分岐点１３ｃまでの長さは、８ｃｍである。そして、左右１対の笑窪様の小さい窪みの位置ＨＥＰは、羽根部材１３の１対の分岐部分１３ａ，１３ｂによって覆われている。
【０２１５】
したがって、図８（ｂ）に示されるように、羽根部材１３には、ステッチ縫い５ｈによって分岐していない側１３ｄの先端１３ｅが縫付けられた部分とステッチ縫い５ｉによって目の粗いパワーネット６の裏側に縫付けられた１対の分岐部分１３ａ，１３ｂとの間が縫付けられていないため、矢印で示されるように伸縮性による引っ張り力がかかり、着用者の肛門が効果的に引き締められる。そして、肛門が引き締められると臀部に生ずる小さい窪みの位置ＨＥＰが１対の分岐部分１３ａ，１３ｂによって押えられるため、着用者の臀部が引き締まって小尻になるとともにヒップアップの効果が得られる。
【０２１６】
これに対して、図８（ｃ）に示される羽根部材１３においては、着用者の肛門の位置ＨＣＰが１対の分岐部分１３ａ，１３ｂの間になく、羽根部材１３の下に位置しているため、着用者の肛門を引き締める効果がやや弱くなる。しかし、着用者の肛門の位置ＨＣＰが分岐点１３ｃの近傍に位置しているため、効果は多少低下するが、矢印で示されるように伸縮性による引っ張り力がかかり、やはり着用者の肛門を引き締める効果が得られ、これによって臀部に左右１対の笑窪様の小さい窪みが生じ、これらの小さい窪みの位置ＨＥＰが１対の分岐部分１３ａ，１３ｂによって押えられるため、着用者の臀部が引き締まって小尻になるとともにヒップアップの効果が得られる。
【０２１７】
また、図８（ｄ）に示される羽根部材１３Ｂは、本実施の形態３にかかる羽根部材１３と形状は異なるものの、やはり伸縮性を有する生地としてのパワーネットからなり、左右１対の分岐部分１３Ｂａ，１３Ｂｂを有し、それらの間に着用者の肛門の位置ＨＣＰが位置しており、１対の分岐部分１３Ｂａ，１３Ｂｂの分岐点１３Ｂｃから１．０ｃｍの位置にある。また、羽根部材１３Ｂの１対の分岐部分１３Ｂａ，１３Ｂｂを縫付けるステッチ縫い１３Ｂｉの先端から分岐点１３Ｂｃまでの長さは、５ｃｍである。
【０２１８】
したがって、羽根部材１３Ｂを有するトレーニング用サポーターを着用した場合には、着用者の肛門が効果的に引き締められる。そして、肛門が引き締められると臀部に生ずる小さい窪みは羽根部材１３Ｂによって直接は押えられないが、サポーター本体を介して間接的に押えられるため、着用者の臀部が引き締まって小尻になるとともにヒップアップの効果が得られる。
【０２１９】
その他にも、本実施の形態３にかかる羽根部材１３を用いてトレーニング用サポーターを作製し、着用者の肛門の位置ＨＣＰが羽根部材１３の１対の分岐部分１３ａ，１３ｂの分岐点１３ｃから０．５ｃｍの位置にある場合、３．０ｃｍの位置にある場合について、また羽根部材１３の１対の分岐部分１３ａ，１３ｂを目の粗いパワーネット６の裏側に縫付けるステッチ縫い１３ｉの先端から分岐点１３ｃまでの長さが３ｃｍの場合、１０ｃｍの場合について肛門引き締め効果の実験を行った。
【０２２０】
その結果、いずれの場合にも、着用者の肛門が効果的に引き締められることが判明した。したがって、着用者の肛門の位置ＨＣＰが羽根部材１３の１対の分岐部分１３ａ，１３ｂの分岐点１３ｃから０．５ｃｍから３．０ｃｍの範囲内にある場合、及び羽根部材１３の１対の分岐部分１３ａ，１３ｂを目の粗いパワーネット６の裏側に縫付けるステッチ縫い１３ｉの先端から分岐点１３ｃまでの長さが３ｃｍから１０ｃｍの範囲内にある場合が、肛門引き締め効果について好ましい。
【０２２１】
さらに、着用者の肛門の位置ＨＣＰが羽根部材１３の１対の分岐部分１３ａ，１３ｂの分岐点１３ｃから１．０ｃｍ，１．５ｃｍ，２．０ｃｍの距離にある場合、及び羽根部材１３の１対の分岐部分１３ａ，１３ｂを目の粗いパワーネット６の裏側に縫付けるステッチ縫い１３ｉの先端から分岐点１３ｃまでの長さが５ｃｍ，７ｃｍ，８ｃｍの場合に、着用者の肛門がより効果的に引き締められることが判明した。
【０２２２】
したがって、着用者の肛門の位置ＨＣＰが羽根部材１３の１対の分岐部分１３ａ，１３ｂの分岐点１３ｃから１．０ｃｍから２．０ｃｍの範囲内にある場合、及び羽根部材１３の１対の分岐部分１３ａ，１３ｂを目の粗いパワーネット６の裏側に縫付けるステッチ縫い１３ｉの先端から分岐点１３ｃまでの長さが５ｃｍから８ｃｍの範囲内にある場合が、肛門引き締め効果についてより好ましい。
【０２２３】
次に、本実施の形態３にかかるトレーニング用サポーター１１，１１Ａ，１１Ｂ，１１Ｃ，１１Ｄに用いることができる羽根部材の形状のバリエーションについて、図９を参照して説明する。図９（ａ）〜（ｊ）に示されるように、本実施の形態３にかかるトレーニング用サポーター１１，１１Ａ，１１Ｂ，１１Ｃ，１１Ｄの羽根部材としては、略Ｙ字形の様々な形状のものを用いることができる。
【０２２４】
図９（ａ）に示される羽根部材１３Ｃは、１対の分岐部分１３Ｃａ，１３Ｃｂの先端が尖った形状となっている。そして、着用者の肛門の位置ＨＣＰが１対の分岐部分１３Ｃａ，１３Ｃｂの間の分岐点１３Ｃｃの近傍にあり、１対の小さい窪みの位置ＨＥＰが１対の分岐部分１３Ｃａ，１３Ｃｂで押えられる位置にあるため、着用者の肛門を効果的に引き締めることができ、着用者の臀部が引き締まって小尻になるとともにヒップアップの効果も得られる。
【０２２５】
図９（ｂ）に示される羽根部材１３Ｄは、１対の分岐部分１３Ｄａ，１３Ｄｂが小さいため、１対の小さい窪みの位置ＨＥＰを直接押えることはできないが、目の粗いパワーネット６を介して間接的に押えることができる。そして、着用者の肛門の位置ＨＣＰが１対の分岐部分５Ｄａ，５Ｄｂの間の分岐点５Ｄｃの近傍にあるため、着用者の肛門を効果的に引き締めることができ、着用者の臀部が引き締まって小尻になるとともにヒップアップの効果も得られる。
【０２２６】
図９（ｃ）に示される羽根部材１３Ｅも、１対の分岐部分１３Ｅａ，１３Ｅｂが小さいため、１対の小さい窪みの位置ＨＥＰを直接押えることはできないが、目の粗いパワーネット６を介して間接的に押えることができる。そして、着用者の肛門の位置ＨＣＰが１対の分岐部分１３Ｅａ，１３Ｅｂの間の分岐点１３Ｅｃの近傍にあるため、着用者の肛門を効果的に引き締めることができ、着用者の臀部が引き締まって小尻になるとともにヒップアップの効果も得られる。
【０２２７】
図９（ｄ）に示される羽根部材１３Ｆも、１対の分岐部分１３Ｆａ，１３Ｆｂが小さいため、１対の小さい窪みの位置ＨＥＰを直接押えることはできないが、目の粗いパワーネット６を介して間接的に押えることができる。また、１対の分岐部分１３Ｆａ，１３Ｆｂの先端が丸みのある形状となっているため、縫製を短時間で行うことができる。そして、着用者の肛門の位置ＨＣＰが１対の分岐部分１３Ｆａ，１３Ｆｂの間の分岐点１３Ｆｃの近傍にあるため、着用者の肛門を効果的に引き締めることができ、着用者の臀部が引き締まって小尻になるとともにヒップアップの効果も得られる。
【０２２８】
図９（ｅ）に示される羽根部材１３Ｇは、１対の分岐部分１３Ｇａ，１３Ｇｂが太いが短いため、やはり１対の小さい窪みの位置ＨＥＰを直接押えることはできないが、目の粗いパワーネット６を介して間接的に押えることができる。そして、着用者の肛門の位置ＨＣＰが１対の分岐部分１３Ｇａ，１３Ｇｂの間の分岐点１３Ｇｃの近傍にあるため、着用者の肛門を効果的に引き締めることができ、着用者の臀部が引き締まって小尻になるとともにヒップアップの効果も得られる。
【０２２９】
図９（ｆ）に示される羽根部材１３Ｈは、１対の分岐部分１３Ｈａ，１３Ｈｂの長さは長いが縦に伸びた形状をしているため、１対の小さい窪みの位置ＨＥＰを覆っておらず、やはり１対の小さい窪みを直接押えることはできないが、目の粗いパワーネット６を介して間接的に押えることができる。そして、着用者の肛門の位置ＨＣＰが１対の分岐部分１３Ｈａ，１３Ｈｂの間の分岐点１３Ｈｃの近傍にあるため、着用者の肛門を効果的に引き締めることができ、着用者の臀部が引き締まって小尻になるとともにヒップアップの効果も得られる。
【０２３０】
図９（ｇ）に示される羽根部材１３Ｊも、１対の分岐部分１３Ｊａ，１３Ｊｂの長さは長いが横に拡がった形状をしているため、１対の小さい窪みの位置ＨＥＰを覆っておらず、やはり１対の小さい窪みを直接押えることはできないが、目の粗いパワーネット６を介して間接的に押えることができる。そして、着用者の肛門の位置ＨＣＰが１対の分岐部分１３Ｊａ，１３Ｊｂの間の分岐点１３Ｊｃの近傍にあるため、着用者の肛門を効果的に引き締めることができ、着用者の臀部が引き締まって小尻になるとともにヒップアップの効果も得られる。
【０２３１】
図９（ｈ）に示される羽根部材１３Ｋは、１対の分岐部分１３Ｋａ，１３Ｋｂが四角い形状をしているが長さが短いため、やはり１対の小さい窪みの位置ＨＥＰを直接押えることはできないが、目の粗いパワーネット６を介して間接的に押えることができる。そして、着用者の肛門の位置ＨＣＰが１対の分岐部分１３Ｋａ，１３Ｋｂの間の分岐点１３Ｋｃの近傍にあるため、着用者の肛門を効果的に引き締めることができ、着用者の臀部が引き締まって小尻になるとともにヒップアップの効果も得られる。
【０２３２】
図９（ｉ）に示される羽根部材１３Ｌは、１対の分岐部分１３Ｌａ，１３Ｌｂがさらにそれぞれ部分１３Ｌａ１，１３Ｌａ２と部分１３Ｌｂ１，１３Ｌｂ２の二つに分岐しているが、肛門を引き締める効果に変わりはない。また、やはり１対の小さい窪みの位置ＨＥＰを直接押えることはできないが、目の粗いパワーネット６を介して間接的に押えることができる。そして、着用者の肛門の位置ＨＣＰが１対の分岐部分１３Ｌａ，１３Ｌｂの間の分岐点１３Ｌｃの近傍にあるため、着用者の肛門を効果的に引き締めることができ、着用者の臀部が引き締まって小尻になるとともにヒップアップの効果も得られる。
【０２３３】
図９（ｊ）に示される羽根部材１３Ｍは、１対の分岐部分１３Ｍａ，１３Ｍｂがさらにそれぞれ部分１３Ｍａ１，１３Ｍａ２，１３Ｍａ３と部分１３Ｍｂ１，１３Ｍｂ２，１３Ｍｂ３の三つに分岐しているが、肛門を引き締める効果に変わりはない。また、やはり１対の小さい窪みの位置ＨＥＰを直接押えることはできないが、目の粗いパワーネット６を介して間接的に押えることができる。そして、着用者の肛門の位置ＨＣＰが１対の分岐部分１３Ｍａ，１３Ｍｂの間の分岐点１３Ｍｃの近傍にあるため、着用者の肛門ＨＣを効果的に引き締めることができ、着用者の臀部が引き締まって小尻になるとともにヒップアップの効果も得られる。
【０２３４】
なお、これらの図８及び図９（ａ）〜（ｊ）に示される羽根部材１３，１３Ｂ，１３Ｃ，１３Ｄ，１３Ｅ，１３Ｆ，１３Ｇ，１３Ｈ，１３Ｊ，１３Ｋ，１３Ｌ，１３Ｍの形状は例示に過ぎず、本実施の形態３にかかるトレーニング用サポーター１１，１１Ａ，１１Ｂ，１１Ｃ，１１Ｄの羽根部材としては、１対の分岐部分を有する略Ｙ字形のものであれば、これら以外にも様々な形状のものを用いることができる。
【０２３５】
次に、本実施の形態３にかかるトレーニング用サポーター１１，１１Ａ，１１Ｂ，１１Ｃ，１１Ｄに用いられる羽根部材の縫製の方法について、図１０を参照して説明する。図１０（ａ）に示されるように、本実施の形態３にかかるトレーニング用サポーター１１，１１Ａ，１１Ｂ，１１Ｃ，１１Ｄに用いられる羽根部材１３は、二枚のパワーネット生地をいわゆる袋縫いすることによって縫製されている。
【０２３６】
即ち、図１０（ａ）に示される同じ形状の二枚のパワーネット生地を切り出し、重ねて生地の縁に沿って１対の分岐部分１３ａ，１３ｂの裏側、分岐点１３ｃの裏側、分岐していない側１３ｄの裏側をステッチ縫い（ミシン縫い）１３ｆで縫い合わせる。そして、縫い合わされていない分岐していない側の端１３ｅから手を入れてひっくり返すことによって、図１０（ａ）に示されるように、ステッチ縫い（ミシン縫い）１３ｆの縫い目が表側に出ない袋縫いによる二枚のパワーネット生地からなる強い伸縮性を有する羽根部材１３が完成する。
【０２３７】
図１０（ｂ）に示される羽根部材１３Ｎは、形状は羽根部材１３と同様であるが、一枚のパワーネット生地を図１０（ｂ）に示される形状に切り出して、１対の分岐部分１０Ｎａ，１０Ｎｂ、分岐点１０Ｎｃ、分岐していない側１０Ｎｄにおいて生地の縁をジグザグ縫い１０Ｎｆで裁ち目かがりしたものである。このように一枚のパワーネット生地からなる羽根部材１３Ｎであっても、十分な肛門の引き締め効果が得られる。
【０２３８】
なお、裁ち目かがりの方法としては、ジグザグ縫い１３Ｎｆに限られず、ロック縫い等によっても良い。また、同じ形状の二枚のパワーネット生地を重ねて、縁をジグザグ縫い１３Ｎｆで縫付けることによって、二枚のパワーネット生地からなる羽根部材を縫製することもできる。さらに、同じ形状の三枚以上のパワーネット生地を重ねて、縁をジグザグ縫い１３Ｎｆで縫付けることによって、三枚以上のパワーネット生地からなる羽根部材を縫製することも可能である。これによって、より強力な肛門の引き締め効果を得ることができる。
【０２３９】
図１０（ｃ）に示される羽根部材１３Ｐは、全体の形状は羽根部材１３と同様であるが、中心線で分割された二つの部分を中心接ぎ縫い１３Ｐｇで接いでなるものである。即ち、図１０（ｃ）に示される形状を中心接ぎ縫い１３Ｐｇの部分で左右対称に分割した形状のパワーネット生地をそれぞれ二枚ずつ切り出して、１対の分岐部分１３Ｐａ，１３Ｐｂ、分岐点１３Ｐｃ、分岐していない側１３Ｐｄの外側の裏側をステッチ縫い（ミシン縫い）１３Ｐｆで縫い合わせる。
【０２４０】
そして、縫い合わされていない分岐していない側１３Ｐｄの内側から手を入れてひっくり返すことによってできた袋縫いの左右対称の部分を、図１０（ｃ）に示されるように、中心接ぎ縫い１３Ｐｇで縫い合わせることによって、羽根部材１３Ｐが完成する。この縫製方法は、中心接ぎ縫い１３Ｐｇを行わなければならないため工数は掛かるが、ステッチ縫い（ミシン縫い）１３Ｐｆが容易で、ひっくり返す作業も行い易いという利点がある。
【０２４１】
なお、本実施の形態３においては、伸縮性を有する生地としてパワーネットを使用した場合について説明したが、サテンネット、ストレッチレースを始めとして他の伸縮性を有する生地を用いても良い。また、サポーター本体１２と羽根部材１３とをそれぞれ異なる種類の伸縮性を有する生地から作製しても良い。
【０２４２】
実施の形態４
次に、本発明の実施の形態４にかかるトレーニング用サポーターについて、図１１及び図１２を参照して説明する。
【０２４３】
図１１（ａ）は本発明の実施の形態４にかかるトレーニング用サポーターの全体構成を示す正面図、（ｂ）は背面図、（ｃ）は本発明の実施の形態４にかかるトレーニング用サポーターを裏返した場合の全体構成を示す正面図、（ｄ）は背面図である。
【０２４４】
図１２（ａ）は本発明の実施の形態４の第１変形例にかかるトレーニング用サポーターの全体構成を示す正面図、（ｂ）は背面図、（ｃ）は本発明の実施の形態４の第２変形例にかかるトレーニング用サポーターの全体構成を示す正面図、（ｄ）は背面図、（ｅ）は本発明の実施の形態４の第３変形例にかかるトレーニング用サポーターの全体構成を示す正面図、（ｆ）は背面図、（ｇ）は本発明の実施の形態４の第４変形例にかかるトレーニング用サポーターの全体構成を示す正面図、（ｈ）は背面図である。
【０２４５】
図１１（ａ）に示されるように、本実施の形態４にかかるトレーニング用サポーター１６は、伸縮性を有する生地としてのサテンネットからなる表地に、伸縮性を有する生地としてのパワーネットからなる裏地を縫い合わせてなるサポーター本体１７を中心として構成されている。サポーター本体１７は、正面中央部から股下を通って股下部分で分岐してサポーター本体１７の背面部に縫付けられる股部１８と、正面から背面に続いて設けられている開口部２０と、この開口部２０の下のサポーター本体１７がそのままの幅で伸びて後中心ＢＣ部分で交差する１対のクロス部分１９ａ，１９ｂとを有している。
【０２４６】
そして、図１１（ａ），（ｃ）に示されるように、股部１８の正面中央部分には前部開口部１８ｆが設けられており、その両側が前部分岐部分１８ｄ，１８ｅとなっている。したがって、本実施の形態４にかかるトレーニング用サポーター１６は、上記実施の形態１〜実施の形態３にかかるトレーニング用サポーターと同様に、男性・女性を問わず使用することができるが、特に男性が使用する場合に便利な構造になっている。
【０２４７】
図１１（ｂ），（ｃ）に示されるように、開口部２０は、裏側から通風生地としての目の粗いパワーネット２１が縫付けられることによって塞がれている。なお、図１１において、通風生地としての目の粗いパワーネット２１の部分のみに網目模様のハッチングを施したのは、サポーター本体１７，股部１８及びクロス部分１９ａ，１９ｂと区別し易くするためであり、網目模様の大きさは通風生地としての目の粗いパワーネット２１の網目の大きさを表すものではない（以下の各図においても同様である。）。
【０２４８】
図１１（ａ），（ｂ）に示されるように、１対のクロス部分１９ａ，１９ｂは、後中心ＢＣ部分で交差してから正面まで回り込んで、サポーター本体１７の前中心ＦＣまで達し、前中心ＦＣにおいてジグザグ縫い１９ｃによってサポーター本体１７に縫付けられている。１対のクロス部分１９ａ，１９ｂの交差部分には、クロス部分１９ａ，１９ｂの自由な伸縮を封じることなく、互いに離れることを防止するために、クロス部分１９ｂの裏側にループ２２の両端が縫付けられており、クロス部分１９ａはこのループ２２の中を潜っている。
【０２４９】
さらに、ループ２２は目の粗いパワーネット２１に両端を縫付けられた、小さいループ２３の中を潜って取付けられている。また、クロス部分１９ａ，１９ｂは両脇部において、糸ループ９によってサポーター本体１７に縫付けられている。これらによって、１対のクロス部分１９ａ，１９ｂが自らの重みによってサポーター本体１７から離れてしまう事態が防止され、トレーニング用サポーター１６の着用がより容易になるという作用効果が得られる。
【０２５０】
さらに、トレーニング用サポーター１６を裏返した状態を示す図１１（ｃ），（ｄ）に示されるように、股部１８の分岐部分１８ａ，１８ｂはステッチ縫い１８ｉによって、サポーター本体１７の背面下端に縫付けられている。ステッチ縫い１８ｉの縫い止まり点は、分岐部分１８ａ，１８ｂの内側においては、分岐点１８ｃから約７ｃｍ（６．０ｃｍ〜８．０ｃｍ）離れており、分岐部分１８ａ，１８ｂの外側においては、内側のステッチ縫い１８ｉの縫い止まり点とほぼ対応する位置にあって、少なくとも着用者の肛門の位置ＨＣＰよりは上方にある。
【０２５１】
そして、図１１（ｄ）に示されるように、股部１８の分岐部分１８ａ，１８ｂは、トレーニング用サポーター１６を着用したときに、着用者の肛門の位置ＨＣＰが分岐部分１８ａ，１８ｂの間の分岐点１８ｃの近傍（分岐点１８ｃから約１．５ｃｍ（１．０ｃｍ〜２．０ｃｍ）離れた点）に位置するように縫付けられている。
【０２５２】
これによって、本実施の形態４にかかるトレーニング用サポーター１６を下着の上に単独で、またはズボン（パンツ）・スカート等のボトムズの下に、或いはトレーニングパンツ・スパッツ等のトレーニングウェアの上から着用することによって、伸縮性を有する生地からなる股部１８の分岐部分１８ａ，１８ｂには伸縮性による引っ張り力がかかり、着用者の肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【０２５３】
そして、本実施の形態４にかかるトレーニング用サポーター１６を着用して、ウォーキング、ジョギング、エアロビクス、ヨガ、等のトレーニングをすることによって、筋肉に刺激が与えられ大臀筋・中臀筋が鍛えられて効果的にトレーニングをすることができ、美しいプロポーションを得ることができる。
【０２５４】
さらに、図１１（ｄ）に示されるように、本実施の形態４にかかるトレーニング用サポーター１６においては、肛門が引き締められたときに生ずる１対の小さい窪みの位置ＨＥＰが伸縮性を有する生地からなる１対のクロス部分１９ａ，１９ｂによって押えられるため、小尻になってヒップアップの効果も得られ、より美しいプロポーションを得ることができる。
【０２５５】
このようにして、本実施の形態４にかかるトレーニング用サポーター１６においては、意識しなくても単独で、またはズボン・パンツやスカート等の衣服の下や、トレーニングパンツ・スパッツ等のトレーニングウェアの上に着用するだけで、最適な引き締め力で肛門が引き締められて正しい姿勢をとることができ、さらに着用してトレーニングをするだけで筋肉に刺激を与え大臀筋・中臀筋が鍛えられて効果的にトレーニングをすることができ、美しいプロポーションを得ることができる。
【０２５６】
さらに、トレーニング用サポーター１６においては、伸縮性を有する生地からなる１対のクロス部分１９ａ，１９ｂによって大臀筋が締め付けられるとともに大転子が押えられるため、着用してトレーニングをすることによってより効果的に大臀筋が鍛えられ、骨盤が矯正されるとともに上半身と下半身の間にひねりが生じて、意識しなくてもウォーキングの際に広い歩幅で一直線上を歩くことができて、大臀筋が引き締まり中臀筋が鍛えられるという作用効果が得られる。
【０２５７】
さらに、開口部２０を設けて通風生地としての目の粗いパワーネット２１で塞いでいるため、開口部２０から腹部または臀部の一部がはみ出ることを防ぎつつ、汗が開口部２０から放散されて爽やかにトレーニングを行うことができるという作用効果が得られる。
【０２５８】
本実施の形態４にかかるトレーニング用サポーター１６の縫付けの手順について、図１１を参照して説明する。図１１（ａ），（ｂ），（ｃ），（ｄ）に示されるように、まずサポーター本体１７を構成するサテンネットからなる表地とパワーネットからなる裏地を上端部で裏側へ折り返し、この折り返し部分をステッチで縫い合わせ、サポーター本体１７の後中心ＢＣも縫い合わせる。次に、股部１８の分岐部分１８ａ，１８ｂをサポーター本体１７の背面下端に縫付け、さらに開口部２０の裏側から目の粗いパワーネット２１を縫付ける。
【０２５９】
それから、クロス部分１９ｂの裏側にループ２２の両端を縫付け、ループ２２に小さいループ２３を通して小さいループ２３の両端を目の粗いパワーネット２１に縫付けた後に、まずループ２２の中にクロス部分１９ａを潜らせて、糸ループ９によってサポーター本体１７の左脇部に支持し、続いてクロス部分１９ｂを前方へ回り込ませて、同様に糸ループ９で支持する。そして、前中心ＦＣでクロス部分１９ａとクロス部分１９ｂを互いに縫い合わせた後に、クロス部分１９ａ，１９ｂの中心をジグザグ縫い１９ｃでサポーター本体１７に縫付ければ、トレーニング用サポーター１６が完成する。
【０２６０】
勿論、以上述べた縫製の手順は標準的な手順の一例を説明したものであり、これ以外にも種々の手順によってトレーニング用サポーター１６を縫製することが可能である。また、小さいループ２３でループ２２を目の粗いパワーネット２１に留めるとともに、糸ループ９でクロス部分１９ａ，１９ｂを支持することによって、トレーニング用サポーター１６の着用がより容易になるが、小さいループ２３のみまたは糸ループ９のみを用いることによっても、トレーニング用サポーター１６の着用が容易になるという作用効果が得られる。
【０２６１】
さらに、糸ループ９でクロス部分１９ａ，１９ｂを支持する位置は、両脇部に限られず、両脇部より正面側でも背面側でも良い。
【０２６２】
次に、本実施の形態４の第１変形例にかかるトレーニング用サポーター１６Ａについて、図１２（ａ），（ｂ）を参照して説明する。なお、トレーニング用サポーター１６Ａの構成は、一部を除いて上記トレーニング用サポーター１６と同様であるため、同一の部分には同一の符号を付して説明を省略する。
【０２６３】
図１２（ａ）に示されるように、本実施の形態４の第１変形例にかかるトレーニング用サポーター１６Ａが上記トレーニング用サポーター１６と異なるのは、１対のクロス部分１９Ａａ，１９Ａｂの長さが１対のクロス部分１９ａ，１９ｂよりも短く、サポーター本体１７の前中心まで到達していない点、及び前部開口部１８Ａｆの形状が前部開口部１８ｆと異なる点のみである。
【０２６４】
したがって、本実施の形態４の第１変形例にかかるトレーニング用サポーター１６Ａを下着の上に単独で、またはズボン（パンツ）・スカート等のボトムズの下に、或いはトレーニングパンツ・スパッツ等のトレーニングウェアの上から着用することによって、伸縮性を有する生地からなる股部１８Ａの分岐部分１８Ａａ，１８Ａｂには伸縮性による引っ張り力がかかり、着用者の肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【０２６５】
そして、トレーニング用サポーター１６Ａを着用して、ウォーキング、ジョギング、エアロビクス、ヨガ、等のトレーニングをすることによって、筋肉に刺激が与えられ大臀筋・中臀筋が鍛えられて効果的にトレーニングをすることができ、美しいプロポーションを得ることができる。
【０２６６】
さらに、図１２（ｂ）に示されるように、本実施の形態４の第１変形例にかかるトレーニング用サポーター１６Ａにおいては、小さい窪みの位置ＨＥＰが伸縮性を有する生地からなる１対のクロス部分１９Ａａ，１９Ａｂによって押えられるため、小尻になってヒップアップの効果も得られ、より美しいプロポーションを得ることができる。
【０２６７】
次に、本実施の形態４の第２変形例にかかるトレーニング用サポーター１６Ｂについて、図１２（ｃ），（ｄ）を参照して説明する。なお、トレーニング用サポーター１６Ｂの構成は、一部を除いて上記トレーニング用サポーター１６Ａと同様であるため、同一の部分には同一の符号を付して説明を省略する。
【０２６８】
図１２（ｄ）に示されるように、本実施の形態４の第２変形例にかかるトレーニング用サポーター１６Ｂが上記トレーニング用サポーター１６Ａと異なるのは、サポーター本体１７Ｂの背面部が１対のクロス部分１９Ａａ，１９Ａｂを除いて、通風生地としての目の粗いパワーネット２１Ｂで構成されている点、及び前部開口部１８Ｂｆの形状が前部開口部１８Ａｆと異なる点のみである。
【０２６９】
したがって、本実施の形態４の第２変形例にかかるトレーニング用サポーター１６Ｂを下着の上に単独で、またはズボン（パンツ）・スカート等のボトムズの下に、或いはトレーニングパンツ・スパッツ等のトレーニングウェアの上から着用することによって、伸縮性を有する生地からなる股部１８Ｂの分岐部分１８Ｂａ，１８Ｂｂには伸縮性による引っ張り力がかかり、着用者の肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【０２７０】
そして、トレーニング用サポーター１６Ｂを着用して、ウォーキング、ジョギング、エアロビクス、ヨガ、等のトレーニングをすることによって、筋肉に刺激が与えられ大臀筋・中臀筋が鍛えられて効果的にトレーニングをすることができ、美しいプロポーションを得ることができる。
【０２７１】
さらに、図１２（ｄ）に示されるように、本実施の形態４の第２変形例にかかるトレーニング用サポーター１６Ｂにおいても、小さい窪みの位置ＨＥＰが伸縮性を有する生地からなる１対のクロス部分１９Ａａ，１９Ａｂによって押えられるため、小尻になってヒップアップの効果も得られ、より美しいプロポーションを得ることができる。また、通風生地としての目の粗いパワーネット２１Ｂの占める面積が大きいため、より汗がこもり難くなり、より爽やかにトレーニングを行うことができる。
【０２７２】
次に、本実施の形態４の第３変形例にかかるトレーニング用サポーター１６Ｃについて、図１２（ｅ），（ｆ）を参照して説明する。なお、トレーニング用サポーター１６Ｃの構成は、一部を除いて上記トレーニング用サポーター１６Ｂと同様であるため、同一の部分には同一の符号を付して説明を省略する。
【０２７３】
図１２（ｅ）に示されるように、本実施の形態４の第３変形例にかかるトレーニング用サポーター１６Ｃが上記トレーニング用サポーター１６Ｂと異なるのは、１対のクロス部分１９ａ，１９ｂの長さが１対のクロス部分１９Ａａ，１９Ａｂよりも長く、サポーター本体１７Ｃの前中心まで到達している点、及び前部開口部１８Ａｆの形状が前部開口部１８Ｂｆと異なる点のみである。
【０２７４】
したがって、本実施の形態４の第３変形例にかかるトレーニング用サポーター１６Ｃを下着の上に単独で、またはズボン（パンツ）・スカート等のボトムズの下に、或いはトレーニングパンツ・スパッツ等のトレーニングウェアの上から着用することによって、伸縮性を有する生地からなる股部１８Ａの分岐部分１８Ａａ，１８Ａｂには伸縮性による引っ張り力がかかり、着用者の肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【０２７５】
そして、トレーニング用サポーター１６Ｃを着用して、ウォーキング、ジョギング、エアロビクス、ヨガ、等のトレーニングをすることによって、筋肉に刺激が与えられ大臀筋・中臀筋が鍛えられて効果的にトレーニングをすることができ、美しいプロポーションを得ることができる。
【０２７６】
さらに、図１２（ｆ）に示されるように、本実施の形態４の第３変形例にかかるトレーニング用サポーター１６Ｃにおいても、小さい窪みの位置ＨＥＰが伸縮性を有する生地からなる１対のクロス部分１９ａ，１９ｂによって押えられるため、小尻になってヒップアップの効果も得られ、より美しいプロポーションを得ることができる。また、通風生地としての目の粗いパワーネット２１Ｂの占める面積が大きいため、より汗がこもり難くなり、より爽やかにトレーニングを行うことができる。
【０２７７】
次に、本実施の形態４の第４変形例にかかるトレーニング用サポーター１６Ｄについて、図１２（ｇ），（ｈ）を参照して説明する。なお、トレーニング用サポーター１６Ｄの構成は、一部を除いて上記トレーニング用サポーター１６Ｃと同様である。
【０２７８】
図１２（ｇ）に示されるように、本実施の形態４の第４変形例にかかるトレーニング用サポーター１６Ｄが上記トレーニング用サポーター１６Ｃと異なるのは、１対のクロス部分１９Ｄａ，１９Ｄｂの長さが１対のクロス部分１９ａ，１９ｂよりも短く、サポーター本体１７Ｄの両脇部までしか到達していない点、及び前部開口部１８Ｄｆの形状が前部開口部１８Ａｆと異なる点のみである。また、図１２（ｈ）に示されるように、トレーニング用サポーター１６Ｄにおいては、背面部の通風生地としての目の粗いパワーネット２１Ｄが二枚の生地から構成されているが、実質的な相違ではない。
【０２７９】
したがって、本実施の形態４の第４変形例にかかるトレーニング用サポーター１６Ｄを下着の上に単独で、またはズボン（パンツ）・スカート等のボトムズの下に、或いはトレーニングパンツ・スパッツ等のトレーニングウェアの上から着用することによって、伸縮性を有する生地からなる股部１８Ｄの分岐部分１８Ｄａ，１８Ｄｂには伸縮性による引っ張り力がかかり、着用者の肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【０２８０】
そして、トレーニング用サポーター１６Ｄを着用して、ウォーキング、ジョギング、エアロビクス、ヨガ、等のトレーニングをすることによって、筋肉に刺激が与えられ大臀筋・中臀筋が鍛えられて効果的にトレーニングをすることができ、美しいプロポーションを得ることができる。
【０２８１】
さらに、図１２（ｈ）に示されるように、本実施の形態４の第４変形例にかかるトレーニング用サポーター１６Ｄにおいても、小さい窪みの位置ＨＥＰが伸縮性を有する生地からなる１対のクロス部分１９Ｄａ，１９Ｄｂによって押えられるため、小尻になってヒップアップの効果も得られ、より美しいプロポーションを得ることができる。また、通風生地としての目の粗いパワーネット２１Ｄの占める面積が大きいため、より汗がこもり難くなり、より爽やかにトレーニングを行うことができる。
【０２８２】
このようにして、本実施の形態４にかかるトレーニング用サポーター１６，１６Ａ，１６Ｂ，１６Ｃ，１６Ｄにおいては、意識しなくても単独で、またはズボン・パンツやスカート等の衣服の下や、トレーニングパンツ・スパッツ等のトレーニングウェアの上に着用するだけで、肛門が引き締められて正しい姿勢をとることができ、さらに着用してトレーニングをするだけで筋肉に刺激を与え大臀筋・中臀筋が鍛えられて効果的にトレーニングをすることができ、美しいプロポーションを得ることができる。
【０２８３】
さらに、トレーニング用サポーター１６，１６Ａ，１６Ｂ，１６Ｃ，１６Ｄにおいては、伸縮性を有する生地からなる１対のクロス部分１９ａ，１９ｂ，１９Ａａ，１９Ａｂ，１９Ｄａ，１９Ｄｂによって大臀筋が締め付けられるとともに大転子が押えられるため、着用してトレーニングをすることによってより効果的に大臀筋が鍛えられ、骨盤が矯正されるとともに上半身と下半身の間にひねりが生じて、意識しなくてもウォーキングの際に広い歩幅で一直線上を歩くことができて、大臀筋が引き締まり中臀筋が鍛えられるという作用効果が得られる。
【０２８４】
さらに、開口部２０を設けて通風生地としての目の粗いパワーネット２１，２１Ｂ，２１Ｄで塞いでいるため、開口部２０から腹部または臀部の一部がはみ出ることを防ぎつつ、汗が開口部２０から放散されて爽やかにトレーニングを行うことができるという作用効果が得られる。
【０２８５】
実施の形態５
次に、本発明の実施の形態５にかかるトレーニング用サポーターについて、図１３を参照して説明する。図１３（ａ）は本発明の実施の形態５にかかるトレーニング用サポーターの全体構成を示す正面図、（ｂ）は背面図、（ｃ）は本発明の実施の形態５にかかるトレーニング用サポーターを構成する一体の元地を示す展開図である。
【０２８６】
図１３（ａ），（ｂ），（ｃ）に示されるように、本実施の形態５にかかるトレーニング用サポーター２５は、全体が伸縮性を有する生地としてのサテンネット（表地）及びパワーネット（裏地）を縫い合わせてなる元地２５Ａから構成されており、上記実施の形態４にかかるトレーニング用サポーター１６等と同様に、正面中央部から股下を通って股下部分で分岐して背面部に縫付けられる股部２５Ｂと、正面から背面に続いて設けられている開口部２５ｇの下のサポーター本体がそのままの幅で伸びて後中心部分で交差する１対のクロス部分２５ｄ，２５ｅを有している。
【０２８７】
また、股部２５Ｂの分岐部分２５ａ，２５ｂの先端がステッチ縫い２５ｉで背面部に縫付けられており、１対のクロス部分２５ｄ，２５ｅが後中心部分で交差してから正面まで回り込んで前中心ＦＣまで達し、前中心ＦＣにおいてジグザグ縫い２５ＦＣによって縫付けられている。１対のクロス部分２５ｄ，２５ｅの交差部分には、クロス部分２５ｄ，２５ｅの自由な伸縮を封じることなく、互いに離れることを防止するために、クロス部分２５ｅの裏側にループ７の両端が縫付けられており、クロス部分２５ｄはこのループ７の中を潜っている。
【０２８８】
これらの点については、上記実施の形態４にかかるトレーニング用サポーター１６等と同様である。本実施の形態５にかかるトレーニング用サポーター２５に特有な点は、図１３（ｃ）に示されるように、かかる構成が、ループ７を除いて、一体の元地２５Ａから作り上げられている点である。この点については、上記実施の形態２にかかるトレーニング用サポーター１０と同様であるが、股部２５Ｂの前部が大きく開口しており、その結果図１３（ａ）に示されるように、前部開口部２５ｇが形成される点において異なる。
【０２８９】
したがって、本実施の形態５にかかるトレーニング用サポーター２５は、上記実施の形態１〜実施の形態４にかかるトレーニング用サポーターと同様に、男性・女性を問わず使用することができるが、特に男性が使用する場合に便利な構造になっている。かかるトレーニング用サポーター２５の製造の手順について説明する。
【０２９０】
即ち、図１３（ｃ）に示される形状に切り出した伸縮性を有する生地としてのサテンネットからなる表地と、図１３（ｃ）に示される形状に切り出した伸縮性を有する生地としてのパワーネットからなる裏地とを重ねて、ステッチ縫い２５ｆで股部２５Ｂの分岐部分２５ａ，２５ｂの先端２５ｒ，２５ｌを除いて縁に沿って縫付け、分岐部分２５ａ，２５ｂの先端２５ｒ，２５ｌから手を入れて裏返すことによって、二枚の生地の袋縫いからなる一体の元地２５Ａが作成される。
【０２９１】
この袋縫いからなる元地２５Ａを、二点鎖線で示される右脇下２５ＳＲ，左脇下２５ＳＬ，右脇上２５ＵＲ，左脇上２５ＵＬの各位置で折り曲げて、１対のクロス部分２５ｄ，２５ｅを交差させ、元地２５Ａの両端ＦＣＲ，ＦＣＬを突き合わせて、図１３（ａ）に示されるようにジグザグ縫い２５ＦＣで縫い合わせ、前中心ＦＣの左右部分２５Ｒ，２５Ｌをその下にステッチ縫い２５ｈで縫付ける。
【０２９２】
また、図１３（ｂ）に示されるように、股部２５Ｂの分岐部分２５ａ，２５ｂを１対のクロス部分２５ｄ，２５ｅの下端にそれぞれステッチ縫い２５ｉで縫い付ける。そして、ループ７でクロス部分２５ｄを包むようにしてループ７の両端をクロス部分２５ｅの裏側に縫付ければ、本実施の形態５にかかるトレーニング用サポーター２５が完成する。
【０２９３】
ここで、図１３（ｂ）に示されるように、股部２５Ｂの分岐部分２５ａ，２５ｂを縫付けているステッチ縫い２５ｉの縫い止まり点は、分岐部分２５ａ，２５ｂの内側においては、股部２５Ｂの分岐点２１３から約７ｃｍ（６．０ｃｍ〜８．０ｃｍ）離れており、分岐部分２５ａ，２５ｂの外側においては、内側のステッチ縫い２５ｉの縫い止まり点とほぼ対応する位置にあって、少なくとも着用者の肛門の位置ＨＣＰよりは上方にある。
【０２９４】
そして、図１３（ｂ）に示されるように、股部２５Ｂの分岐部分２５ａ，２５ｂは、トレーニング用サポーター２５を着用したときに、着用者の肛門の位置ＨＣＰが分岐部分２５ａ，２５ｂの間の分岐点２１３の近傍（分岐点２１３から約１．５ｃｍ（１．０ｃｍ〜２．０ｃｍ）離れた点）に位置するように縫付けられている。
【０２９５】
これによって、本実施の形態５にかかるトレーニング用サポーター２５を下着の上に単独で、またはズボン（パンツ）・スカート等のボトムズの下に、或いはトレーニングパンツ・スパッツ等のトレーニングウェアの上から着用することによって、伸縮性を有する生地からなる股部２５Ｂの分岐部分２５ａ，２５ｂには伸縮性による引っ張り力がかかり、着用者の肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【０２９６】
そして、本実施の形態５にかかるトレーニング用サポーター２５を着用して、ウォーキング、ジョギング、エアロビクス、ヨガ、等のトレーニングをすることによって、筋肉に刺激が与えられ大臀筋・中臀筋が鍛えられて効果的にトレーニングをすることができ、美しいプロポーションを得ることができる。
【０２９７】
また、図１３（ｂ）に示されるように、本実施の形態５にかかるトレーニング用サポーター２５においては、小さい窪みの位置ＨＥＰが伸縮性を有する生地からなる１対のクロス部分２５ｄ，２５ｅによって押えられるため、小尻になってヒップアップの効果も得られ、より美しいプロポーションを得ることができる。
【０２９８】
このようにして、本実施の形態５にかかるトレーニング用サポーター２５においては、意識しなくても単独で、またはズボン・パンツやスカート等の衣服の下や、トレーニングパンツ・スパッツ等のトレーニングウェアの上に着用するだけで、最適な引き締め力で肛門が引き締められて正しい姿勢をとることができ、さらに着用してトレーニングをするだけで筋肉に刺激を与え大臀筋・中臀筋が鍛えられて効果的にトレーニングをすることができ、美しいプロポーションを得ることができる。
【０２９９】
さらに、トレーニング用サポーター２５においては、伸縮性を有する生地からなる１対のクロス部分２５ｄ，２５ｅによって大臀筋が締め付けられるとともに大転子が押えられるため、着用してトレーニングをすることによってより効果的に大臀筋が鍛えられ、骨盤が矯正されるとともに上半身と下半身の間にひねりが生じて、意識しなくてもウォーキングの際に広い歩幅で一直線上を歩くことができて、大臀筋が引き締まり中臀筋が鍛えられるという作用効果が得られる。さらに、開口部２５ｊを設けているため、汗が開口部２５ｊから放散されて爽やかにトレーニングを行うことができるという作用効果が得られる。
【０３００】
実施の形態６
次に、本発明の実施の形態６にかかるトレーニング用サポーターについて、図１４を参照して説明する。図１４（ａ）は本発明の実施の形態６にかかるトレーニング用サポーターの全体構成を示す正面図、（ｂ）は背面図、（ｃ）は本発明の実施の形態６にかかるトレーニング用サポーターを裏返した場合の全体構成を示す正面図、（ｄ）は背面図である。
【０３０１】
図１４（ａ）に示されるように、本実施の形態６にかかるトレーニング用サポーター２６は、伸縮性を有する生地としてのサテンネット（表地）及び伸縮性を有する生地としてのパワーネット（裏地）からなるサポーター本体２７を中心に構成されており、サポーター本体２７は、腰周りを覆う腹巻き状の部分を形成するものであり、後中心ＢＣにおいて縫い合わされており、伸縮性を有する生地としてのパワーネットからなる略Ｘ字形の羽根部材２８を縫付けることによって初めて股部が形成される。
【０３０２】
したがって、サポーター本体２７は、本発明における「着用者の股下に当接する股部を有しないサポーター本体」に相当する。また、本実施の形態６にかかるトレーニング用サポーター２６は、「伸縮性を有する生地からなるサポーター本体と、略Ｘ字形の伸縮性を有する生地からなる羽根部材とを具備するトレーニング用サポーター」に相当する。
【０３０３】
そして、図１４（ｄ）に示されるように、トレーニング用サポーター２６を裏返すと、サポーター本体２７の前部裏側及び臀部裏側には、伸縮性を有する生地としてのパワーネットからなる羽根部材２８が直接縫付けられている。羽根部材２８は、上記羽根部材１３と同様に二枚のパワーネット生地を袋縫いしてなるものであり、１対の前部分岐部分２８ｄ，２８ｅの先端がステッチ縫い２８ｈによって、及び１対の分岐部分２８ａ，２８ｂの先端がステッチ縫い２８ｉによって、それぞれサポーター本体２７の前部裏側及び臀部裏側に縫付けられている。
【０３０４】
したがって、羽根部材２８は、ステッチ縫い２８ｈによって１対の前部分岐部分２８ｄ，２８ｅがサポーター本体２７の前部裏側に縫付けられた部分と、ステッチ縫い２８ｉによって１対の分岐部分２８ａ，２８ｂがサポーター本体２７の臀部裏側に縫付けられた部分との間は縫付けられておらず、フリーの状態になっている。
【０３０５】
１対の分岐部分２８ａ，２８ｂの内側におけるステッチ縫い２８ｉの縫い止まり点は、羽根部材２８の分岐点２８ｃから約７ｃｍ（６．０ｃｍ〜８．０ｃｍ）離れており、１対の分岐部分２８ａ，２８ｂの外側におけるステッチ縫い２８ｉの縫い止まり点は、内側のステッチ縫い２８ｉの縫い止まり点とほぼ対応する位置にあって、少なくとも着用者の肛門の位置ＨＣＰよりは上方にある。
【０３０６】
そして、図１４（ｄ）に示されるように、羽根部材２８は、トレーニング用サポーター２６を着用したときに、着用者の肛門の位置ＨＣＰが１対の分岐部分２８ａ，２８ｂの間の分岐点２８ｃの近傍（分岐点２８ｃから約１．５ｃｍ（１．０ｃｍ〜２．０ｃｍ）離れた位置）にくるように縫付けられている。
【０３０７】
これによって、本実施の形態６にかかるトレーニング用サポーター２６を着用することによって、羽根部材２８には伸縮性による引っ張り力がかかり、着用者の肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【０３０８】
そして、本実施の形態６にかかるトレーニング用サポーター２６を着用して、ウォーキング、ジョギング、エアロビクス、ヨガ、等のトレーニングをすることによって、筋肉に刺激が与えられ大臀筋・中臀筋が鍛えられて効果的にトレーニングをすることができ、美しいプロポーションを得ることができる。
【０３０９】
また、図１４（ｄ）に示されるように、本実施の形態６にかかるトレーニング用サポーター２６においては、小さい窪みの位置ＨＥＰが伸縮性を有する生地からなる１対のクロス部分１９ａ，１９ｂによって押えられるため、小尻になってヒップアップの効果も得られ、より美しいプロポーションを得ることができる。
【０３１０】
このようにして、本実施の形態６にかかるトレーニング用サポーター２６においては、意識しなくても単独で、またはズボン・パンツやスカート等の衣服の下や、トレーニングパンツ・スパッツ等のトレーニングウェアの上に着用するだけで、最適な引き締め力で肛門が引き締められて正しい姿勢をとることができ、さらに着用してトレーニングをするだけで筋肉に刺激を与え大臀筋・中臀筋が鍛えられて効果的にトレーニングをすることができ、美しいプロポーションを得ることができる。
【０３１１】
さらに、トレーニング用サポーター２６においては、伸縮性を有する生地からなる１対のクロス部分１９ａ，１９ｂによって大臀筋が締め付けられるとともに大転子が押えられるため、着用してトレーニングをすることによってより効果的に大臀筋が鍛えられ、骨盤が矯正されるとともに上半身と下半身の間にひねりが生じて、意識しなくてもウォーキングの際に広い歩幅で一直線上を歩くことができて、大臀筋が引き締まり中臀筋が鍛えられるという作用効果が得られる。
【０３１２】
さらに、開口部２０を設けて通風生地としての目の粗いパワーネット２１で塞いでいるため、開口部２０から腹部または臀部の一部がはみ出ることを防ぎつつ、汗が開口部２０から放散されて爽やかにトレーニングを行うことができるという作用効果が得られる。
【０３１３】
また、トレーニング用サポーター２６においては、略Ｘ字形の羽根部材２８には１対の前部分岐部分２８ｄ，２８ｅがサポーター本体２７の前部裏側に縫付けられることによって、前部開口部２８ｆが形成されている。したがって、本実施の形態６にかかるトレーニング用サポーター２６は、上記実施の形態１〜実施の形態５にかかるトレーニング用サポーターと同様に、男性・女性を問わず使用することができるが、特に男性が使用する場合に便利な構造になっている。
【０３１４】
実施の形態７
次に、本発明の実施の形態７にかかるトレーニング用サポーターについて、図１５及び図１６を参照して説明する。図１５（ａ）は本発明の実施の形態７にかかるトレーニング用サポーターの調節機能付き接続具を外した状態の全体構成を示す正面図、（ｂ）は本発明の実施の形態７にかかるトレーニング用サポーターの調節機能付き接続具を嵌合させた状態の全体構成を示す正面図、（ｃ）は背面図、（ｄ）は本発明の実施の形態７にかかるトレーニング用サポーターを裏返した場合の全体構成を示す背面図である。
【０３１５】
図１６（ａ）は本発明の実施の形態７の変形例にかかるトレーニング用サポーターの全体構成を示す正面図、（ｂ）は背面図、（ｃ）は本発明の実施の形態７の変形例にかかるトレーニング用サポーターを裏返して調節機能付き接続具の一方を外した状態の全体構成を示す正面図、（ｄ）は背面図、（ｅ）は本発明の実施の形態７の変形例にかかるトレーニング用サポーターに用いられる羽根部材の形状を示す図である。
【０３１６】
図１５（ａ）に示されるように、本実施の形態７にかかるトレーニング用サポーター３０は、伸縮性を有する生地としてのサテンネット（表地）及び伸縮性を有する生地としてのパワーネット（裏地）からなるサポーター本体３１を中心に構成されており、サポーター本体３１は、腰周りを覆う腹巻き状の部分に股部の前半分のみを形成するための突出部３１ａが一体となったものであり、後中心ＢＣにおいて縫い合わされている点においては、上記実施の形態３にかかるトレーニング用サポーター１１と同様である。
【０３１７】
また、一部を除いて、その他の部分についても同様であるため、上記実施の形態３にかかるトレーニング用サポーター１１と同一の部分には同一の符号を付して、一部説明を省略する。
【０３１８】
異なるのは、図１５（ａ）に示されるように、伸縮性を有する生地としてのパワーネットからなる羽根部材１３の分岐していない側１３ｄが突出部３１ａに縫付けられておらず、突出部３１ａに縫付けられた３段の接続位置に取付けられた２個ずつの凹側ホック３２ａを有する雌側接続具３２Ａと、羽根部材１３の分岐していない側１３ｄに縫付けられた２個の凸側ホック３２ｂを有する雄側接続具３２Ｂとからなる１組の調節機能付き接続具３２Ａ，３２Ｂを有する点である。
【０３１９】
そして、調節機能付き接続具３２Ａ，３２Ｂは、２個の凸側ホック３２ｂをどの接続位置の２個の凹側ホック３２ａに嵌合させるかを選択でき、それによって伸縮性を有する生地としてのパワーネットからなる羽根部材１３による引っ張り力を調節することができ、図１５（ｂ）に示されるように、嵌合させることによって羽根部材１３によって初めて股部が形成される。
【０３２０】
したがって、サポーター本体３１は、本発明における「着用者の股下に当接する股部を有しないサポーター本体」に相当する。また、本実施の形態７にかかるトレーニング用サポーター３０は、本発明における「伸縮性を有する生地からなるサポーター本体と、略Ｙ字形の伸縮性を有する生地からなる羽根部材とを具備するトレーニング用サポーター」に相当する。さらに、１組の調節機能付き接続具３２Ａ，３２Ｂは、本発明における「羽根部材の分岐していない側と、サポーター本体の前部とに取付けられた複数の接続位置を選択できる１組の調節機能付き接続具」に相当する。
【０３２１】
図１５（ｂ）においては、３段の接続位置に取付けられた２個ずつの凹側ホック３２ａのうち、中段の２個の凹側ホック３２ａに２個の凸側ホック３２ｂを嵌合させた状態が示されている。したがって、羽根部材１３による引っ張り力は中くらいの強さに調節されている。このようにして、着用者の体型によって微妙に異なる羽根部材１３による引っ張り力を最適な強さに調節することができる。
【０３２２】
図１５（ｄ）に示されるように、１対の分岐部分１３ａ，１３ｂの内側におけるステッチ縫い１３ｉの縫い止まり点は、羽根部材１３の分岐点１３ｃから約７ｃｍ（６．０ｃｍ〜８．０ｃｍ）離れており、１対の分岐部分１３ａ，１３ｂの外側におけるステッチ縫い１３ｉの縫い止まり点は、内側のステッチ縫い１３ｉの縫い止まり点とほぼ対応する位置にあって、少なくとも着用者の肛門の位置ＨＣＰよりは上方にある。
【０３２３】
そして、図１５（ｄ）に示されるように、羽根部材１３は、トレーニング用サポーター３０を着用したときに、着用者の肛門の位置ＨＣＰが１対の分岐部分１３ａ，１３ｂの間の分岐点１３ｃの近傍（分岐点１３ｃから約１．５ｃｍ（１．０ｃｍ〜２．０ｃｍ）離れた位置）にくるように縫付けられている。
【０３２４】
これによって、本実施の形態７にかかるトレーニング用サポーター３０を着用することによって、羽根部材１３には最適に調節された伸縮性による引っ張り力がかかり、着用者の肛門がより効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【０３２５】
そして、本実施の形態７にかかるトレーニング用サポーター３０を着用して、ウォーキング、ジョギング、エアロビクス、ヨガ、等のトレーニングをすることによって、筋肉に刺激が与えられ大臀筋・中臀筋が鍛えられて効果的にトレーニングをすることができ、美しいプロポーションを得ることができる。
【０３２６】
また、図１５（ｄ）に示されるように、本実施の形態７にかかるトレーニング用サポーター３０においては、小さい窪みの位置ＨＥＰが伸縮性を有する生地からなる１対のクロス部分４ａ，４ｂによって押えられるため、小尻になってヒップアップの効果も得られ、より美しいプロポーションを得ることができる。
【０３２７】
このようにして、本実施の形態７にかかるトレーニング用サポーター３０においては、意識しなくても単独で、またはズボン・パンツやスカート等の衣服の下や、トレーニングパンツ・スパッツ等のトレーニングウェアの上に着用するだけで、最適な引き締め力で肛門が引き締められて正しい姿勢をとることができ、さらに着用してトレーニングをするだけで筋肉に刺激を与え大臀筋・中臀筋が鍛えられて効果的にトレーニングをすることができ、美しいプロポーションを得ることができる。
【０３２８】
さらに、トレーニング用サポーター３０においては、伸縮性を有する生地からなる１対のクロス部分４ａ，４ｂによって大臀筋が締め付けられるとともに大転子が押えられるため、着用してトレーニングをすることによってより効果的に大臀筋が鍛えられ、骨盤が矯正されるとともに上半身と下半身の間にひねりが生じて、意識しなくてもウォーキングの際に広い歩幅で一直線上を歩くことができて、大臀筋が引き締まり中臀筋が鍛えられるという作用効果が得られる。
【０３２９】
さらに、開口部５を設けて通風生地としての目の粗いパワーネット６で塞いでいるため、開口部５から腹部または臀部の一部がはみ出ることを防ぎつつ、汗が開口部５から放散されて爽やかにトレーニングを行うことができるという作用効果が得られる。
【０３３０】
次に、本実施の形態７の変形例にかかるトレーニング用サポーター３３について、図１６を参照して説明する。図１６（ａ）に示されるように、本実施の形態７の変形例にかかるトレーニング用サポーター３３は、伸縮性を有する生地としてのサテンネット（表地）及び伸縮性を有する生地としてのパワーネット（裏地）からなるサポーター本体３４を中心に構成されており、サポーター本体３４は、腰周りを覆う腹巻き状の部分を形成するものであり、後中心ＢＣにおいて縫い合わされている点においては、上記実施の形態６にかかるトレーニング用サポーター２６と同様である。
【０３３１】
また、一部を除いて、その他の部分についても同様であるため、上記実施の形態６にかかるトレーニング用サポーター２６と同一の部分には同一の符号を付して、一部説明を省略する。
【０３３２】
異なるのは、図１６（ｃ）に示されるように、羽根部材３５の前部分岐部分３５ｄ，３５ｅの先端がサポーター本体３４の前部裏側に縫付けられておらず、サポーター本体３４の前部裏側に縫付けられた２段の接続位置に取付けられた２個ずつの凹側ホック３６ａを有する雌側接続具３６Ａと、羽根部材３５の前部分岐部分３５ｄ，３５ｅに縫付けられた２個の凸側ホック３６ｂを有する雄側接続具３６Ｂとからなる２組の調節機能付き接続具３６Ａ，３６Ｂを有する点である。
【０３３３】
そして、調節機能付き接続具３６Ａ，３６Ｂは、２個の凸側ホック３６ｂをどの接続位置の２個の凹側ホック３６ａに嵌合させるかを選択でき、それによって伸縮性を有する生地としてのパワーネットからなる羽根部材３５による引っ張り力を調節することができ、図１６（ａ）に示されるように、嵌合させることによって、図１６（ｅ）に示される略Ｘ字形の羽根部材３５によって初めて股部が形成される。
【０３３４】
したがって、サポーター本体３４は、本発明における「着用者の股下に当接する股部を有しないサポーター本体」に相当する。また、本実施の形態７の変形例にかかるトレーニング用サポーター３３は、本発明における「伸縮性を有する生地からなるサポーター本体と、略Ｘ字形の伸縮性を有する生地からなる羽根部材とを具備するトレーニング用サポーター」に相当する。さらに、２組の調節機能付き接続具３６Ａ，３６Ｂは、本発明における「羽根部材の前部分岐部分と、サポーター本体の前部とに取付けられた複数の接続位置を選択できる２組の調節機能付き接続具」に相当する。
【０３３５】
そして、図１６（ｄ）に示されるように、トレーニング用サポーター３３を裏返すと、サポーター本体３４の臀部裏側には、伸縮性を有する生地としてのパワーネットからなる羽根部材３５が直接縫付けられている。羽根部材３５は、上記羽根部材２８と同様に二枚のパワーネット生地を袋縫いしてなるものであり、１対の分岐部分３５ａ，３５ｂの先端がステッチ縫い３５ｉによって、サポーター本体３４の臀部裏側に縫付けられている。
【０３３６】
したがって、羽根部材３５は、調節機能付き接続具３６Ａ，３６Ｂによって１対の前部分岐部分３５ｄ，３５ｅがサポーター本体３４の前部裏側に接続された部分と、ステッチ縫い３５ｉによって１対の分岐部分３５ａ，３５ｂがサポーター本体３４の臀部裏側に縫付けられた部分との間は縫付けられておらず、フリーの状態になっている。
【０３３７】
１対の分岐部分３５ａ，３５ｂの内側におけるステッチ縫い３５ｉの縫い止まり点は、羽根部材３５の分岐点３５ｃから約７ｃｍ（６．０ｃｍ〜８．０ｃｍ）離れており、１対の分岐部分３５ａ，３５ｂの外側におけるステッチ縫い３５ｉの縫い止まり点は、内側のステッチ縫い３５ｉの縫い止まり点とほぼ対応する位置にあって、少なくとも着用者の肛門の位置ＨＣＰよりは上方にある。
【０３３８】
そして、図１６（ｄ）に示されるように、羽根部材３５は、トレーニング用サポーター３３を着用したときに、着用者の肛門の位置ＨＣＰが１対の分岐部分３５ａ，３５ｂの間の分岐点３５ｃの近傍（分岐点３５ｃから約１．５ｃｍ（１．０ｃｍ〜２．０ｃｍ）離れた位置）にくるように縫付けられている。
【０３３９】
これによって、本実施の形態７の変形例にかかるトレーニング用サポーター３３を着用することによって、羽根部材３５には最適に調節された伸縮性による引っ張り力がかかり、着用者の肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【０３４０】
そして、本実施の形態７の変形例にかかるトレーニング用サポーター３３を着用して、ウォーキング、ジョギング、エアロビクス、ヨガ、等のトレーニングをすることによって、筋肉に刺激が与えられ大臀筋・中臀筋が鍛えられて効果的にトレーニングをすることができ、美しいプロポーションを得ることができる。
【０３４１】
また、図１６（ｄ）に示されるように、本実施の形態７の変形例にかかるトレーニング用サポーター３３においては、小さい窪みの位置ＨＥＰが伸縮性を有する生地からなる１対のクロス部分１９ａ，１９ｂによって押えられるため、小尻になってヒップアップの効果も得られ、より美しいプロポーションを得ることができる。
【０３４２】
このようにして、本実施の形態７の変形例にかかるトレーニング用サポーター３３においては、意識しなくても単独で、またはズボン・パンツやスカート等の衣服の下や、トレーニングパンツ・スパッツ等のトレーニングウェアの上に着用するだけで、最適な引き締め力で肛門が引き締められて正しい姿勢をとることができ、さらに着用してトレーニングをするだけで筋肉に刺激を与え大臀筋・中臀筋が鍛えられて効果的にトレーニングをすることができ、美しいプロポーションを得ることができる。
【０３４３】
さらに、トレーニング用サポーター３３においては、伸縮性を有する生地からなる１対のクロス部分１９ａ，１９ｂによって大臀筋が締め付けられるとともに大転子が押えられるため、着用してトレーニングをすることによってより効果的に大臀筋が鍛えられ、骨盤が矯正されるとともに上半身と下半身の間にひねりが生じて、意識しなくてもウォーキングの際に広い歩幅で一直線上を歩くことができて、大臀筋が引き締まり中臀筋が鍛えられるという作用効果が得られる。
【０３４４】
さらに、開口部２０を設けて通風生地としての目の粗いパワーネット２１で塞いでいるため、開口部２０から腹部または臀部の一部がはみ出ることを防ぎつつ、汗が開口部２０から放散されて爽やかにトレーニングを行うことができるという作用効果が得られる。
【０３４５】
また、トレーニング用サポーター３３においては、略Ｘ字形の羽根部材３５には１対の前部分岐部分３５ｄ，３５ｅがサポーター本体３４の前部裏側に接続されることによって、前部開口部３５ｆが形成される。したがって、本実施の形態７の変形例にかかるトレーニング用サポーター３３は、上記実施の形態１〜実施の形態６にかかるトレーニング用サポーターと同様に、男性・女性を問わず使用することができるが、特に男性が使用する場合に便利な構造になっている。
【０３４６】
本実施の形態７においては、３段の位置に２個ずつの凹側ホック３２ａを取付けた雌側接続具３２Ａと、その２個ずつの凹側ホック３２ａのいずれにも係合する２個の凸側ホック３２ｂを有する雄側接続具３２Ｂとを組にした調節機能付き接続具３２Ａ，３２Ｂ、及び２段の位置に２個ずつの凹側ホック３６ａを取付けた雌側接続具３６Ａと、その２個ずつの凹側ホック３６ａのいずれにも係合する２個の凸側ホック３６ｂを有する雄側接続具３６Ｂとを組にした調節機能付き接続具３６Ａ，３６Ｂについて説明したが、凹側ホックの段数や個数及び凸側ホックの個数については、これらに限定されるものではない。
【０３４７】
さらに、調節機能付き接続具としては、他にも複数の位置にメンカンを取付けたものとその複数のメンカンのいずれにも係合するカギホックを布地に取付けたものとを組にしたもの、複数の位置に凹側のドット釦を取付けたものとその複数の凹側のドット釦のいずれにも嵌合する凸側のドット釦を布地に取付けたものとを組にしたもの、１組の接続布（マジックテープ（登録商標））、複数の位置に凹側のスプリングホックを取付けたものとその複数の凹側のスプリングホックのいずれにも嵌合する凸側のスプリングホックを布地に取付けたものとを組にしたもの、等をも用いることができる。
【０３４８】
また、本実施の形態７においては、上記実施の形態３にかかるトレーニング用サポーター１１及び上記実施の形態６にかかるトレーニング用サポーター２６について、調節機能付き接続具を適用した例についてのみ説明したが、上記実施の形態１９，４，５にかかる各トレーニング用サポーターについても、同様にして調節機能付き接続具を適用することが可能である。
【０３４９】
実施の形態８
次に、本発明の実施の形態８にかかるトレーニング用スパッツについて、図１７を参照して説明する。図１７（ａ）は本発明の実施の形態８にかかるトレーニング用スパッツの全体構成を示す正面図、（ｂ）は背面図、（ｃ）は本発明の実施の形態８にかかるトレーニング用スパッツを裏返した場合の上部の構成を示す正面図、（ｄ）は背面図である。
【０３５０】
図１７（ａ），（ｂ）に示されるように、本実施の形態８にかかるトレーニング用スパッツ４０は、伸縮性を有する生地としてのサテンネットを二枚重ねて前中心ＦＣと後中心ＢＣで縫い合わせてなるスパッツ本体４１の裏側に、伸縮性を有する生地としての二枚のパワーネットを袋縫いしてなる羽根部材１３を縫付けてなるものである。
【０３５１】
本実施の形態８にかかるトレーニング用スパッツ４０を裏返した状態を示す図１７（ｃ），（ｄ）に示されるように、羽根部材１３の分岐していない側１３ｄの端１３ｅは、ステッチ縫い１３ｈによってスパッツ本体４１の股下前部裏側に直接縫付けられており、羽根部材１３の１対の分岐部分１３ａ，１３ｂは、ステッチ縫い１３ｉによってスパッツ本体４１の臀部裏側に直接縫付けられている。
【０３５２】
したがって、羽根部材１３は、ステッチ縫い１３ｈによって分岐していない側１３ｄの端１３ｅがスパッツ本体４１の股下前部裏側に縫付けられた部分と、ステッチ縫い１３ｉによって１対の分岐部分１３ａ，１３ｂがスパッツ本体４１の臀部裏側に縫付けられた部分との間は縫付けられておらず、フリーの状態になっている。
【０３５３】
１対の分岐部分１３ａ，１３ｂの内側におけるステッチ縫い１３ｉの縫い止まり点１３ｋは、羽根部材１３の分岐点１３ｃから約７ｃｍ（６．０ｃｍ〜８．０ｃｍ）離れており、１対の分岐部分１３ａ，１３ｂの外側におけるステッチ縫い１３ｉの縫い止まり点１３ｋは、内側のステッチ縫い１３ｉの縫い止まり点１３ｋとほぼ対応する位置にあって、少なくとも着用者の肛門の位置ＨＣＰよりは上方にある。
【０３５４】
そして、図１７（ｄ）に示されるように、羽根部材１３は、トレーニング用スパッツ４０を着用したときに、着用者の肛門の位置ＨＣＰが１対の分岐部分１３ａ，１３ｂの間の分岐点１３ｃの近傍（分岐点１３ｃから約１．５ｃｍ（１．０ｃｍ〜２．０ｃｍ）離れた位置）にくるように縫付けられている。
【０３５５】
これによって、本実施の形態８にかかるトレーニング用スパッツ４０を着用することによって、羽根部材４０には伸縮性による引っ張り力がかかり、着用者の肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【０３５６】
そして、本実施の形態８にかかるトレーニング用スパッツ４０を着用して、ウォーキング、ジョギング、エアロビクス、ヨガ、等のトレーニングをすることによって、筋肉に刺激が与えられ大臀筋・中臀筋が鍛えられて効果的にトレーニングをすることができ、美しいプロポーションを得ることができる。
【０３５７】
また、図１７（ｄ）に示されるように、本実施の形態８にかかるトレーニング用スパッツ４０においては、小さい窪みの位置ＨＥＰが伸縮性を有する生地からなる羽根部材１３の１対の分岐部分１３ａ，１３ｂによって押えられるため、小尻になってヒップアップの効果も得られ、より美しいプロポーションを得ることができる。
【０３５８】
このようにして、本実施の形態８にかかるトレーニング用スパッツ４０においては、意識しなくても単独で、またはズボン・パンツやスカート等の衣服の下に着用するだけで肛門が引き締められて正しい姿勢をとることができ、さらに着用してトレーニングをするだけで筋肉に刺激を与え大臀筋・中臀筋が鍛えられて効果的にトレーニングをすることができ、美しいプロポーションを得ることができる。
【０３５９】
実施の形態９
次に、本発明の実施の形態９にかかるトレーニング用スパッツについて、図１８を参照して説明する。
【０３６０】
図１８（ａ）は本発明の実施の形態９にかかるトレーニング用スパッツの全体構成を示す正面図、（ｂ）は背面図、（ｃ）は本発明の実施の形態９にかかるトレーニング用スパッツを裏返した場合の上部の構成を示す正面図、（ｄ）は背面図、（ｅ）は本発明の実施の形態９にかかるトレーニング用スパッツの股下部分の内部構造を示す部分拡大図である。
【０３６１】
なお、本実施の形態９にかかるトレーニング用スパッツの構成は、一部を除いて上記実施の形態８にかかる図１７に示されるトレーニング用スパッツ４０と同様であるため、同一部分には図１７と同一の符号を付して、一部説明を省略する。
【０３６２】
図１８（ａ），（ｂ）に示されるように、本実施の形態９にかかるトレーニング用スパッツ５５は、伸縮性を有する生地としてのサテンネットを二枚重ねて前中心ＦＣと後中心ＢＣで縫い合わせてなるスパッツ本体４１の裏側に、伸縮性を有する生地としての二枚のパワーネットを袋縫いしてなる羽根部材１３Ａを縫付けてなるものである。
【０３６３】
さらに、図１８（ｃ），（ｄ）に示されるように、トレーニング用スパッツ５５を裏返すと、スパッツ本体４１の裏側には伸縮性を有する生地としてのパワーネットからなる羽根部材１３が、スパッツ本体４１に直接縫付けられている。そして、羽根部材１３は、スパッツ本体４１の股部の裏側に取付けられた股下当て布５６の中を潜って、スパッツ本体４１に縫付けられている。
【０３６４】
なお、股下当て布５６を構成する生地は、パワーネット以外の、トリコット、ニット生地、ポリウレタン混合生地、綿ストレッチ、スパンレックス、サテンネット、ストレッチレース等の伸縮性を有する生地でも、ポリエステル生地、アクリル生地を始めとする伸縮性を有しない生地でも良い。股下当て布５６は、着用者の股部に当接するものなので、できるだけ肌触りが良く、弾力性を有するものが好ましい。
【０３６５】
したがって、スパッツ本体４１は、本発明における「伸縮性を有する生地からなるスパッツ本体」に相当する。また、本実施の形態９にかかるトレーニング用スパッツ５５は、「伸縮性を有する生地からなるスパッツ本体と、１対の分岐部分を有する略Ｙ字形の伸縮性を有する生地からなる羽根部材とを具備するトレーニング用スパッツ」に相当し、さらに「羽根部材はスパッツ本体の股部の裏側に取付けられた股下当て布とスパッツ本体の股部との間を潜って取付けられているトレーニング用スパッツ」に相当する。
【０３６６】
即ち、図１８（ｄ）に示されるように、前述したように二枚のパワーネット生地を袋縫いしてなる羽根部材１３は、１対の分岐部分１３ａ，１３ｂの先端及びその周囲の部分がステッチ縫い１３ｉによってスパッツ本体４１の臀部裏側に直接縫付けられており、羽根部材１３の分岐していない側１３ｄの先端１３ｅが、ステッチ縫い１３ｈによってスパッツ本体４１の裏側に縫付けられている。
【０３６７】
そして、図１８（ｅ）に示されるように、股下当て布５６は、羽根部材１３を縫付けずに羽根部材１３を覆うように、その両縁がスパッツ本体４１の股部の裏側に、ステッチ縫い５６ａによって縫付けられている。これによって、着用者の股部に羽根部材１３が直接当接することが防止され、股下当て布５６を介して当接するため、股下当て布５６がクッションとなって穿き心地が向上し、長時間着用しても違和感を覚えることがなくなる。また、羽根部材１３は股下当て布５６の中で自由に伸縮することができる。
【０３６８】
したがって、羽根部材１３は、ステッチ縫い１３ｈによって分岐していない側１３ｄの先端が縫付けられた部分と、ステッチ縫い１３ｉによってスパッツ本体４１の臀部裏側に縫付けられた部分との間は縫付けられておらず、フリーの状態になっている。
【０３６９】
１対の分岐部分１３ａ，１３ｂの内側におけるステッチ縫い１３ｉの縫い止まり点１３ｋは、羽根部材１３の分岐点１３ｃから約７ｃｍ（６．０ｃｍ〜８．０ｃｍ）離れており、１対の分岐部分１３ａ，１３ｂの外側におけるステッチ縫い１３ｉの縫い止まり点１３ｋは、内側のステッチ縫い１３ｉの縫い止まり点とほぼ対応する位置にあって、少なくとも着用者の肛門の位置ＨＣＰよりは上方にある。
【０３７０】
そして、図１８（ｄ）に示されるように、羽根部材１３は、トレーニング用スパッツ５５を着用したときに、着用者の肛門の位置ＨＣＰが１対の分岐部分１３ａ，１３ｂの間の分岐点１３ｃの近傍（分岐点１３ｃから約１．５ｃｍ（１．０ｃｍ〜２．０ｃｍ）離れた位置）にくるように縫付けられている。
【０３７１】
これによって、本実施の形態９にかかるトレーニング用スパッツ５５を着用することによって、羽根部材１３には伸縮性による引っ張り力がかかり、着用者の肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。また、肛門が引き締められると臀部に左右１対の笑窪様の小さい窪みが生じ、これらの小さい窪みの位置する点ＨＥＰが羽根部材１３の１対の分岐部分１３ａ，１３ｂによって押えられるため、着用者の臀部が引き締まって小尻になるとともにヒップアップの効果が得られる。
【０３７２】
このようにして、本実施の形態９にかかるトレーニング用スパッツ５５においては、意識しなくても単独で、またはズボン・パンツやスカート等の衣服の下に着用するだけで肛門が引き締められて正しい姿勢をとることができ、さらに着用してトレーニングをするだけで筋肉に刺激を与え大臀筋・中臀筋が鍛えられて効果的にトレーニングをすることができ、美しいプロポーションを得ることができるとともに、穿き心地も良く長時間着用しても違和感を生ずることがない。
【０３７３】
上記実施の形態８及び本実施の形態９にかかるトレーニング用スパッツ４０，５５においては、羽根部材として羽根部材１３を用いた例について説明したが、上述した羽根部材１３Ｂ，１３Ｃ，１３Ｄ，１３Ｅ，１３Ｆ，１３Ｇ，１３Ｈ，１３Ｊ，１３Ｋ，１３Ｌ，１３Ｍ，１３Ｎ，１３Ｐを始めとして、伸縮性を有する生地からなる略Ｙ字形の羽根部材であれば、どのような形状のものを用いても良い。
【０３７４】
また、羽根部材として、上記実施の形態６にかかるトレーニング用サポーター２６におけるパワーネットからなる略Ｘ字形の羽根部材２８を始めとする、伸縮性を有する生地からなる略Ｘ字形の羽根部材を縫付けても良い。これによって、意識しなくても着用するだけで肛門が引き締められて正しい姿勢をとることができ、さらに着用してトレーニングをするだけで筋肉に刺激を与え大臀筋・中臀筋が鍛えられて効果的にトレーニングをすることができ、美しいプロポーションを得ることができる。
【０３７５】
さらに、特に男性が前面にファスナー等の開閉具が設けられたトレーニングパンツ等の下に伸縮性を有する生地からなる略Ｘ字形の羽根部材を縫付けたトレーニング用スパッツを着用した場合には、排尿時に一々トレーニング用スパッツを下ろす必要がなく、非常に使い勝手が良いという作用効果が得られる。
【０３７６】
実施の形態１０
次に、本発明の実施の形態１０にかかるトレーニング用スパッツについて、図１９を参照して説明する。
【０３７７】
図１９（ａ）は本発明の実施の形態１０にかかるトレーニング用スパッツの全体構成を示す正面図、（ｂ）は背面図、（ｃ）は本発明の実施の形態１０にかかるトレーニング用スパッツを裏返した場合の上部の構成を示す正面図、（ｄ）は背面図、（ｅ）は本発明の実施の形態１０にかかるトレーニング用スパッツの股下部分の内部構造を示す部分拡大図である。
【０３７８】
なお、本実施の形態１０にかかるトレーニング用スパッツの構成は、一部を除いて上記実施の形態８にかかる図１７に示されるトレーニング用スパッツ４０と同様であるため、同一部分には図１７と同一の符号を付して、一部説明を省略する。
【０３７９】
図１９（ａ），（ｂ）に示されるように、本実施の形態１０にかかるトレーニング用スパッツ５５Ａは、伸縮性を有する生地としてのサテンネットを二枚重ねて前中心ＦＣと後中心ＢＣで縫い合わせてなるスパッツ本体４１を中心に構成されている。
【０３８０】
また、図１９（ｃ），（ｄ）に示されるように、トレーニング用スパッツ５５Ａを裏返すと、スパッツ本体４１の裏側には伸縮性を有する生地としてのパワーネットからなる羽根部材１３Ａが直接縫付けられている。ここで、羽根部材１３Ａは、分岐していない側１３Ａｄの端１３Ａｅが、スパッツ本体４１の裏側の前部の上端にステッチ縫い１３Ａｈによって縫付けられている。そして、羽根部材１３Ａは、スパッツ本体４１の股部の裏側に取付けられた伸縮性を有する生地としてのパワーネットからなる股下当て布５６の中を潜って、スパッツ本体４１に縫付けられている。
【０３８１】
なお、股下当て布５６を構成する生地は、パワーネット以外の、トリコット、ニット生地、ポリウレタン混合生地、綿ストレッチ、スパンレックス、サテンネット、ストレッチレース等の伸縮性を有する生地でも、ポリエステル生地、アクリル生地を始めとする伸縮性を有しない生地でも良い。股下当て布５６は、着用者の股部に当接するものなので、できるだけ肌触りが良く、弾力性を有するものが好ましい。
【０３８２】
したがって、スパッツ本体４１は、本発明における「伸縮性を有する生地からなるスパッツ本体」に相当する。また、本実施の形態１０にかかるトレーニング用スパッツ５５Ａは、「伸縮性を有する生地からなるスパッツ本体と、１対の分岐部分を有する略Ｙ字形の伸縮性を有する生地からなる羽根部材とを具備するトレーニング用スパッツ」に相当する。
【０３８３】
さらに、本実施の形態１０にかかるトレーニング用スパッツ５５Ａは、「羽根部材の分岐していない側の先端がスパッツ本体の裏側の前部の上端に縫付けられているトレーニング用スパッツ」に相当し、また「羽根部材がスパッツ本体の股部の裏側に取付けられた股下当て布とスパッツ本体の股部との間を潜って取付けられているトレーニング用スパッツ」に相当する。
【０３８４】
また、羽根部材１３Ａは、羽根部材１３と同様に二枚のパワーネット生地を袋縫いしてなるものであり、１対の分岐部分１３Ａａ，１３Ａｂの先端及びその周囲の部分がステッチ縫い１３Ａｉによってスパッツ本体４１の臀部に縫付けられており、羽根部材１３Ａの分岐していない側１３Ａｄの先端１３Ａｅが、ステッチ縫い１３Ａｈによってスパッツ本体４１の裏側の前部の上端まで伸びて縫付けられている。
【０３８５】
これによって、伸縮性を有する生地としての二枚のパワーネット生地からなる羽根部材１３Ａの引っ張り力がより強力になって、肛門が効果的に締付けられるとともに、下腹部が羽根部材１３Ａによって押え付けられるので、下腹部が引っ込んでより美しいプロポーションを得ることができる。
【０３８６】
そして、図１９（ｅ）に示されるように、股下当て布５６は、羽根部材１３Ａを縫付けずに羽根部材１３Ａを覆うように、その両縁がスパッツ本体４１の股部の裏側に、ステッチ縫い５６ａによって縫付けられている。これによって、着用者の股部に羽根部材１３Ａが直接当接することが防止され、股下当て布５６を介して当接するため、股下当て布５６がクッションとなって穿き心地が向上し、長時間着用しても違和感を覚えることがなくなる。また、羽根部材１３Ａは股下当て布５６の中で自由に伸縮することができる。
【０３８７】
したがって、羽根部材１３Ａは、ステッチ縫い１３Ａｈによって分岐していない側１３Ａｄの先端１３Ａｅがスパッツ本体４１の裏側の前部の上端に縫付けられた部分と、ステッチ縫い１３Ａｉによってスパッツ本体４１の臀部裏側に縫付けられた部分との間は縫付けられておらず、フリーの状態になっている。
【０３８８】
１対の分岐部分１３Ａａ，１３Ａｂの内側におけるステッチ縫い１３Ａｉの縫い止まり点１３Ａｋは、羽根部材１３Ａの分岐点１３Ａｃから約７ｃｍ（６．０ｃｍ〜８．０ｃｍ）離れており、１対の分岐部分１３Ａａ，１３Ａｂの外側におけるステッチ縫い１３Ａｉの縫い止まり点１３Ａｋは、内側のステッチ縫い１３Ａｉの縫い止まり点とほぼ対応する位置にあって、少なくとも着用者の肛門の位置ＨＣＰよりは上方にある。
【０３８９】
そして、図１９（ｄ）に示されるように、羽根部材１３Ａは、トレーニング用スパッツ５５Ａを着用したときに、着用者の肛門の位置ＨＣＰが１対の分岐部分１３Ａａ，１３Ａｂの間の分岐点１３Ａｃの近傍（分岐点１３Ａｃから約１．５ｃｍ（１．０ｃｍ〜２．０ｃｍ）離れた位置）にくるように縫付けられている。
【０３９０】
これによって、本実施の形態１０にかかるトレーニング用スパッツ５５Ａを着用することによって、羽根部材１３Ａには伸縮性による引っ張り力がかかり、着用者の肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【０３９１】
また、肛門が引き締められると臀部に左右１対の笑窪様の小さい窪みが生じ、これらの小さい窪みの位置する点ＨＥＰが羽根部材１３Ａの１対の分岐部分１３Ａａ，１３Ａｂによって押えられるため、着用者の臀部が引き締まって小尻になるとともにヒップアップの効果が得られる。さらに、本実施の形態１０にかかるトレーニング用スパッツ５５Ａにおいては、羽根部材１３Ａの分岐していない側１３Ａｄが股下当て布５６を介して着用者の股下に当接するので、穿き心地が著しく向上するという利点が得られる。
【０３９２】
なお、羽根部材１３Ａについては、羽根部材１３のように二枚の伸縮性を有する生地を袋縫いにしたものでも、羽根部材１３Ｎのように一枚の伸縮性を有する生地の縁を裁ちかがり縫いしたものでも、羽根部材１３Ｐのように袋縫いにして作製した左右対称の部分を中心接ぎ縫い１３Ｐｇで接いでなるものでも良い。
【０３９３】
このようにして、本実施の形態１０にかかるトレーニング用スパッツ５５Ａにおいては、意識しなくても単独で、またはズボン・パンツやスカート等の衣服の下に着用するだけで肛門がより強力に引き締められて正しい姿勢をとることができ、さらに着用してトレーニングをするだけで筋肉に刺激を与え大臀筋・中臀筋が鍛えられて効果的にトレーニングをすることができ、美しいプロポーションを得ることができるとともに、穿き心地も良く長時間着用しても違和感を生ずることがない。
【０３９４】
実施の形態１１
次に、本発明の実施の形態１１にかかるトレーニング用スパッツについて、図２０及び図２１を参照して説明する。
【０３９５】
図２０（ａ）は本発明の実施の形態１１にかかるトレーニング用スパッツの全体構成を示す正面図、（ｂ）は背面図、（ｃ）は本発明の実施の形態１１にかかるトレーニング用スパッツを裏返した場合の上部の構成を示す正面図、（ｄ）は背面図、（ｅ）は本発明の実施の形態１１にかかるトレーニング用スパッツの股下部分の内部構造を示す部分拡大図である。
【０３９６】
図２１（ａ）は本発明の実施の形態１１の第１変形例にかかるトレーニング用スパッツを裏返した場合の全体構成を示す正面図、（ｂ）は股下部分の内部構造を示す部分拡大図、（ｃ）は本発明の実施の形態１１の第２変形例にかかるトレーニング用スパッツを裏返した場合の全体構成を示す正面図、（ｄ）は本発明の実施の形態１１の第３変形例にかかるトレーニング用スパッツを裏返した場合の全体構成を示す正面図である。
【０３９７】
なお、本実施の形態１１にかかるトレーニング用スパッツの構成は、一部を除いて上記実施の形態１０にかかる図１９に示されるトレーニング用スパッツ５５Ａと同様であるため、同一部分には図１９と同一の符号を付して、一部説明を省略する。
【０３９８】
図２０（ａ），（ｂ）に示されるように、本実施の形態１１にかかるトレーニング用スパッツ５５Ｂは、伸縮性を有する生地としてのサテンネットを二枚重ねて前中心ＦＣと後中心ＢＣで縫い合わせてなるスパッツ本体４１を中心に構成されている。
【０３９９】
また、図２０（ｃ），（ｄ）に示されるように、トレーニング用スパッツ５５Ｂを裏返すと、スパッツ本体４１の裏側には伸縮性を有する生地としてのパワーネットからなる羽根部材１３Ｑが直接縫付けられている。ここで、羽根部材１３Ｑは、分岐していない側１３Ｑｄの端１３Ｑｅが、スパッツ本体４１の裏側の前部の上端にステッチ縫い１３Ｑｈによって縫付けられている。
【０４００】
さらに、羽根部材１３Ｑは、スパッツ本体４１の股部の裏側に取付けられた伸縮性を有する生地としてのパワーネットからなる股下当て布５６の中を潜って、スパッツ本体４１に縫付けられている。そして、羽根部材１３Ｑには１対の枝部分１３Ｑｊが設けられており、羽根部材１３Ｑが股下当て布５６を潜って取付けられる際に、１対の枝部分１３Ｑｊが股下当て布５６の内部においてスパッツ本体４１の股部の裏側及び股下当て布５６に縫付けられている。
【０４０１】
したがって、スパッツ本体４１は、本発明における「伸縮性を有する生地からなるスパッツ本体」に相当する。また、本実施の形態１１にかかるトレーニング用スパッツ５５Ｂは、「伸縮性を有する生地からなるスパッツ本体と、１対の分岐部分を有する略Ｙ字形の伸縮性を有する生地からなる羽根部材とを具備するトレーニング用スパッツ」に相当し、「羽根部材の分岐していない側の先端がスパッツ本体の裏側の前部の上端に縫付けられているトレーニング用スパッツ」に相当する。
【０４０２】
さらに、本実施の形態１１にかかるトレーニング用スパッツ５５Ｂは、「羽根部材がスパッツ本体の股部の裏側に取付けられた股下当て布とスパッツ本体の股部との間を潜って取付けられているトレーニング用スパッツ」に相当し、また「羽根部材には１対の枝部分が設けられており、羽根部材がスパッツ本体の股部の裏側に取付けられた股下当て布とスパッツ本体の股部との間を潜って取付けられる際に枝部分が股下当て布の内部においてスパッツ本体の股部の裏側及び股下当て布に縫付けられているトレーニング用スパッツ」に相当する。
【０４０３】
また、羽根部材１３Ｑは、羽根部材１３と同様に二枚のパワーネット生地を袋縫いしてなるものであり、１対の分岐部分１３Ｑａ，１３Ｑｂの先端及びその周囲の部分がステッチ縫い１３Ｑｉによってスパッツ本体４１の臀部に縫付けられており、羽根部材１３Ｑの分岐していない側１３Ｑｄの先端１３Ｑｅが、ステッチ縫い１３Ｑｈによってスパッツ本体４１の裏側の前部の上端まで伸びて縫付けられている。
【０４０４】
これによって、伸縮性を有する生地としての二枚のパワーネット生地からなる羽根部材１３Ｑの引っ張り力がより強力になって、肛門が効果的に締付けられるとともに、下腹部が羽根部材１３Ｑによって押え付けられるので、下腹部が引っ込んでより美しいプロポーションを得ることができる。
【０４０５】
そして、図２０（ｅ）に示されるように、股下当て布５６は、羽根部材１３Ｑの枝部分１３Ｑｊのみを縫付けて、羽根部材１３Ｑを覆うようにその両縁がスパッツ本体４１の股部の裏側に、ステッチ縫い５６ａによって縫付けられている。これによって、着用者の股部に羽根部材１３Ｑが直接当接することが防止され、股下当て布５６を介して当接するため、股下当て布５６がクッションとなって穿き心地が向上し、長時間着用しても違和感を覚えることがなくなる。
【０４０６】
また、羽根部材１３Ｑは股下当て布５６の中で枝部分１３Ｑｊのみが縫付けられることによって、長い羽根部材１３Ｑの中間部分を羽根部材１３Ｑの自由な伸縮を妨げることなく、長い羽根部材１３Ｑの中間部分が捩れたりずれたりして肛門を引き締める効果が半減するとともに穿き心地も悪くなる事態を、確実に防止することができる。さらに、羽根部材１３Ｑは股下当て布５６の中で自由に伸縮することができる。
【０４０７】
したがって、羽根部材１３Ｑは、ステッチ縫い１３Ｑｈによって分岐していない側１３Ｑｄの先端１３Ｑｅがスパッツ本体４１の裏側の前部の上端に縫付けられた部分と、ステッチ縫い１３Ｑｉによってスパッツ本体４１の臀部裏側に縫付けられた部分との間は、枝部分１３Ｑｊのみが縫付けられており、自由に伸縮することができる。
【０４０８】
１対の分岐部分１３Ｑａ，１３Ｑｂの内側におけるステッチ縫い１３Ｑｉの縫い止まり点１３Ｑｋは、羽根部材１３Ｑの分岐点１３Ｑｃから約７ｃｍ（６．０ｃｍ〜８．０ｃｍ）離れており、１対の分岐部分１３Ｑａ，１３Ｑｂの外側におけるステッチ縫い１３Ｑｉの縫い止まり点１３Ｑｋは、内側のステッチ縫い１３Ｑｉの縫い止まり点とほぼ対応する位置にあって、少なくとも着用者の肛門の位置ＨＣＰよりは上方にある。
【０４０９】
そして、図２０（ｄ）に示されるように、羽根部材１３Ｑは、トレーニング用スパッツ５５Ｂを着用したときに、着用者の肛門の位置ＨＣＰが１対の分岐部分１３Ｑａ，１３Ｑｂの間の分岐点１３Ｑｃの近傍（分岐点１３Ｑｃから約１．５ｃｍ（１．０ｃｍ〜２．０ｃｍ）離れた位置）にくるように縫付けられている。
【０４１０】
これによって、本実施の形態１１にかかるトレーニング用スパッツ５５Ｂを着用することによって、羽根部材１３Ｑには伸縮性による引っ張り力がかかり、着用者の肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【０４１１】
また、肛門が引き締められると臀部に左右１対の笑窪様の小さい窪みが生じ、これらの小さい窪みの位置する点ＨＥＰが羽根部材１３Ｑの１対の分岐部分１３Ｑａ，１３Ｑｂによって押えられるため、着用者の臀部が引き締まって小尻になるとともにヒップアップの効果が得られる。さらに、本実施の形態１１にかかるトレーニング用スパッツ５５Ｂにおいては、羽根部材１３Ｑの分岐していない側１３Ｑｄが股下当て布５６を介して着用者の股下に当接するので、穿き心地が著しく向上するという利点が得られる。
【０４１２】
なお、羽根部材１３Ｑについては、羽根部材１３のように二枚の伸縮性を有する生地を袋縫いにしたものでも、羽根部材１３Ｎのように一枚の伸縮性を有する生地の縁を裁ちかがり縫いしたものでも、羽根部材１３Ｐのように袋縫いにして作製した左右対称の部分を中心接ぎ縫い１３Ｐｇで接いでなるものでも良い。
【０４１３】
このようにして、本実施の形態１１にかかるトレーニング用スパッツ５５Ｂにおいては、意識しなくても単独で、またはズボン・パンツやスカート等の衣服の下に着用するだけで肛門がより強力に引き締められて正しい姿勢をとることができ、さらに着用してトレーニングをするだけで筋肉に刺激を与え大臀筋・中臀筋が鍛えられて効果的にトレーニングをすることができ、美しいプロポーションを得ることができるとともに、穿き心地も良く長時間着用しても違和感を生ずることがない。
【０４１４】
次に、本実施の形態１１の変形例にかかるトレーニング用スパッツについて、図２１を参照して説明する。なお、本実施の形態１１の変形例にかかるトレーニング用スパッツの構成は、一部を除いて上記実施の形態１１にかかるトレーニング用スパッツ５５Ｂと同様であるため、同一の部分には同一の符号を付して、一部説明を省略する。
【０４１５】
図２１（ａ）に示されるように、本実施の形態１１の第１変形例にかかるトレーニング用スパッツ５５Ｃは、伸縮性を有する生地としてのサテンネットを二枚重ねて前中心ＦＣと後中心ＢＣで縫い合わせてなるスパッツ本体４１を中心に構成されている。本実施の形態１１の第１変形例にかかるトレーニング用スパッツ５５Ｃが上記トレーニング用スパッツ５５Ｂと異なるのは、図２１（ａ）に示されるように、羽根部材５４Ｃの形状のみである。
【０４１６】
即ち、本実施の形態１１の第１変形例にかかるトレーニング用スパッツ５５Ｃにおいても、羽根部材１３Ａ，１３Ｑのように二枚の伸縮性を有する生地としてのパワーネット生地を袋縫いにしてなる羽根部材５４Ｃの分岐していない側５４Ｃｄの先端５４Ｃｅが、ステッチ縫い５４Ｃｈによってスパッツ本体４１の裏側の前部の上端まで伸びて縫付けられている。そして、羽根部材５４Ｃの分岐していない側５４Ｃｄは、上記トレーニング用スパッツ５５Ｂにおける羽根部材１３Ｑよりも大きくなっている。
【０４１７】
これによって、伸縮性を有する生地としての二枚のパワーネット生地からなる羽根部材５４Ｃの引っ張り力がより強力になって、肛門が効果的に締付けられるとともに、下腹部が羽根部材５４Ｃによって押え付けられるので、下腹部が引っ込んでより美しいプロポーションを得ることができる。
【０４１８】
そして、図２１（ｂ）に示されるように、股下当て布５６は、羽根部材５４Ｃの枝部分５４Ｃｊのみを縫付けて、羽根部材５４Ｃを覆うようにその両縁がスパッツ本体４１の股部の裏側に、ステッチ縫い５６ａによって縫付けられている。これによって、着用者の股部に羽根部材５４Ｃが直接当接することが防止され、股下当て布５６を介して当接するため、股下当て布５６がクッションとなって穿き心地が向上し、長時間着用しても違和感を覚えることがなくなる。
【０４１９】
また、羽根部材５４Ｃは股下当て布５６の中で枝部分５４Ｃｊのみが縫付けられることによって、長い羽根部材５４Ｃの中間部分を羽根部材５４Ｃの自由な伸縮を妨げることなく、長い羽根部材５４Ｃの中間部分が捩れたりずれたりして肛門を引き締める効果が半減するとともに穿き心地も悪くなる事態を、確実に防止することができる。
【０４２０】
次に、図２１（ｃ）に示されるように、本実施の形態１１の第２変形例にかかるトレーニング用スパッツ５５Ｄも、伸縮性を有する生地としてのサテンネットを二枚重ねて前中心ＦＣと後中心ＢＣで縫い合わせてなるスパッツ本体４１を中心に構成されている。本実施の形態１１の第２変形例にかかるトレーニング用スパッツ５５Ｄが上記トレーニング用スパッツ５５Ｂ，５５Ｃと異なるのは、図２１（ｃ）に示されるように、羽根部材５４Ｄの形状のみである。
【０４２１】
即ち、本実施の形態１１の第２変形例にかかるトレーニング用スパッツ５５Ｄにおいては、羽根部材５４Ｃのように二枚の伸縮性を有する生地としてのパワーネット生地を袋縫いにしてなる羽根部材５４Ｄの分岐していない側５４Ｄｄの先端５４Ｄｅが、スパッツ本体４１の裏側の前部の上端までは届いておらず、上端から少し下がった位置において、ステッチ縫い５４Ｄｈによってスパッツ本体４１の裏側に縫付けられている。
【０４２２】
これによって、伸縮性を有する生地としての二枚のパワーネット生地からなる羽根部材５４Ｄの引っ張り力がより強力になって、肛門が効果的に締付けられるとともに、下腹部が羽根部材５４Ｄによって押え付けられるので、下腹部が引っ込んでより美しいプロポーションを得ることができる。
【０４２３】
そして、股下当て布５６は、羽根部材５４Ｄの枝部分５４Ｄｊのみを縫付けて、羽根部材５４Ｄを覆うようにその両縁がスパッツ本体４１の股部の裏側に、ステッチ縫い５６ａによって縫付けられている。これによって、着用者の股部に羽根部材５４Ｄが直接当接することが防止され、股下当て布５６を介して当接するため、股下当て布５６がクッションとなって穿き心地が向上し、長時間着用しても違和感を覚えることがなくなる。
【０４２４】
また、羽根部材５４Ｄは股下当て布５６の中で枝部分５４Ｄｊのみが縫付けられることによって、長い羽根部材５４Ｄの中間部分を羽根部材５４Ｄの自由な伸縮を妨げることなく、長い羽根部材５４Ｄの中間部分が捩れたりずれたりして肛門を引き締める効果が半減するとともに穿き心地も悪くなる事態を、確実に防止することができる。
【０４２５】
次に、図２１（ｄ）に示されるように、本実施の形態１１の第３変形例にかかるトレーニング用スパッツ５５Ｅも、伸縮性を有する生地としてのサテンネットを二枚重ねて前中心ＦＣと後中心ＢＣで縫い合わせてなるスパッツ本体４１を中心に構成されている。本実施の形態１１の第３変形例にかかるトレーニング用スパッツ５５Ｅが上記トレーニング用スパッツ５５Ｂ，５５Ｃ，５５Ｄと異なるのは、図２１（ｄ）に示されるように、羽根部材５４Ｅの形状のみである。
【０４２６】
即ち、本実施の形態１１の第３変形例にかかるトレーニング用スパッツ５５Ｅにおいては、羽根部材５４Ｃ，５４Ｄのように二枚の伸縮性を有する生地としてのパワーネット生地を袋縫いにしてなる羽根部材５４Ｅの分岐していない側５４Ｅｄの面積がさらに広くなっており、分岐していない側５４Ｅｄの先端５４Ｅｅが、スパッツ本体４１の裏側の前部の上端まで届いているのみならず、スパッツ本体４１の裏側の両脇部分にまで達しており、ステッチ縫い５４Ｅｈによってスパッツ本体４１の裏側に縫付けられている。
【０４２７】
これによって、伸縮性を有する生地としての二枚のパワーネット生地からなる羽根部材５４Ｅの引っ張り力がより強力になって、肛門が効果的に締付けられるとともに、下腹部が羽根部材５４Ｅによって押え付けられるので、下腹部が引っ込んでより美しいプロポーションを得ることができる。
【０４２８】
そして、股下当て布５６は、羽根部材５４Ｅの枝部分５４Ｅｊのみを縫付けて、羽根部材５４Ｅを覆うようにその両縁がスパッツ本体４１の股部の裏側に、ステッチ縫い５６ａによって縫付けられている。これによって、着用者の股部に羽根部材５４Ｅが直接当接することが防止され、股下当て布５６を介して当接するため、股下当て布５６がクッションとなって穿き心地が向上し、長時間着用しても違和感を覚えることがなくなる。
【０４２９】
また、羽根部材５４Ｅは股下当て布５６の中で枝部分５４Ｅｊのみが縫付けられることによって、長い羽根部材５４Ｅの中間部分を羽根部材５４Ｅの自由な伸縮を妨げることなく、長い羽根部材５４Ｅの中間部分が捩れたりずれたりして肛門を引き締める効果が半減するとともに穿き心地も悪くなる事態を、確実に防止することができる。
【０４３０】
このようにして、本実施の形態１１の変形例にかかるトレーニング用スパッツ５５Ｃ，５５Ｄ，５５Ｅにおいては、意識しなくても単独で、またはズボン・パンツやスカート等の衣服の下に着用するだけで肛門がより強力に引き締められて正しい姿勢をとることができ、さらに着用してトレーニングをするだけで筋肉に刺激を与え大臀筋・中臀筋が鍛えられて効果的にトレーニングをすることができ、さらに下腹部が引き締められるためより美しいプロポーションを得ることができ、穿き心地も良く長時間着用しても違和感を生ずることがない。
【０４３１】
実施の形態１２
次に、本発明の実施の形態１２にかかるトレーニング用スパッツについて、図２２を参照して説明する。
【０４３２】
図２２（ａ）は本発明の実施の形態１２にかかるトレーニング用スパッツの全体構成を示す正面図、（ｂ）は背面図、（ｃ）は本発明の実施の形態１２にかかるトレーニング用スパッツを裏返した場合の全体構成を示す正面図、（ｄ）は背面図、（ｅ）は本発明の実施の形態１２にかかるトレーニング用スパッツの股下部分の内部構造を示す部分拡大図である。
【０４３３】
図２２（ａ），（ｂ）に示されるように、本実施の形態１２にかかるトレーニング用スパッツ５５Ｆは、伸縮性を有する生地としてのサテンネットを二枚重ねて前中心ＦＣと後中心ＢＣで縫い合わせてなるスパッツ本体４１を中心に構成されている。
【０４３４】
また、図２２（ｃ），（ｄ）に示されるように、トレーニング用スパッツ５５Ｆを裏返すと、スパッツ本体４１の裏側には伸縮性を有する生地としてのパワーネットからなる羽根部材５４Ｆが直接縫付けられている。ここで、羽根部材５４Ｆは略Ｘ字形を有しており、前部分岐部分５４Ｆｄ，５４Ｆｅの先端が、スパッツ本体４１の裏側の前部の上端にステッチ縫い５４Ｆｊによって縫付けられている。そして、羽根部材５４Ｆは、スパッツ本体４１の股部の裏側に取付けられた股下当て布５６の中を潜って、スパッツ本体４１に縫付けられている。
【０４３５】
したがって、スパッツ本体４１は、本発明における「伸縮性を有する生地からなるスパッツ本体」に相当する。また、本実施の形態１２にかかるトレーニング用スパッツ５５Ｆは、「伸縮性を有する生地からなるスパッツ本体と、１対の分岐部分と１対の前部分岐部分とを有する略Ｘ字形の伸縮性を有する生地からなる羽根部材とを具備するトレーニング用スパッツ」に相当する。
【０４３６】
さらに、本実施の形態１２にかかるトレーニング用スパッツ５５Ｆは、「羽根部材の前部分岐部分の先端がスパッツ本体の裏側の前部の上端に縫付けられているトレーニング用スパッツ」に相当し、また「羽根部材がスパッツ本体の股部の裏側に取付けられた股下当て布とスパッツ本体の股部との間を潜って取付けられているトレーニング用スパッツ」に相当する。
【０４３７】
また、羽根部材５４Ｆは、羽根部材５４Ｃ，５４Ｄ，５４Ｅと同様に二枚のパワーネット生地を袋縫いしてなるものであり、１対の分岐部分５４Ｆａ，５４Ｆｂの先端及びその周囲の部分がステッチ縫い５４Ｆｉによってスパッツ本体４１の臀部に縫付けられており、羽根部材５４Ｆの前部分岐部分５４Ｆｄ，５４Ｆｅの先端が、ステッチ縫い５４Ｆｊによってスパッツ本体４１の裏側の前部の上端まで伸びて縫付けられている。
【０４３８】
これによって、伸縮性を有する生地としての二枚のパワーネット生地からなる羽根部材５４Ｆの引っ張り力がより強力になって、肛門が効果的に締付けられるとともに、下腹部が羽根部材５４Ｆによって押え付けられるので、下腹部が引っ込んでより美しいプロポーションを得ることができる。
【０４３９】
そして、図２２（ｅ）に示されるように、股下当て布５６は、羽根部材５４Ｆを縫付けずに羽根部材５４Ｆを覆うように、その両縁がスパッツ本体４１の股部の裏側に、ステッチ縫い５６ａによって縫付けられている。これによって、着用者の股部に羽根部材５４Ｆが直接当接することが防止され、股下当て布５６を介して当接するため、股下当て布５６がクッションとなって穿き心地が向上し、長時間着用しても違和感を覚えることがなくなる。また、羽根部材５４Ｆは股下当て布５６の中で自由に伸縮することができる。
【０４４０】
したがって、羽根部材５４Ｆは、ステッチ縫い５４Ｆｊによって前部分岐部分５４Ｆｄ，５４Ｆｅの先端がスパッツ本体４１の裏側の前部の上端に縫付けられた部分と、ステッチ縫い５４ｉによってスパッツ本体４１の臀部裏側に縫付けられた部分との間は縫付けられておらず、フリーの状態になっている。
【０４４１】
１対の分岐部分５４Ｆａ，５４Ｆｂの内側におけるステッチ縫い５４Ｆｉの縫い止まり点５４Ｆｋは、羽根部材５４Ｆの分岐点５４Ｆｃから約７ｃｍ（６．０ｃｍ〜８．０ｃｍ）離れており、１対の分岐部分５４Ｆａ，５４Ｆｂの外側におけるステッチ縫い５４Ｆｉの縫い止まり点５４Ｆｋは、内側のステッチ縫い５４Ｆｉの縫い止まり点とほぼ対応する位置にあって、少なくとも着用者の肛門の位置ＨＣＰよりは上方にある。
【０４４２】
そして、図２２（ｄ）に示されるように、羽根部材５４Ｆは、トレーニング用スパッツ５５Ｆを着用したときに、着用者の肛門の位置ＨＣＰが１対の分岐部分５４Ｆａ，５４Ｆｂの間の分岐点５４Ｆｃの近傍（分岐点５４Ｆｃから約１．５ｃｍ（１．０ｃｍ〜２．０ｃｍ）離れた位置）にくるように縫付けられている。
【０４４３】
これによって、本実施の形態１２にかかるトレーニング用スパッツ５５Ｆを着用することによって、羽根部材５４Ｆには伸縮性による引っ張り力がかかり、着用者の肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【０４４４】
また、肛門が引き締められると臀部に左右１対の笑窪様の小さい窪みが生じ、これらの小さい窪みの位置する点ＨＥＰがスパッツ本体４１を介して羽根部材５４Ｆの１対の分岐部分５４Ｆａ，５４Ｆｂによって押えられるため、着用者の臀部が引き締まって小尻になるとともにヒップアップの効果が得られる。さらに、本実施の形態１２にかかるトレーニング用スパッツ５５Ｆにおいては、羽根部材５４Ｆが股下当て布５６を介して着用者の股下に当接するので、穿き心地が著しく向上するという利点が得られる。
【０４４５】
なお、羽根部材５４Ｆについては、羽根部材５４Ｃのように二枚の伸縮性を有する生地を袋縫いにしたものでも、羽根部材１３Ｎのように一枚の伸縮性を有する生地の縁を裁ちかがり縫いしたものでも、羽根部材１３Ｐのように袋縫いにして作製した左右対称の部分を中心接ぎ縫い１３Ｐｇで接いでなるものでも良い。
【０４４６】
このようにして、本実施の形態１２にかかるトレーニング用スパッツ５５Ｆにおいては、意識しなくても単独で、またはズボン・パンツやスカート等の衣服の下に着用するだけで肛門がより強力に引き締められて正しい姿勢をとることができ、さらに着用してトレーニングをするだけで筋肉に刺激を与え大臀筋・中臀筋が鍛えられて効果的にトレーニングをすることができ、さらに下腹部が引き締められるためより美しいプロポーションを得ることができ、穿き心地も良く長時間着用しても違和感を生ずることがない。
【０４４７】
実施の形態１３
次に、本発明の実施の形態１３にかかるトレーニング用スパッツについて、図２３及び図２４を参照して説明する。
【０４４８】
図２３（ａ）は本発明の実施の形態１３にかかるトレーニング用スパッツの全体構成を示す正面図、（ｂ）は背面図、（ｃ）は本発明の実施の形態１３にかかるトレーニング用スパッツを裏返した場合の全体構成を示す正面図、（ｄ）は背面図、（ｅ）は本発明の実施の形態１３にかかるトレーニング用スパッツの股下部分の内部構造を示す部分拡大図である。図２４（ａ）は本発明の実施の形態１３の第１変形例にかかるトレーニング用スパッツを裏返した場合の全体構成を示す正面図、（ｂ）は本発明の実施の形態１３の第２変形例にかかるトレーニング用スパッツを裏返した場合の全体構成を示す正面図である。
【０４４９】
なお、本実施の形態１３にかかるトレーニング用スパッツの構成は、一部を除いて上記実施の形態１２にかかるトレーニング用スパッツ５５Ｆと同様であるため、同一の部分には同一の符号を付して、一部説明を省略する。
【０４５０】
図２３（ａ），（ｂ）に示されるように、本実施の形態１３にかかるトレーニング用スパッツ５５Ｇは、伸縮性を有する生地としてのサテンネットを二枚重ねて前中心ＦＣと後中心ＢＣで縫い合わせてなるスパッツ本体４１を中心に構成されている。
【０４５１】
また、図２３（ｃ），（ｄ）に示されるように、トレーニング用スパッツ５５Ｇを裏返すと、スパッツ本体４１の裏側には伸縮性を有する生地としてのパワーネットからなる羽根部材５４Ｇが直接縫付けられている。ここで、羽根部材５４Ｇは略Ｘ字形状を有しており、前部分岐部分５４Ｇｄ，５４Ｇｅの先端が、スパッツ本体４１の裏側の前部の上端にステッチ縫い５４Ｇｊによって縫付けられている。そして、羽根部材５４Ｇは、スパッツ本体４１の股部の裏側に取付けられた股下当て布５６の中を潜って、スパッツ本体４１に縫付けられている。
【０４５２】
さらに、羽根部材５４Ｇには１対の枝部分５４Ｇｍが設けられており、羽根部材５４Ｇが股下当て布５６を潜って取付けられる際に、１対の枝部分５４Ｇｍが股下当て布５６の内部においてスパッツ本体４１の股部の裏側及び股下当て布５６に縫付けられている。
【０４５３】
したがって、スパッツ本体４１は、本発明における「伸縮性を有する生地からなるスパッツ本体」に相当する。また、本実施の形態１３にかかるトレーニング用スパッツ５５Ｇは、「伸縮性を有する生地からなるスパッツ本体と、１対の分岐部分と１対の前部分岐部分とを有する略Ｘ字形の伸縮性を有する生地からなる羽根部材とを具備するトレーニング用スパッツ」に相当し、「羽根部材の前部分岐部分の先端がスパッツ本体の裏側の前部の上端に縫付けられているトレーニング用スパッツ」に相当する。
【０４５４】
さらに、本実施の形態１３にかかるトレーニング用スパッツ５５Ｇは、「羽根部材がスパッツ本体の股部の裏側に取付けられた股下当て布とスパッツ本体の股部との間を潜って取付けられているトレーニング用スパッツ」に相当し、また「羽根部材には１対の枝部分が設けられており、羽根部材がスパッツ本体の股部の裏側に取付けられた股下当て布とスパッツ本体の股部との間を潜って取付けられる際に枝部分が股下当て布の内部においてスパッツ本体の股部の裏側及び股下当て布に縫付けられているトレーニング用スパッツ」に相当する。
【０４５５】
ここで、羽根部材５４Ｇは、羽根部材５４Ｆと同様に二枚のパワーネット生地を袋縫いしてなるものであり、１対の分岐部分５４Ｇａ，５４Ｇｂの先端及びその周囲の部分がステッチ縫い５４Ｇｉによってスパッツ本体４１の臀部に縫付けられており、羽根部材５４Ｇの前部分岐部分５４Ｇｄ，５４Ｇｅの先端が、ステッチ縫い５４Ｇｊによってスパッツ本体４１の裏側の前部の上端まで伸びて縫付けられている。
【０４５６】
これによって、伸縮性を有する生地としての二枚のパワーネット生地からなる羽根部材５４Ｇの引っ張り力がより強力になって、肛門が効果的に締付けられるとともに、下腹部が羽根部材５４Ｇによって押え付けられるので、下腹部が引っ込んでより美しいプロポーションを得ることができる。
【０４５７】
そして、図２３（ｅ）に示されるように、股下当て布５６は、羽根部材５４Ｇの枝部分５４Ｇｍのみを縫付けて、羽根部材５４Ｇを覆うようにその両縁がスパッツ本体４１の股部の裏側に、ステッチ縫い５６ａによって縫付けられている。これによって、着用者の股部に羽根部材５４Ｇが直接当接することが防止され、股下当て布５６を介して当接するため、股下当て布５６がクッションとなって穿き心地が向上し、長時間着用しても違和感を覚えることがなくなる。
【０４５８】
また、羽根部材５４Ｇは股下当て布５６の中で枝部分５４Ｇｍのみが縫付けられることによって、羽根部材５４Ｇの自由な伸縮を妨げることなく、長い羽根部材５４Ｇの中間部分が捩れたりずれたりして肛門を引き締める効果が半減するとともに穿き心地も悪くなる事態を、確実に防止することができる。
【０４５９】
したがって、羽根部材５４Ｇは、ステッチ縫い５４Ｇｊによって前部分岐部分５４Ｇｄ，５４Ｇｅの先端がスパッツ本体４１の裏側の前部の上端に縫付けられた部分と、ステッチ縫い５４Ｇｉによってスパッツ本体４１の臀部裏側に縫付けられた部分との間は、枝部分５４Ｇｍのみが縫付けられており、自由に伸縮することができる。
【０４６０】
１対の分岐部分５４Ｇａ，５４Ｇｂの内側におけるステッチ縫い５４Ｇｉの縫い止まり点５４Ｇｋは、羽根部材５４Ｇの分岐点５４Ｇｃから約７ｃｍ（６．０ｃｍ〜８．０ｃｍ）離れており、１対の分岐部分５４Ｇａ，５４Ｇｂの外側におけるステッチ縫い５４Ｇｉの縫い止まり点５４Ｇｋは、内側のステッチ縫い５４Ｇｉの縫い止まり点とほぼ対応する位置にあって、少なくとも着用者の肛門の位置ＨＣＰよりは上方にある。
【０４６１】
そして、図２３（ｄ）に示されるように、羽根部材５４Ｇは、トレーニング用スパッツ５５Ｇを着用したときに、着用者の肛門の位置ＨＣＰが１対の分岐部分５４Ｇａ，５４Ｇｂの間の分岐点５４Ｇｃの近傍（分岐点５４Ｇｃから約１．５ｃｍ（１．０ｃｍ〜２．０ｃｍ）離れた位置）にくるように縫付けられている。
【０４６２】
これによって、本実施の形態１３にかかるトレーニング用スパッツ５５Ｇを着用することによって、羽根部材５４Ｇには伸縮性による引っ張り力がかかり、着用者の肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【０４６３】
また、肛門が引き締められると臀部に左右１対の笑窪様の小さい窪みが生じ、これらの小さい窪みの位置する点ＨＥＰがスパッツ本体４１を介して羽根部材５４Ｇの１対の分岐部分５４Ｇａ，５４Ｇｂによって押えられるため、着用者の臀部が引き締まって小尻になるとともにヒップアップの効果が得られる。さらに、本実施の形態１３にかかるトレーニング用スパッツ５５Ｇにおいては、羽根部材５４Ｇが股下当て布５６を介して着用者の股下に当接するので、穿き心地が著しく向上するという利点が得られる。
【０４６４】
なお、羽根部材５４Ｇについては、羽根部材５４Ｃ，５４Ｄ，５４Ｅ，５４Ｆのように二枚の伸縮性を有する生地を袋縫いにしたものでも、羽根部材１３Ｎのように一枚の伸縮性を有する生地の縁を裁ちかがり縫いしたものでも、羽根部材１３Ｐのように袋縫いにして作製した左右対称の部分を中心接ぎ縫い１３Ｐｇで接いでなるものでも良い。
【０４６５】
このようにして、本実施の形態１３にかかるトレーニング用スパッツ５５Ｇにおいては、意識しなくても単独で、またはズボン・パンツやスカート等の衣服の下に着用するだけで肛門がより強力に引き締められて正しい姿勢をとることができ、さらに着用してトレーニングをするだけで筋肉に刺激を与え大臀筋・中臀筋が鍛えられて効果的にトレーニングをすることができ、さらに下腹部が引き締められるためより美しいプロポーションを得ることができ、穿き心地も良く長時間着用しても違和感を生ずることがない。
【０４６６】
次に、本実施の形態１３の変形例にかかるトレーニング用スパッツについて、図２４を参照して説明する。なお、本実施の形態１３の変形例にかかるトレーニング用スパッツの構成は、一部を除いて上記実施の形態１３にかかるトレーニング用スパッツ５５Ｇと同様であるため、同一の部分には同一の符号を付すとともに、トレーニング用スパッツの全体構成を示す正面図及び背面図、トレーニング用スパッツを裏返した場合の全体構成を示す背面図については、図２３（ａ），（ｂ），（ｄ）を参照して、一部説明を省略する。
【０４６７】
図２４（ａ）に示されるように、本実施の形態１３の第１変形例にかかるトレーニング用スパッツ５５Ｈは、伸縮性を有する生地としてのサテンネットを二枚重ねて前中心ＦＣと後中心ＢＣで縫い合わせてなるスパッツ本体４１を中心に構成されている。本実施の形態１３の第１変形例にかかるトレーニング用スパッツ５５Ｈが上記トレーニング用スパッツ５５Ｇと異なるのは、図２４（ａ）に示されるように、羽根部材５４Ｈの形状のみである。
【０４６８】
即ち、本実施の形態１３の第１変形例にかかるトレーニング用スパッツ５５Ｈにおいても、羽根部材５４Ｇのように二枚の伸縮性を有する生地としてのパワーネット生地を袋縫いにしてなる羽根部材５４Ｈの前部分岐部分５４Ｈｄ，５４Ｈｅの先端が、スパッツ本体４１の裏側の前部の上端まで伸びて、ステッチ縫い５４Ｈｊによって脇部に縫付けられている。そして、羽根部材５４Ｈの前部分岐部分５４Ｈｄ，５４Ｈｅは、上記トレーニング用スパッツ５５Ｇにおける羽根部材５４Ｇよりも大きく広がっている。
【０４６９】
これによって、伸縮性を有する生地としての二枚のパワーネット生地からなる羽根部材５４Ｈの引っ張り力がまろやかになって全体に広がり、肛門が効果的に締付けられるとともに、下腹部が羽根部材５４Ｈによって押え付けられるので、下腹部が引っ込んでより美しいプロポーションを得ることができる。
【０４７０】
そして、股下当て布５６は、羽根部材５４Ｈの枝部分５４Ｈｍのみを縫付けて、羽根部材５４Ｈを覆うようにその両縁がスパッツ本体４１の股部の裏側に、ステッチ縫い５６ａによって縫付けられている。これによって、着用者の股部に羽根部材５４Ｈが直接当接することが防止され、股下当て布５６を介して当接するため、股下当て布５６がクッションとなって穿き心地が向上し、長時間着用しても違和感を覚えることがなくなる。
【０４７１】
また、羽根部材５４Ｈは股下当て布５６の中で枝部分５４Ｈｍのみが縫付けられることによって、羽根部材５４Ｈの自由な伸縮を妨げることなく、長い羽根部材５４Ｈの中間部分が捩れたりずれたりして肛門を引き締める効果が半減するとともに穿き心地も悪くなる事態を、確実に防止することができる。
【０４７２】
次に、図２４（ｂ）に示されるように、本実施の形態１３の第２変形例にかかるトレーニング用スパッツ５５Ｊも、伸縮性を有する生地としてのサテンネットを二枚重ねて前中心ＦＣと後中心ＢＣで縫い合わせてなるスパッツ本体４１を中心に構成されている。
【０４７３】
本実施の形態１３の第２変形例にかかるトレーニング用スパッツ５５Ｊが上記トレーニング用スパッツ５５Ｇ，５５Ｈと異なるのは、図２４（ｂ）に示されるように、スパッツ本体が二つの部材５４Ａ，５４Ｂから構成されている点と、羽根部材５４Ｊの形状のみである。
【０４７４】
即ち、本実施の形態１３の第２変形例にかかるトレーニング用スパッツ５５Ｊにおいては、羽根部材５４Ｇ，５４Ｈのように二枚の伸縮性を有する生地としてのパワーネット生地を袋縫いにしてなる羽根部材５４Ｊの前部分岐部分５４Ｊｄ，５４Ｊｅの先端が、スパッツ本体５４Ａ，５４Ｂの裏側の前部の上端まで届いているとともに、二つの部材５４Ａ，５４Ｂを縫い合わせるステッチ縫い５４Ｊｊによってスパッツ本体５４Ａ，５４Ｂの裏側に縫付けられている。
【０４７５】
これによって、伸縮性を有する生地としての二枚のパワーネット生地からなる羽根部材５４Ｊの引っ張り力がより強力になって、肛門が効果的に締付けられるとともに、下腹部が羽根部材５４Ｊによって押え付けられるので、下腹部が引っ込んでより美しいプロポーションを得ることができる。
【０４７６】
そして、股下当て布５６は、羽根部材５４Ｊの枝部分５４Ｊｍのみを縫付けて、羽根部材５４Ｊを覆うようにその両縁がスパッツ本体５４Ａ，５４Ｂの股部の裏側に、ステッチ縫い５６ａによって縫付けられている。これによって、着用者の股部に羽根部材５４Ｊが直接当接することが防止され、股下当て布５６を介して当接するため、股下当て布５６がクッションとなって穿き心地が向上し、長時間着用しても違和感を覚えることがなくなる。
【０４７７】
また、羽根部材５４Ｊは股下当て布５６の中で枝部分５４Ｊｍのみが縫付けられることによって、羽根部材５４Ｊの自由な伸縮を妨げることなく、長い羽根部材５４Ｊの中間部分が捩れたりずれたりして肛門を引き締める効果が半減するとともに穿き心地も悪くなる事態を、確実に防止することができる。
【０４７８】
このようにして、本実施の形態１３の変形例にかかるトレーニング用スパッツ５５Ｈ，５５Ｊにおいては、意識しなくても単独で、またはズボン・パンツやスカート等の衣服の下に着用するだけで肛門がより強力に引き締められて正しい姿勢をとることができ、さらに着用してトレーニングをするだけで筋肉に刺激を与え大臀筋・中臀筋が鍛えられて効果的にトレーニングをすることができ、さらに下腹部が引き締められるためより美しいプロポーションを得ることができ、穿き心地も良く長時間着用しても違和感を生ずることがない。
【０４７９】
実施の形態１４
次に、本発明の実施の形態１４にかかるトレーニング用スパッツについて、図２５乃至図２７を参照して説明する。
【０４８０】
図２５（ａ）は本発明の実施の形態１４にかかるトレーニング用スパッツの全体構成を示す正面図、（ｂ）は背面図、（ｃ）は本発明の実施の形態１４にかかるトレーニング用スパッツを裏返した場合の全体構成を示す正面図、（ｄ）は背面図、（ｅ）は本発明の実施の形態１４にかかるトレーニング用スパッツの股下部分の内部構造を示す部分拡大図である。
【０４８１】
図２６（ａ）は本発明の実施の形態１４の第１変形例にかかるトレーニング用スパッツの全体構成を示す正面図、（ｂ）は背面図、（ｃ）は本発明の実施の形態１４の第１変形例にかかるトレーニング用スパッツを裏返した場合の全体構成を示す正面図、（ｄ）は背面図、（ｅ）は本発明の実施の形態１４の第１変形例にかかるトレーニング用スパッツの股下部分の内部構造を示す部分拡大図である。
【０４８２】
図２７（ａ）は本発明の実施の形態１４の第２変形例にかかるトレーニング用スパッツの全体構成を示す正面図、（ｂ）は背面図、（ｃ）は本発明の実施の形態１４の第２変形例にかかるトレーニング用スパッツを裏返した場合の全体構成を示す正面図、（ｄ）は背面図、（ｅ）は本発明の実施の形態１４の第２変形例にかかるトレーニング用スパッツの股下部分の内部構造を示す部分拡大図である。
【０４８３】
なお、本実施の形態１４にかかるトレーニング用スパッツの構成は、一部を除いて上記実施の形態１２，１３にかかるトレーニング用スパッツ５５Ｆ，５５Ｇ，５５Ｈと同様であるため、同一の部分には同一の符号を付して、一部説明を省略する。
【０４８４】
図２５（ａ），（ｂ）に示されるように、本実施の形態１４にかかるトレーニング用スパッツ５５Ｋも、伸縮性を有する生地としてのサテンネットを二枚重ねて前中心ＦＣと後中心ＢＣで縫い合わせてなるスパッツ本体４１を中心に構成されている。ここで、図２５（ｃ），（ｄ）に示されるように、トレーニング用スパッツ５５Ｋの裏側には、股下当て布５６（伸縮性を有する生地としてのパワーネットからなる）が縫付けられている。
【０４８５】
そして、図２５（ｄ），（ｅ）に示されるように、トレーニング用スパッツ５５Ｋの裏側臀部には、１対の分岐部分と分岐点を含む根元部分のみからなる伸縮性を有する生地としてのパワーネットからなる後部羽根部材５４Ｋの１対の分岐部分５４Ｋａ，５４Ｋｂがステッチ縫い５４Ｋｉで縫付けられており、根元部分５４Ｋｅが股下当て布５６の後部の端にステッチ縫い５４Ｋｈで縫付けられている。
【０４８６】
したがって、スパッツ本体４１は、本発明における「伸縮性を有する生地からなるスパッツ本体」に相当する。また、本実施の形態１４にかかるトレーニング用スパッツ５５Ｋは、「羽根部材が１対の分岐部分と分岐点を含む根元部分のみからなる伸縮性を有する生地からなる後部羽根部材であって、後部羽根部材は根元部分がスパッツ本体の股部の裏側に取付けられた伸縮性を有する生地からなる股下当て布の後部の端に縫付けられているトレーニング用スパッツ」に相当する。
【０４８７】
ここで、後部羽根部材５４Ｋは、羽根部材５４Ｃと同様に、二枚のパワーネット生地を袋縫いしてなるものである。これによって、着用者の股部には股下当て布５６が当接するため、股下当て布５６がクッションとなって穿き心地が向上し、長時間着用しても違和感を覚えることがなくなる。そして、股下当て布５６は、伸縮性を有する生地としてのパワーネットからなる。
【０４８８】
したがって、後部羽根部材５４Ｋは、ステッチ縫い５４Ｋｈによって根元部分５４Ｋｅが股下当て布５６の後部の端に縫付けられた部分と、ステッチ縫い５４Ｋｉによってスパッツ本体４１の臀部裏側に縫付けられた部分との間は、自由に伸縮することができる。
【０４８９】
１対の分岐部分５４Ｋａ，５４Ｋｂの内側におけるステッチ縫い５４Ｋｉの縫い止まり点５４Ｋｋは、後部羽根部材５４Ｋの分岐点５４Ｋｃから約７ｃｍ（６．０ｃｍ〜８．０ｃｍ）離れており、１対の分岐部分５４Ｋａ，５４Ｋｂの外側におけるステッチ縫い５４Ｋｉの縫い止まり点５４Ｋｋは、内側のステッチ縫い５４Ｋｉの縫い止まり点とほぼ対応する位置にあって、少なくとも着用者の肛門の位置ＨＣＰよりは上方にある。
【０４９０】
そして、図２５（ｄ）に示されるように、後部羽根部材５４Ｋは、トレーニング用スパッツ５５Ｋを着用したときに、着用者の肛門の位置ＨＣＰが１対の分岐部分５４Ｋａ，５４Ｋｂの間の分岐点５４Ｋｃの近傍（分岐点５４Ｋｃから約１．５ｃｍ（１．０ｃｍ〜２．０ｃｍ）離れた位置）にくるように縫付けられている。
【０４９１】
これによって、本実施の形態１４にかかるトレーニング用スパッツ５５Ｋを着用することによって、後部羽根部材５４Ｋには伸縮性による引っ張り力がかかり、着用者の肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【０４９２】
また、肛門が引き締められると臀部に左右１対の笑窪様の小さい窪みが生じ、これらの小さい窪みの位置する点ＨＥＰがスパッツ本体４１を介して羽根部材５４Ｋの１対の分岐部分５４Ｋａ，５４Ｋｂによって押えられるため、着用者の臀部が引き締まって小尻になるとともにヒップアップの効果が得られる。さらに、本実施の形態１４にかかるトレーニング用スパッツ５５Ｋにおいては、股下当て布５６が着用者の股下に当接するので、穿き心地が著しく向上するという利点が得られる。
【０４９３】
なお、後部羽根部材５４Ｋについては、羽根部材１３のように二枚の伸縮性を有する生地を袋縫いにしたものでも、羽根部材１３Ｎのように一枚の伸縮性を有する生地の縁を裁ちかがり縫いしたものでも、羽根部材１３Ｐのように袋縫いにして作製した左右対称の部分を中心接ぎ縫い１３Ｐｇで接いでなるものでも良い。
【０４９４】
次に、本実施の形態１４の第１変形例にかかるトレーニング用スパッツ５５Ｌについて、図２６を参照して説明する。図２６（ａ），（ｂ），（ｄ）に示されるように、第１変形例にかかるトレーニング用スパッツ５５Ｌの背面側の構成については、上記トレーニング用スパッツ５５Ｋの構成と同様である。
【０４９５】
異なるのは、図２６（ｃ），（ｅ）に示されるように、第１変形例にかかるトレーニング用スパッツ１０６の前面裏側には、羽根部材の分岐していない側のみからなる伸縮性を有する生地としてのパワーネットからなる前部羽根部材５４Ｌが縫付けられている点である。前部羽根部材５４Ｌの分岐していない側５４Ｌｄの先端５４Ｌｅは、ステッチ縫い５４Ｌｈによってスパッツ本体４１の裏側の前部上端に縫付けられ、反対側の端５４Ｌａは、ステッチ縫い５４Ｌｉによって股下当て布５６の前部の端に縫付けられている。
【０４９６】
したがって、本実施の形態１４の第１変形例にかかるトレーニング用スパッツ５５Ｌは、本発明における「後部羽根部材とともに羽根部材の分岐していない側のみからなる伸縮性を有する生地からなる前部羽根部材を有し、前部羽根部材の分岐していない側の先端はスパッツ本体の裏側の前部に縫付けられており、前部羽根部材の反対側の端は股下当て布の前部の端に縫付けられているトレーニング用スパッツ」に相当する。
【０４９７】
これによって、上記トレーニング用スパッツ５５Ｋにおける効果に加えて、伸縮性を有する生地からなる股下当て布５６を介してではあるが、後部羽根部材５４Ｋが前部羽根部材５４Ｌによって引っ張られるために後部羽根部材５４Ｋが肛門を引き締める効果が向上するとともに、前部羽根部材５４Ｌによって下腹部が押え付けられるので、下腹部が引っ込んでより美しいプロポーションを得ることができる。
【０４９８】
なお、前部羽根部材５４Ｌについては、羽根部材１３のように二枚の伸縮性を有する生地を袋縫いにしたものでも、羽根部材１３Ｎのように一枚の伸縮性を有する生地の縁を裁ちかがり縫いしたものでも、羽根部材１３Ｐのように袋縫いにして作製した左右対称の部分を中心接ぎ縫い１３Ｐｇで接いでなるものでも良い。
【０４９９】
次に、本実施の形態１４の第２変形例にかかるトレーニング用スパッツ５５Ｍについて、図２７を参照して説明する。図２７（ａ），（ｂ），（ｄ）に示されるように、第２変形例にかかるトレーニング用スパッツ５５Ｍの背面側の構成については、上記トレーニング用スパッツ５５Ｋ，５５Ｌの構成と同様である。
【０５００】
異なるのは、図２７（ｃ），（ｅ）に示されるように、第２変形例にかかるトレーニング用スパッツ５５Ｍの前面裏側には、羽根部材の１対の前部分岐部分のみからなる伸縮性を有する生地としてのパワーネットからなる前部羽根部材５４Ｍが縫付けられている点である。前部羽根部材５４Ｍの１対の前部分岐部分５４Ｍｄ，５４Ｍｅの先端は、ステッチ縫い５４Ｍｊによってスパッツ本体４１の裏側の前部上端に縫付けられ、反対側の端５４Ｍａは、ステッチ縫い５４Ｍｈによって股下当て布５６の前部の端に縫付けられている。
【０５０１】
したがって、本実施の形態１４の第２変形例にかかるトレーニング用スパッツ５５Ｍは、本発明における「後部羽根部材とともに羽根部材の１対の前部分岐部分のみからなる伸縮性を有する生地からなる前部羽根部材を有し、前部羽根部材の１対の前部分岐部分の先端はスパッツ本体の裏側の前部に縫付けられており、前部羽根部材の反対側の端は股下当て布の前部の端に縫付けられているトレーニング用スパッツ」に相当する。
【０５０２】
これによって、上記トレーニング用スパッツ５５Ｋにおける効果に加えて、伸縮性を有する生地からなる股下当て布５６を介してではあるが、後部羽根部材５４Ｋが前部羽根部材５４Ｍによって引っ張られるために後部羽根部材５４Ｋが肛門を引き締める効果が向上するとともに、前部羽根部材５４Ｍによって下腹部が押え付けられるので、下腹部が引っ込んでより美しいプロポーションを得ることができる。
【０５０３】
なお、前部羽根部材５４Ｍについては、羽根部材１３のように二枚の伸縮性を有する生地を袋縫いにしたものでも、羽根部材１３Ｎのように一枚の伸縮性を有する生地の縁を裁ちかがり縫いしたものでも、二枚の伸縮性を有する生地の縁を裁ちかがり縫いしたものでも良い。
【０５０４】
このようにして、本実施の形態１４にかかるトレーニング用スパッツ５５Ｋ，５５Ｌ，５５Ｍにおいては、意識しなくても単独で、またはズボン・パンツやスカート等の衣服の下に着用するだけで肛門がより強力に引き締められて正しい姿勢をとることができ、さらに着用してトレーニングをするだけで筋肉に刺激を与え大臀筋・中臀筋が鍛えられて効果的にトレーニングをすることができ、さらに下腹部が引き締められるためより美しいプロポーションを得ることができ、穿き心地も良く長時間着用しても違和感を生ずることがない。
【０５０５】
上記実施の形態８乃至実施の形態１４にかかるトレーニング用スパッツ４０，５５，５５Ａ，５５Ｂ，５５Ｃ，５５Ｄ，５５Ｅ，５５Ｆ，５５Ｇ，５５Ｈ，５５Ｊ，５５Ｋ，５５Ｌ，５５Ｍにおいては、羽根部材を構成する伸縮性を有する生地としてパワーネットを用いた例について説明したが、サテンネット、ストレッチレース、トリコット、ニット生地、ポリウレタンが１％から３０％混入されたポリウレタン混合生地、綿ストレッチ、スパンレックス、ストレッチレース、を始めとする他の伸縮性を有する生地を用いても良い。
【０５０６】
また、スパッツ本体４１が伸縮性を有する生地としてのサテンネットを二枚重ねて縫い合わせてなる場合について説明したが、一枚のサテンネットを縫い合わせてなるものでも良い。さらに、伸縮性を有する生地としてサテンネット以外にも、パワーネット、ストレッチレース、トリコット、ニット生地、ポリウレタンが１％から３０％混入されたポリウレタン混合生地、綿ストレッチ、スパンレックス、ストレッチレース、を始めとする他の伸縮性を有する生地を用いることもできる。さらに、これらの伸縮性を有する生地を二種類重ねて縫い合わせることによって、スパッツ本体を構成しても良い。
【０５０７】
実施の形態１５
次に、本発明の実施の形態１５にかかるトレーニング用水着について、図２８及び図２９を参照して説明する。
【０５０８】
図２８（ａ）は本発明の実施の形態１５にかかるトレーニング用水着の全体構成を示す正面図、（ｂ）は背面図、（ｃ）は本発明の実施の形態１５にかかるトレーニング用水着を裏返した場合の下部の構成を示す背面図である。図２９（ａ）は本発明の実施の形態１５の変形例にかかるトレーニング用水着の全体構成を示す正面図、（ｂ）は背面図、（ｃ）は本発明の実施の形態１５の変形例にかかるトレーニング用水着を裏返した場合の下部の構成を示す背面図である。
【０５０９】
図２８（ａ），（ｂ）に示されるように、本実施の形態１５にかかるトレーニング用水着４５は、伸縮性を有する生地からなる脚部４６Ａ，４６Ｂを有するワンピース型水着の水着本体４６と、伸縮性を有する生地としての二枚のパワーネット生地を袋縫いしてなる羽根部材１３とから構成されている。図２８（ａ）に示されるように、水着本体４６は前明きのファスナー４７と伸縮性を有する生地としてのパワーネット生地からなる裏地４８を有している。水着本体４６の表地は、ポリエステル８５％，ポリウレタン１５％からなる伸縮性を有する生地としてのポリウレタン混合生地から構成されている。
【０５１０】
そして、図２８（ａ）に示されるように、羽根部材１３の分岐していない側１３ｄの端１３ｅは、ステッチ縫い１３ｈによって水着本体４６の裏地４８の股下前部裏側に縫付けられており、図２８（ｃ）に示されるように、羽根部材１３の１対の分岐部分１３ａ，１３ｂは、ステッチ縫い１３ｉによって水着本体４６の裏地４８の臀部裏側に縫付けられている。
【０５１１】
したがって、羽根部材１３は、ステッチ縫い１３ｈによって分岐していない側１３ｄの端１３ｅが水着本体４６の裏地４８の股下前部裏側に縫付けられた部分と、ステッチ縫い１３ｉによって１対の分岐部分１３ａ，１３ｂが水着本体４６の裏地４８の臀部裏側に縫付けられた部分との間は縫付けられておらず、フリーの状態になっている。
【０５１２】
１対の分岐部分１３ａ，１３ｂの内側におけるステッチ縫い１３ｉの縫い止まり点１３ｋは、羽根部材１３の分岐点１３ｃから約７ｃｍ（６．０ｃｍ〜８．０ｃｍ）離れており、１対の分岐部分１３ａ，１３ｂの外側におけるステッチ縫い１３ｉの縫い止まり点１３ｋは、内側のステッチ縫い１３ｉの縫い止まり点１３ｋとほぼ対応する位置にあって、少なくとも着用者の肛門の位置ＨＣＰよりは上方にある。
【０５１３】
そして、図２８（ｃ）に示されるように、羽根部材１３は、トレーニング用水着４５を着用したときに、着用者の肛門の位置ＨＣＰが１対の分岐部分１３ａ，１３ｂの間の分岐点１３ｃの近傍（分岐点１３ｃから約１．５ｃｍ（１．０ｃｍ〜２．０ｃｍ）離れた位置）にくるように縫付けられている。
【０５１４】
これによって、本実施の形態１５にかかるトレーニング用水着４５を着用することによって、羽根部材１３には伸縮性による引っ張り力がかかり、着用者の肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【０５１５】
そして、本実施の形態１５にかかるトレーニング用水着４５を着用して、水中ウォーキング、スイミング、アクアビクス（アクアエクササイズ）、等のトレーニングをすることによって、筋肉に刺激が与えられ大臀筋・中臀筋が鍛えられて効果的にトレーニングをすることができ、美しいプロポーションを得ることができる。
【０５１６】
また、図２８（ｃ）に示されるように、本実施の形態１５にかかるトレーニング用水着４５においては、小さい窪みの位置ＨＥＰが伸縮性を有する生地からなる羽根部材１３の１対の分岐部分１３ａ，１３ｂによって押えられるため、小尻になってヒップアップの効果も得られ、より美しいプロポーションを得ることができる。
【０５１７】
このようにして、本実施の形態１５にかかるトレーニング用水着４５においては、意識しなくても着用するだけで、最適な引き締め力で肛門が引き締められて正しい姿勢をとることができ、さらに着用してトレーニングをするだけで筋肉に刺激を与え大臀筋・中臀筋が鍛えられて効果的にトレーニングをすることができ、美しいプロポーションを得ることができる。
【０５１８】
次に、本発明の実施の形態１５の変形例にかかるトレーニング用水着について、図２９を参照して説明する。なお、本発明の実施の形態１５の変形例にかかるトレーニング用水着の構成は、一部を除いて上記実施の形態１５にかかる図２８に示されるトレーニング用水着４５と同様であるため、同一の部分には同一の符号を付して、一部説明を省略する。
【０５１９】
図２９（ａ），（ｂ）に示されるように、本実施の形態１５の変形例にかかるトレーニング用水着５７は、伸縮性を有する生地からなる脚部４６Ａ，４６Ｂを有するワンピース型水着の水着本体４６と、伸縮性を有する生地としての二枚のパワーネット生地を袋縫いしてなる羽根部材１３とを具備している。図２９（ａ）に示されるように、水着本体４６は前明きのファスナー４７と伸縮性を有する生地としてのパワーネット生地からなる裏地４８を有している。水着本体４６の表地は、ポリエステル８５％，ポリウレタン１５％からなる伸縮性を有する生地としてのポリウレタン混合生地から構成されている。
【０５２０】
本実施の形態１５の変形例にかかるトレーニング用水着５７が、上記実施の形態１５にかかるトレーニング用水着４５と異なるのは、特に図２９（ｃ）に示されるように、裏地４８の股下部分に、パワーネット生地からなる股下当て布５８が縫付けられている点である。この股下当て布５８は、羽根部材１３を縫付けることなく羽根部材１３を覆うように縫付けられており、羽根部材１３は、裏地４８の股部の裏側に取付けられた股下当て布５８の中を潜って裏地４８に縫付けられている。
【０５２１】
なお、股下当て布５８を構成する生地は、パワーネット以外のトリコット、ニット生地、ポリウレタン混合生地、綿ストレッチ、スパンレックス、サテンネット、ストレッチレース等の伸縮性を有する生地でも、ポリエステル生地、アクリル生地を始めとする伸縮性を有しない生地でも良い。股下当て布５８は、着用者の股部に当接するものなので、できるだけ肌触りが良く、弾力性を有するものが好ましい。
【０５２２】
したがって、水着本体４６は、本発明における「伸縮性を有する生地からなる水着本体」に相当する。また、本実施の形態１５の変形例にかかるトレーニング用水着５７は、「伸縮性を有する生地からなる水着本体と、１対の分岐部分を有する略Ｙ字形の伸縮性を有する生地からなる羽根部材とを具備するトレーニング用水着」に相当し、さらに「羽根部材は水着本体の股部の裏側に取付けられた股下当て布と水着本体の股部との間を潜って取付けられているトレーニング用水着」に相当する。
【０５２３】
これによって、着用者の股部に羽根部材１３が直接当接することが防止され、股下当て布５８を介して当接するため、股下当て布５８がクッションとなって穿き心地が向上し、長時間着用しても違和感を覚えることがなくなる。また、羽根部材１３は股下当て布５８の中で自由に伸縮することができる。
【０５２４】
したがって、羽根部材１３は、ステッチ縫い１３ｈによって分岐していない側１３ｄの端１３ｅが水着本体４６の裏地４８の股下前部裏側に縫付けられた部分と、ステッチ縫い１３ｉによって１対の分岐部分１３ａ，１３ｂが水着本体４６の裏地４８の臀部裏側に縫付けられた部分との間は縫付けられておらず、フリーの状態になっている。
【０５２５】
１対の分岐部分１３ａ，１３ｂの内側におけるステッチ縫い１３ｉの縫い止まり点１３ｋは、羽根部材１３の分岐点１３ｃから約７ｃｍ（６．０ｃｍ〜８．０ｃｍ）離れており、１対の分岐部分１３ａ，１３ｂの外側におけるステッチ縫い１３ｉの縫い止まり点１３ｋは、内側のステッチ縫い１３ｉの縫い止まり点１３ｋとほぼ対応する位置にあって、少なくとも着用者の肛門の位置ＨＣＰよりは上方にある。
【０５２６】
そして、図２９（ｃ）に示されるように、羽根部材１３は、トレーニング用水着５７を着用したときに、着用者の肛門の位置ＨＣＰが１対の分岐部分１３ａ，１３ｂの間の分岐点１３ｃの近傍（分岐点１３ｃから約１．５ｃｍ（１．０ｃｍ〜２．０ｃｍ）離れた位置）にくるように縫付けられている。
【０５２７】
これによって、本実施の形態１５の変形例にかかるトレーニング用水着５７を着用することによって、羽根部材１３には伸縮性による引っ張り力がかかり、着用者の肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【０５２８】
そして、本実施の形態１５の変形例にかかるトレーニング用水着５７を着用して、水中ウォーキング、スイミング、アクアビクス（アクアエクササイズ）、等のトレーニングをすることによって、筋肉に刺激が与えられ大臀筋・中臀筋が鍛えられて効果的にトレーニングをすることができ、美しいプロポーションを得ることができる。
【０５２９】
また、図２９（ｃ）に示されるように、本実施の形態１５の変形例にかかるトレーニング用水着５７においては、小さい窪みの位置ＨＥＰが伸縮性を有する生地からなる羽根部材１３の１対の分岐部分１３ａ，１３ｂによって押えられるため、小尻になってヒップアップの効果も得られ、より美しいプロポーションを得ることができる。
【０５３０】
このようにして、本実施の形態１５の変形例にかかるトレーニング用水着５７においては、意識しなくても着用するだけで、最適な引き締め力で肛門が引き締められて正しい姿勢をとることができ、さらに着用してトレーニングをするだけで筋肉に刺激を与え大臀筋・中臀筋が鍛えられて効果的にトレーニングをすることができ、美しいプロポーションを得ることができるとともに、穿き心地が良く長時間着用しても違和感を覚えることがない。
【０５３１】
実施の形態１６
次に、本発明の実施の形態１６にかかるトレーニング用水着について、図３０及び図３１を参照して説明する。
【０５３２】
図３０（ａ）は本発明の実施の形態１６にかかるトレーニング用水着の全体構成を示す正面図、（ｂ）は背面図、（ｃ）は本発明の実施の形態１６にかかるトレーニング用水着の水着ボトムを裏返した場合の全体構成を示す正面図、（ｄ）は背面図である。図３１（ａ）は本発明の実施の形態１６の変形例にかかるトレーニング用水着の全体構成を示す正面図、（ｂ）は背面図、（ｃ）は本発明の実施の形態１６の変形例にかかるトレーニング用水着の水着ボトムを裏返した場合の全体構成を示す正面図、（ｄ）は背面図である。
【０５３３】
図３０（ａ），（ｂ）に示されるように、本実施の形態１６にかかるトレーニング用水着５０は脚部を有するセパレート型水着の水着トップ５０Ａと水着ボトム５０Ｂとからなり、伸縮性を有する生地からなる水着トップ本体５１Ａと伸縮性を有する生地からなる水着ボトム本体５１Ｂとを中心として構成されている。
【０５３４】
そして、図３０（ａ），（ｂ）に示されるように、水着ボトム本体５１Ｂの裏側には、伸縮性を有する生地としての二枚のパワーネット生地を袋縫いしてなる羽根部材１３が縫付けられている。図３０（ｃ），（ｄ）に示されるように、水着ボトム本体５１Ｂは、伸縮性を有する生地としてのパワーネット生地からなる裏地５２を有しており、水着ボトム本体５１Ｂの表地は、ポリエステル８５％，ポリウレタン１５％からなる伸縮性を有する生地としてのポリウレタン混合生地から構成されている。
【０５３５】
なお、水着トップ本体５１Ａも、ポリエステル８５％，ポリウレタン１５％からなる伸縮性を有する生地としてのポリウレタン混合生地からなる表地と、伸縮性を有する生地としてのパワーネット生地からなる裏地とから構成されている。
【０５３６】
そして、図３０（ｃ）に示されるように、羽根部材１３の分岐していない側１３ｄの端１３ｅは、ステッチ縫い１３ｈによって水着ボトム本体５１Ａの裏地５２の股下前部裏側に縫付けられており、図３０（ｄ）に示されるように、羽根部材１３の１対の分岐部分１３ａ，１３ｂは、ステッチ縫い１３ｉによって水着ボトム本体５１Ａの裏地５２の臀部裏側に縫付けられている。
【０５３７】
したがって、羽根部材１３は、ステッチ縫い１３ｈによって分岐していない側１３ｄの端１３ｅが水着ボトム本体５１Ａの裏地５２の股下前部裏側に縫付けられた部分と、ステッチ縫い１３ｉによって１対の分岐部分１３ａ，１３ｂが水着ボトム本体５１Ａの裏地５２の臀部裏側に縫付けられた部分との間は縫付けられておらず、フリーの状態になっている。
【０５３８】
図３０（ｄ）に示されるように、１対の分岐部分１３ａ，１３ｂの内側におけるステッチ縫い１３ｉの縫い止まり点１３ｋは、羽根部材１３の分岐点１３ｃから約７ｃｍ（６．０ｃｍ〜８．０ｃｍ）離れており、１対の分岐部分１３ａ，１３ｂの外側におけるステッチ縫い１３ｉの縫い止まり点１３ｋは、内側のステッチ縫い１３ｉの縫い止まり点１３ｋとほぼ対応する位置にあって、少なくとも着用者の肛門の位置ＨＣＰよりは上方にある。
【０５３９】
そして、図３０（ｄ）に示されるように、羽根部材１３は、トレーニング用水着４５を着用したときに、着用者の肛門の位置ＨＣＰが１対の分岐部分１３ａ，１３ｂの間の分岐点１３ｃの近傍（分岐点１３ｃから約１．５ｃｍ（１．０ｃｍ〜２．０ｃｍ）離れた位置）にくるように縫付けられている。
【０５４０】
これによって、本実施の形態１６にかかるトレーニング用水着５０を着用することによって、羽根部材１３には伸縮性による引っ張り力がかかり、着用者の肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【０５４１】
そして、本実施の形態１６にかかるトレーニング用水着５０を着用して、水中ウォーキング、スイミング、アクアビクス（アクアエクササイズ）、等のトレーニングをすることによって、筋肉に刺激が与えられ大臀筋・中臀筋が鍛えられて効果的にトレーニングをすることができ、美しいプロポーションを得ることができる。
【０５４２】
また、図３０（ｄ）に示されるように、本実施の形態１６にかかるトレーニング用水着５０においては、小さい窪みの位置ＨＥＰが伸縮性を有する生地からなる羽根部材１３の１対の分岐部分１３ａ，１３ｂによって押えられるため、小尻になってヒップアップの効果も得られ、より美しいプロポーションを得ることができる。
【０５４３】
このようにして、本実施の形態１６にかかるトレーニング用水着５０においては、意識しなくても着用するだけで、最適な引き締め力で肛門が引き締められて正しい姿勢をとることができ、さらに着用してトレーニングをするだけで筋肉に刺激を与え大臀筋・中臀筋が鍛えられて効果的にトレーニングをすることができ、美しいプロポーションを得ることができる。
【０５４４】
次に、本発明の実施の形態１６の変形例にかかるトレーニング用水着について、図３１を参照して説明する。なお、本発明の実施の形態１６の変形例にかかるトレーニング用水着の構成は、一部を除いて上記実施の形態１６にかかる図３０に示されるトレーニング用水着５０と同様であるため、同一の部分には同一の符号を付して、一部説明を省略する。
【０５４５】
図３１（ａ），（ｂ）に示されるように、本実施の形態１６の変形例にかかるトレーニング用水着６０は脚部を有するセパレート型水着の水着トップ５０Ａと水着ボトム６１とからなり、伸縮性を有する生地からなる水着トップ本体５１Ａと伸縮性を有する生地からなる水着ボトム本体５１Ｂとを中心として構成されている。
【０５４６】
そして、図３１（ａ），（ｂ）に示されるように、水着ボトム本体５１Ｂの裏側には、伸縮性を有する生地としての二枚のパワーネット生地を袋縫いしてなる羽根部材１３が縫付けられている。図３１（ｃ），（ｄ）に示されるように、水着ボトム本体５１Ｂは、伸縮性を有する生地としてのパワーネット生地からなる裏地５２を有しており、水着ボトム本体５１Ｂの表地は、ポリエステル８５％，ポリウレタン１５％からなる伸縮性を有する生地としてのポリウレタン混合生地から構成されている。
【０５４７】
なお、水着トップ本体５１Ａも、ポリエステル８５％，ポリウレタン１５％からなる伸縮性を有する生地としてのポリウレタン混合生地からなる表地と、伸縮性を有する生地としてのパワーネット生地からなる裏地とから構成されている。
【０５４８】
本実施の形態１６の変形例にかかるトレーニング用水着６０が、上記実施の形態１６にかかるトレーニング用水着５０と異なるのは、図３１（ｃ），（ｄ）に示されるように、裏地５２の股下部分に、パワーネット生地からなる股下当て布６２が縫付けられている点である。この股下当て布６２は、羽根部材１３を縫付けることなく羽根部材１３を覆うように縫付けられており、羽根部材１３は、裏地５２の股部の裏側に取付けられた股下当て布６２の中を潜って裏地５２に縫付けられている。
【０５４９】
なお、股下当て布６２を構成する生地は、パワーネット以外のトリコット、ニット生地、ポリウレタン混合生地、綿ストレッチ、スパンレックス、サテンネット、ストレッチレース等の伸縮性を有する生地でも、ポリエステル生地、アクリル生地を始めとする伸縮性を有しない生地でも良い。股下当て布６２は、着用者の股部に当接するものなので、できるだけ肌触りが良く、弾力性を有するものが好ましい。
【０５５０】
したがって、水着ボトム本体５１Ｂは、本発明における「伸縮性を有する生地からなる水着本体」に相当する。また、本実施の形態１６の変形例にかかるトレーニング用水着６０は、「伸縮性を有する生地からなる水着本体と、１対の分岐部分を有する略Ｙ字形の伸縮性を有する生地からなる羽根部材とを具備するトレーニング用水着」に相当し、さらに「羽根部材は水着本体の股部の裏側に取付けられた股下当て布と水着本体の股部との間を潜って取付けられているトレーニング用水着」に相当する。
【０５５１】
これによって、着用者の股部に羽根部材１３が直接当接することが防止され、股下当て布６２を介して当接するため、股下当て布６２がクッションとなって穿き心地が向上し、長時間着用しても違和感を覚えることがなくなる。また、羽根部材１３は股下当て布６２の中で自由に伸縮することができる。
【０５５２】
したがって、羽根部材１３は、ステッチ縫い１３ｈによって分岐していない側１３ｄの端１３ｅが水着本体５１Ｂの裏地５２の股下前部裏側に縫付けられた部分と、ステッチ縫い１３ｉによって１対の分岐部分１３ａ，１３ｂが水着本体５１Ｂの裏地５２の臀部裏側に縫付けられた部分との間は縫付けられておらず、フリーの状態になっている。
【０５５３】
これによって、本実施の形態１６の変形例にかかるトレーニング用水着６０を着用することによって、羽根部材１３には伸縮性による引っ張り力がかかり、着用者の肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【０５５４】
そして、本実施の形態１６の変形例にかかるトレーニング用水着６０を着用して、水中ウォーキング、スイミング、アクアビクス（アクアエクササイズ）、等のトレーニングをすることによって、筋肉に刺激が与えられ大臀筋・中臀筋が鍛えられて効果的にトレーニングをすることができ、美しいプロポーションを得ることができる。
【０５５５】
また、図３１（ｄ）に示されるように、本実施の形態１６の変形例にかかるトレーニング用水着６０においては、小さい窪みの位置ＨＥＰが伸縮性を有する生地からなる羽根部材１３の１対の分岐部分１３ａ，１３ｂによって押えられるため、小尻になってヒップアップの効果も得られ、より美しいプロポーションを得ることができる。
【０５５６】
このようにして、本実施の形態１６の変形例にかかるトレーニング用水着６０においては、意識しなくても着用するだけで、最適な引き締め力で肛門が引き締められて正しい姿勢をとることができ、さらに着用してトレーニングをするだけで筋肉に刺激を与え大臀筋・中臀筋が鍛えられて効果的にトレーニングをすることができ、美しいプロポーションを得ることができるとともに、穿き心地が良く長時間着用しても違和感を覚えることがない。
【０５５７】
本実施の形態１６にかかるトレーニング用水着５０，６０においては、羽根部材として羽根部材１３を用いた例について説明したが、上述した羽根部材１３Ｂ，１３Ｃ，１３Ｄ，１３Ｅ，１３Ｆ，１３Ｇ，１３Ｈ，１３Ｊ，１３Ｋ，１３Ｌ，１３Ｍ，１３Ｎ，１３Ｐを始めとして、伸縮性を有する生地からなる略Ｙ字形の羽根部材であれば、どのような形状のものを用いても良い。
【０５５８】
また、羽根部材として、上記実施の形態６にかかるトレーニング用サポーター２６におけるパワーネットからなる略Ｘ字形の羽根部材２８を始めとする、伸縮性を有する生地からなる略Ｘ字形の羽根部材を縫付けても良い。これによって、意識しなくても着用するだけで肛門が引き締められて正しい姿勢をとることができ、さらに着用してトレーニングをするだけで筋肉に刺激を与え大臀筋・中臀筋が鍛えられて効果的にトレーニングをすることができ、美しいプロポーションを得ることができる。
【０５５９】
さらに、特に股部前面に開閉部分が設けられた男性用の水着を水着本体として、伸縮性を有する生地からなる略Ｘ字形の羽根部材を縫付けたトレーニング用水着として応用した場合には、排尿時に一々トレーニング用水着を脱ぐ必要がなく、非常に使い勝手が良いという作用効果が得られる。
【０５６０】
実施の形態１７
次に、本発明の実施の形態１７にかかるトレーニング用水着について、図３２を参照して説明する。
【０５６１】
なお、以下の各実施の形態にかかるトレーニング用水着においては、上記実施の形態１６にかかるトレーニング用水着５０，６０と同様のセパレート型水着ではあるが、水着トップ５０Ａの構成についてはトレーニング用水着５０，６０と同一であるため図示を省略し、水着ボトムのみを図示してこれらの水着ボトムを「トレーニング用水着」と呼ぶこととする。また、伸縮性を有する生地からなる水着ボトム本体５１Ｂを「水着本体」と呼ぶこととする。
【０５６２】
図３２（ａ）は本発明の実施の形態１７にかかるトレーニング用水着の全体構成を示す正面図、（ｂ）は背面図、（ｃ）は本発明の実施の形態１７にかかるトレーニング用水着を裏返した場合の上部の構成を示す正面図、（ｄ）は背面図、（ｅ）は本発明の実施の形態１７にかかるトレーニング用水着の股下部分の内部構造を示す部分拡大図である。
【０５６３】
図３２（ａ），（ｂ）に示されるように、本実施の形態１７にかかるトレーニング用水着６１Ａは、表地がポリエステル８５％，ポリウレタン１５％からなる伸縮性を有する生地としてのポリウレタン混合生地からなり、伸縮性を有する生地としてのパワーネット生地からなる裏地５２を有する水着本体５１Ｂを中心に構成されている。
【０５６４】
また、図３２（ｃ），（ｄ）に示されるように、トレーニング用水着６１Ａを裏返すと、水着本体５１Ｂの裏側には伸縮性を有する生地としてのパワーネットからなる羽根部材１３Ｒが、裏地５２に縫付けられている。ここで、羽根部材１３Ｒは、分岐していない側１３Ｒｄの端１３Ｒｅが、水着本体５１Ｂの裏側の前部の上端にステッチ縫い１３Ｒｈによって縫付けられている。そして、羽根部材１３Ｒは、水着本体５１Ｂの股部の裏側に取付けられた伸縮性を有する生地としてのパワーネットからなる股下当て布６２の中を潜って、裏地５２に縫付けられている。
【０５６５】
なお、股下当て布６２を構成する生地は、パワーネット以外のトリコット、ニット生地、ポリウレタン混合生地、綿ストレッチ、スパンレックス、サテンネット、ストレッチレース等の伸縮性を有する生地でも、ポリエステル生地、アクリル生地を始めとする伸縮性を有しない生地でも良い。股下当て布６２は、着用者の股部に当接するものなので、できるだけ肌触りが良く、弾力性を有するものが好ましい。
【０５６６】
したがって、水着本体５１Ｂは、本発明における「伸縮性を有する生地からなる水着本体」に相当する。また、本実施の形態１７にかかるトレーニング用水着６１Ａは、「伸縮性を有する生地からなる水着本体と、１対の分岐部分を有する略Ｙ字形の伸縮性を有する生地からなる羽根部材とを具備するトレーニング用水着」に相当する。
【０５６７】
さらに、本実施の形態１７にかかるトレーニング用水着６１Ａは、「羽根部材の分岐していない側の先端が水着本体の裏側の前部の上端に縫付けられているトレーニング用水着」に相当し、また「羽根部材が水着本体の股部の裏側に取付けられた股下当て布と水着本体の股部との間を潜って取付けられているトレーニング用水着」に相当する。
【０５６８】
羽根部材１３Ｒは、羽根部材１３と同様に二枚のパワーネット生地を袋縫いしてなるものであり、１対の分岐部分１３Ｒａ，１３Ｒｂの先端及びその周囲の部分がステッチ縫い１３Ｒｉによって裏地５２の臀部に縫付けられており、羽根部材１３Ｒの分岐していない側１３Ｒｄの先端１３Ｒｅが、ステッチ縫い１３Ｒｈによって水着本体５１Ｂの裏側の前部の上端まで伸びて縫付けられている。
【０５６９】
これによって、伸縮性を有する生地としての二枚のパワーネット生地からなる羽根部材１３Ｒの引っ張り力がより強力になって、肛門が効果的に締付けられるとともに、下腹部が羽根部材１３Ｒによって押え付けられるので、下腹部が引っ込んでより美しいプロポーションを得ることができる。
【０５７０】
そして、図３２（ｅ）に示されるように、股下当て布６２は、羽根部材１３Ｒを縫付けずに羽根部材１３Ｒを覆うように、その両縁が裏地５２の股部の裏側に、ステッチ縫い６２ａによって縫付けられている。これによって、着用者の股部に羽根部材１３Ｒが直接当接することが防止され、股下当て布６２を介して当接するため、股下当て布６２がクッションとなって穿き心地が向上し、長時間着用しても違和感を覚えることがなくなる。また、羽根部材１３Ｒは股下当て布６２の中で自由に伸縮することができる。
【０５７１】
したがって、羽根部材１３Ｒは、ステッチ縫い１３Ｒｈによって分岐していない側１３Ｒｄの先端１３Ｒｅが水着本体５１Ｂの裏側の前部の上端に縫付けられた部分と、ステッチ縫い１３Ｒｉによって水着本体５１Ｂの臀部裏側に縫付けられた部分との間は縫付けられておらず、フリーの状態になっている。
【０５７２】
１対の分岐部分１３Ｒａ，１３Ｒｂの内側におけるステッチ縫い１３Ｒｉの縫い止まり点１３Ｒｋは、羽根部材１３Ｒの分岐点１３Ｒｃから約７ｃｍ（６．０ｃｍ〜８．０ｃｍ）離れており、１対の分岐部分１３Ｒａ，１３Ｒｂの外側におけるステッチ縫い１３Ｒｉの縫い止まり点１３Ｒｋは、内側のステッチ縫い１３Ｒｉの縫い止まり点とほぼ対応する位置にあって、少なくとも着用者の肛門の位置ＨＣＰよりは上方にある。
【０５７３】
そして、図３２（ｄ）に示されるように、羽根部材１３Ｒは、トレーニング用水着６１Ａを着用したときに、着用者の肛門の位置ＨＣＰが１対の分岐部分１３Ｒａ，１３Ｒｂの間の分岐点１３Ｒｃの近傍（分岐点１３Ｒｃから約１．５ｃｍ（１．０ｃｍ〜２．０ｃｍ）離れた位置）にくるように縫付けられている。
【０５７４】
これによって、本実施の形態１７にかかるトレーニング用水着６１Ａを着用することによって、羽根部材１３Ｒには伸縮性による引っ張り力がかかり、着用者の肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【０５７５】
そして、本実施の形態１７にかかるトレーニング用水着６１Ａを着用して、水中ウォーキング、スイミング、アクアビクス（アクアエクササイズ）、等のトレーニングをすることによって、筋肉に刺激が与えられ大臀筋・中臀筋が鍛えられて効果的にトレーニングをすることができ、美しいプロポーションを得ることができる。
【０５７６】
また、肛門が引き締められると臀部に左右１対の笑窪様の小さい窪みが生じ、これらの小さい窪みの位置する点ＨＥＰが羽根部材１３Ｒの１対の分岐部分１３Ｒａ，１３Ｒｂによって押えられるため、着用者の臀部が引き締まって小尻になるとともにヒップアップの効果が得られる。さらに、本実施の形態１７にかかるトレーニング用水着６１Ａにおいては、羽根部材１３Ｒの分岐していない側１３Ｒｄが股下当て布６２を介して着用者の股下に当接するので、穿き心地が著しく向上するという利点が得られる。
【０５７７】
なお、羽根部材１３Ｒについては、羽根部材１３のように二枚の伸縮性を有する生地を袋縫いにしたものでも、羽根部材１３Ｎのように一枚の伸縮性を有する生地の縁を裁ちかがり縫いしたものでも、羽根部材１３Ｐのように袋縫いにして作製した左右対称の部分を中心接ぎ縫い１３Ｐｇで接いでなるものでも良い。
【０５７８】
このようにして、本実施の形態１７にかかるトレーニング用水着６１Ａにおいては、意識しなくても着用するだけで肛門がより強力に引き締められて正しい姿勢をとることができ、さらに着用してトレーニングをするだけで筋肉に刺激を与え大臀筋・中臀筋が鍛えられて効果的にトレーニングをすることができ、美しいプロポーションを得ることができるとともに、穿き心地も良く長時間着用しても違和感を生ずることがない。
【０５７９】
実施の形態１８
次に、本発明の実施の形態１８にかかるトレーニング用水着について、図３３及び図３４を参照して説明する。
【０５８０】
図３３（ａ）は本発明の実施の形態１８にかかるトレーニング用水着の全体構成を示す正面図、（ｂ）は背面図、（ｃ）は本発明の実施の形態１８にかかるトレーニング用水着を裏返した場合の全体構成を示す正面図、（ｄ）は背面図、（ｅ）は本発明の実施の形態１８にかかるトレーニング用水着の股下部分の内部構造を示す部分拡大図である。
【０５８１】
図３４（ａ）は本発明の実施の形態１８の第１変形例にかかるトレーニング用水着を裏返した場合の全体構成を示す正面図、（ｂ）は股下部分の内部構造を示す部分拡大図、（ｃ）は本発明の実施の形態１８の第２変形例にかかるトレーニング用水着を裏返した場合の全体構成を示す正面図、（ｄ）は本発明の実施の形態１８の第３変形例にかかるトレーニング用水着を裏返した場合の全体構成を示す正面図である。
【０５８２】
なお、本実施の形態１８にかかるトレーニング用水着の構成は、一部を除いて上記実施の形態１７にかかる図３２に示されるトレーニング用水着６１Ａと同様であるため、同一部分には図３２と同一の符号を付して、一部説明を省略する。
【０５８３】
図３３（ａ），（ｂ）に示されるように、本実施の形態１８にかかるトレーニング用水着６１Ｂは、表地がポリエステル８５％，ポリウレタン１５％からなる伸縮性を有する生地としてのポリウレタン混合生地からなり、伸縮性を有する生地としてのパワーネット生地からなる裏地５２を有する水着本体５１Ｂを中心に構成されている。
【０５８４】
また、図３３（ｃ），（ｄ）に示されるように、トレーニング用水着６１Ｂを裏返すと、水着本体５１Ｂの裏側には伸縮性を有する生地としてのパワーネットからなる羽根部材１３Ｓが裏地５２に縫付けられている。ここで、羽根部材１３Ｓは、分岐していない側１３Ｓｄの端１３Ｓｅが、水着本体５１Ｂの裏側の前部の上端にステッチ縫い１３Ｓｈによって縫付けられている。
【０５８５】
さらに、羽根部材１３Ｓは、水着本体５１Ｂの股部の裏側に取付けられた伸縮性を有する生地としてのパワーネットからなる股下当て布６２の中を潜って、水着本体５１Ｂの裏地５２に縫付けられている。そして、羽根部材１３Ｓには１対の枝部分１３Ｓｆが設けられており、羽根部材１３Ｓが股下当て布６２を潜って取付けられる際に、１対の枝部分１３Ｓｆが股下当て布６２の内部において水着本体５１Ｂの股部の裏地５２及び股下当て布６２に縫付けられている。
【０５８６】
したがって、水着本体５１Ｂは、本発明における「伸縮性を有する生地からなる水着本体」に相当する。また、本実施の形態１８にかかるトレーニング用水着６１Ｂは、「伸縮性を有する生地からなる水着本体と、１対の分岐部分を有する略Ｙ字形の伸縮性を有する生地からなる羽根部材とを具備するトレーニング用水着」に相当し、「羽根部材の分岐していない側の先端が水着本体の裏側の前部の上端に縫付けられているトレーニング用水着」に相当する。
【０５８７】
さらに、本実施の形態１８にかかるトレーニング用水着６１Ｂは、「羽根部材が水着本体の股部の裏側に取付けられた股下当て布と水着本体の股部との間を潜って取付けられているトレーニング用水着」に相当し、また「羽根部材には１対の枝部分が設けられており、羽根部材が水着本体の股部の裏側に取付けられた股下当て布と水着本体の股部との間を潜って取付けられる際に枝部分が股下当て布の内部において水着本体の股部の裏側及び股下当て布に縫付けられているトレーニング用水着」に相当する。
【０５８８】
羽根部材１３Ｓは、羽根部材１３と同様に二枚のパワーネット生地を袋縫いしてなるものであり、１対の分岐部分１３Ｓａ，１３Ｓｂの先端及びその周囲の部分がステッチ縫い１３Ｓｉによって水着本体５１Ｂの裏地５２の臀部に縫付けられており、羽根部材１３Ｓの分岐していない側１３Ｓｄの先端１３Ｓｅが、ステッチ縫い１３Ｓｈによって水着本体５１Ｂの裏側の前部の上端まで伸びて縫付けられている。
【０５８９】
これによって、伸縮性を有する生地としての二枚のパワーネット生地からなる羽根部材１３Ｓの引っ張り力がより強力になって、肛門が効果的に締付けられるとともに、下腹部が羽根部材１３Ｓによって押え付けられるので、下腹部が引っ込んでより美しいプロポーションを得ることができる。
【０５９０】
そして、図３３（ｅ）に示されるように、股下当て布６２は、羽根部材１３Ｓの枝部分１３Ｓｆのみを縫付けて、羽根部材１３Ｓを覆うようにその両縁が水着本体５１Ｂの股部の裏地５２に、ステッチ縫い６２ａによって縫付けられている。これによって、着用者の股部に羽根部材１３Ｓが直接当接することが防止され、股下当て布６２を介して当接するため、股下当て布６２がクッションとなって穿き心地が向上し、長時間着用しても違和感を覚えることがなくなる。
【０５９１】
また、羽根部材１３Ｓは股下当て布６２の中で枝部分１３Ｓｆのみが縫付けられることによって、長い羽根部材１３Ｓの中間部分を羽根部材１３Ｓの自由な伸縮を妨げることなく、長い羽根部材１３Ｓの中間部分が捩れたりずれたりして肛門を引き締める効果が半減するとともに穿き心地も悪くなる事態を、確実に防止することができる。さらに、羽根部材１３Ｓは股下当て布６２の中で自由に伸縮することができる。
【０５９２】
したがって、羽根部材１３Ｓは、ステッチ縫い１３Ｓｈによって分岐していない側１３Ｓｄの先端１３Ｓｅが水着本体５１Ｂの裏側の前部の上端に縫付けられた部分と、ステッチ縫い１３Ｓｉによって水着本体５１Ｂの臀部裏側に縫付けられた部分との間は、枝部分１３Ｓｆのみが縫付けられており、自由に伸縮することができる。
【０５９３】
１対の分岐部分１３Ｓａ，１３Ｓｂの内側におけるステッチ縫い１３Ｓｉの縫い止まり点１３Ｓｋは、羽根部材１３Ｓの分岐点１３Ｓｃから約７ｃｍ（６．０ｃｍ〜８．０ｃｍ）離れており、１対の分岐部分１３Ｓａ，１３Ｓｂの外側におけるステッチ縫い１３Ｓｉの縫い止まり点１３Ｓｋは、内側のステッチ縫い１３Ｓｉの縫い止まり点とほぼ対応する位置にあって、少なくとも着用者の肛門の位置ＨＣＰよりは上方にある。
【０５９４】
そして、図３３（ｄ）に示されるように、羽根部材１３Ｓは、トレーニング用水着６１Ｂを着用したときに、着用者の肛門の位置ＨＣＰが１対の分岐部分１３Ｓａ，１３Ｓｂの間の分岐点１３Ｓｃの近傍（分岐点１３Ｓｃから約１．５ｃｍ（１．０ｃｍ〜２．０ｃｍ）離れた位置）にくるように縫付けられている。
【０５９５】
これによって、本実施の形態１８にかかるトレーニング用水着６１Ｂを着用することによって、羽根部材１３Ｓには伸縮性による引っ張り力がかかり、着用者の肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【０５９６】
そして、本実施の形態１８にかかるトレーニング用水着６１Ｂを着用して、水中ウォーキング、スイミング、アクアビクス（アクアエクササイズ）、等のトレーニングをすることによって、筋肉に刺激が与えられ大臀筋・中臀筋が鍛えられて効果的にトレーニングをすることができ、美しいプロポーションを得ることができる。
【０５９７】
また、肛門が引き締められると臀部に左右１対の笑窪様の小さい窪みが生じ、これらの小さい窪みの位置する点ＨＥＰが羽根部材１３Ｓの１対の分岐部分１３Ｓａ，１３Ｓｂによって押えられるため、着用者の臀部が引き締まって小尻になるとともにヒップアップの効果が得られる。さらに、本実施の形態１８にかかるトレーニング用水着６１Ｂにおいては、羽根部材１３Ｓの分岐していない側１３Ｓｄが股下当て布６２を介して着用者の股下に当接するので、穿き心地が著しく向上するという利点が得られる。
【０５９８】
なお、羽根部材１３Ｓについては、羽根部材１３のように二枚の伸縮性を有する生地を袋縫いにしたものでも、羽根部材１３Ｎのように一枚の伸縮性を有する生地の縁を裁ちかがり縫いしたものでも、羽根部材１３Ｐのように袋縫いにして作製した左右対称の部分を中心接ぎ縫い１３Ｐｇで接いでなるものでも良い。
【０５９９】
このようにして、本実施の形態１８にかかるトレーニング用水着６１Ｂにおいては、意識しなくても着用するだけで肛門がより強力に引き締められて正しい姿勢をとることができ、さらに着用してトレーニングをするだけで筋肉に刺激を与え大臀筋・中臀筋が鍛えられて効果的にトレーニングをすることができ、美しいプロポーションを得ることができるとともに、穿き心地も良く長時間着用しても違和感を生ずることがない。
【０６００】
次に、本実施の形態１８の変形例にかかるトレーニング用水着について、図３４を参照して説明する。なお、本実施の形態１８の変形例にかかるトレーニング用水着の構成は、一部を除いて上記実施の形態１８にかかるトレーニング用水着６１Ｂと同様であるため、同一の部分には同一の符号を付して、一部説明を省略する。
【０６０１】
図３４（ａ）に示されるように、本実施の形態１８の第１変形例にかかるトレーニング用水着６１Ｃは、表地がポリエステル８５％，ポリウレタン１５％からなる伸縮性を有する生地としてのポリウレタン混合生地からなり、伸縮性を有する生地としてのパワーネット生地からなる裏地５２を有する水着本体５１Ｂを中心に構成されている。本実施の形態１８の第１変形例にかかるトレーニング用水着６１Ｃが上記トレーニング用水着６１Ｂと異なるのは、図３４（ａ）に示されるように、羽根部材６５Ｃの形状のみである。
【０６０２】
即ち、本実施の形態１８の第１変形例にかかるトレーニング用水着６１Ｃにおいても、羽根部材１３Ｒ，１３Ｓのように二枚の伸縮性を有する生地としてのパワーネット生地を袋縫いにしてなる羽根部材６５Ｃの分岐していない側６５Ｃｄの先端６５Ｃｅが、ステッチ縫い６５Ｃｈによって水着本体５１Ｂの裏側の前部の上端まで伸びて縫付けられている。そして、羽根部材６５Ｃの分岐していない側６５Ｃｄは、上記トレーニング用水着６１Ｂにおける羽根部材１３Ｓよりも大きくなっている。
【０６０３】
これによって、伸縮性を有する生地としての二枚のパワーネット生地からなる羽根部材６５Ｃの引っ張り力がより強力になって、肛門が効果的に締付けられるとともに、下腹部が羽根部材６５Ｃによって押え付けられるので、下腹部が引っ込んでより美しいプロポーションを得ることができる。
【０６０４】
そして、図３４（ｂ）に示されるように、股下当て布６２は、羽根部材６５Ｃの枝部分６５Ｃｊのみを縫付けて、羽根部材６５Ｃを覆うようにその両縁が水着本体５１Ｂの股部の裏地５２に、ステッチ縫い６２ａによって縫付けられている。これによって、着用者の股部に羽根部材６５Ｃが直接当接することが防止され、股下当て布６２を介して当接するため、股下当て布６２がクッションとなって穿き心地が向上し、長時間着用しても違和感を覚えることがなくなる。
【０６０５】
また、羽根部材６５Ｃは股下当て布６２の中で枝部分６５Ｃｊのみが縫付けられることによって、羽根部材６５Ｃの中間部分を羽根部材６５Ｃの自由な伸縮を妨げることなく、長い羽根部材６５Ｃの中間部分が捩れたりずれたりして肛門を引き締める効果が半減するとともに穿き心地も悪くなる事態を、確実に防止することができる。
【０６０６】
次に、図３４（ｃ）に示されるように、本実施の形態１８の第２変形例にかかるトレーニング用水着６１Ｄも、表地がポリエステル８５％，ポリウレタン１５％からなる伸縮性を有する生地としてのポリウレタン混合生地からなり、伸縮性を有する生地としてのパワーネット生地からなる裏地５２を有する水着本体５１Ｂを中心に構成されている。本実施の形態１８の第２変形例にかかるトレーニング用水着６１Ｄが上記トレーニング用水着６１Ｂ，６１Ｃと異なるのは、図３４（ｃ）に示されるように、羽根部材６５Ｄの形状のみである。
【０６０７】
即ち、本実施の形態１８の第２変形例にかかるトレーニング用水着６１Ｄにおいては、羽根部材６５Ｃのように二枚の伸縮性を有する生地としてのパワーネット生地を袋縫いにしてなる羽根部材６５Ｄの分岐していない側６５Ｄｄの先端６５Ｄｅが、水着本体５１Ｂの裏側の前部の上端までは届いておらず、上端から少し下がった位置において、ステッチ縫い６５Ｄｈによって水着本体５１Ｂの裏側の裏地５２に縫付けられている。
【０６０８】
これによって、伸縮性を有する生地としての二枚のパワーネット生地からなる羽根部材６５Ｄの引っ張り力がより強力になって、肛門が効果的に締付けられるとともに、下腹部が羽根部材６５Ｄによって押え付けられるので、下腹部が引っ込んでより美しいプロポーションを得ることができる。
【０６０９】
そして、股下当て布６２は、羽根部材６５Ｄの枝部分６５Ｄｊのみを縫付けて、羽根部材６５Ｄを覆うようにその両縁が水着本体５１Ｂの股部の裏地５２に、ステッチ縫い６２ａによって縫付けられている。これによって、着用者の股部に羽根部材６５Ｄが直接当接することが防止され、股下当て布６２を介して当接するため、股下当て布６２がクッションとなって穿き心地が向上し、長時間着用しても違和感を覚えることがなくなる。
【０６１０】
また、羽根部材６５Ｄは股下当て布６２の中で枝部分６５Ｄｊのみが縫付けられることによって、羽根部材６５Ｄの中間部分を羽根部材６５Ｄの自由な伸縮を妨げることなく、長い羽根部材６５Ｄの中間部分が捩れたりずれたりして肛門を引き締める効果が半減するとともに穿き心地も悪くなる事態を、確実に防止することができる。
【０６１１】
次に、図３４（ｄ）に示されるように、本実施の形態１８の第３変形例にかかるトレーニング用水着６１Ｅも、表地がポリエステル８５％，ポリウレタン１５％からなる伸縮性を有する生地としてのポリウレタン混合生地からなり、伸縮性を有する生地としてのパワーネット生地からなる裏地５２を有する水着本体５１Ｂを中心に構成されている。本実施の形態１８の第３変形例にかかるトレーニング用水着６１Ｅが上記トレーニング用水着６１Ｂ，６１Ｃ，６１Ｄと異なるのは、図３４（ｄ）に示されるように、羽根部材６５Ｅの形状のみである。
【０６１２】
即ち、本実施の形態１８の第３変形例にかかるトレーニング用水着６１Ｅにおいては、羽根部材６５Ｃ，６５Ｄのように二枚の伸縮性を有する生地としてのパワーネット生地を袋縫いにしてなる羽根部材６５Ｅの分岐していない側６５Ｅｄの面積がさらに広くなっており、分岐していない側６５Ｅｄの先端６５Ｅｅが、水着本体５１Ｂの裏側の前部の上端まで届いているのみならず、水着本体５１Ｂの裏側の両脇部分にまで達しており、ステッチ縫い６５Ｅｈによって水着本体５１Ｂの裏側の裏地５２に縫付けられている。
【０６１３】
これによって、伸縮性を有する生地としての二枚のパワーネット生地からなる羽根部材６５Ｅの引っ張り力がより強力になって、肛門が効果的に締付けられるとともに、下腹部が羽根部材６５Ｅによって押え付けられるので、下腹部が引っ込んでより美しいプロポーションを得ることができる。
【０６１４】
そして、股下当て布６２は、羽根部材６５Ｅの枝部分６５Ｅｊのみを縫付けて、羽根部材６５Ｅを覆うようにその両縁が水着本体５１Ｂの股部の裏側に、ステッチ縫い６２ａによって縫付けられている。これによって、着用者の股部に羽根部材６５Ｅが直接当接することが防止され、股下当て布６２を介して当接するため、股下当て布６２がクッションとなって穿き心地が向上し、長時間着用しても違和感を覚えることがなくなる。
【０６１５】
また、羽根部材６５Ｅは股下当て布６２の中で枝部分６５Ｅｊのみが縫付けられることによって、羽根部材６５Ｅの中間部分を羽根部材６５Ｅの自由な伸縮を妨げることなく、長い羽根部材６５Ｅの中間部分が捩れたりずれたりして肛門を引き締める効果が半減するとともに穿き心地も悪くなる事態を、確実に防止することができる。
【０６１６】
このようにして、本実施の形態１８の変形例にかかるトレーニング用水着６１Ｃ，６１Ｄ，６１Ｅにおいては、意識しなくても着用するだけで肛門がより強力に引き締められて正しい姿勢をとることができ、さらに着用してトレーニングをするだけで筋肉に刺激を与え大臀筋・中臀筋が鍛えられて効果的にトレーニングをすることができ、さらに下腹部が引き締められるためより美しいプロポーションを得ることができ、穿き心地も良く長時間着用しても違和感を生ずることがない。
【０６１７】
実施の形態１９
次に、本発明の実施の形態１９にかかるトレーニング用水着について、図３５を参照して説明する。
【０６１８】
図３５（ａ）は本発明の実施の形態１９にかかるトレーニング用水着の全体構成を示す正面図、（ｂ）は背面図、（ｃ）は本発明の実施の形態１９にかかるトレーニング用水着を裏返した場合の全体構成を示す正面図、（ｄ）は背面図、（ｅ）は本発明の実施の形態１９にかかるトレーニング用水着の股下部分の内部構造を示す部分拡大図である。
【０６１９】
図３５（ａ），（ｂ）に示されるように、本実施の形態１９にかかるトレーニング用水着６１Ｆは、表地がポリエステル８５％，ポリウレタン１５％からなる伸縮性を有する生地としてのポリウレタン混合生地からなり、伸縮性を有する生地としてのパワーネット生地からなる裏地５２を有する水着本体５１Ｂを中心に構成されている。
【０６２０】
また、図３５（ｃ），（ｄ）に示されるように、トレーニング用水着６１Ｆを裏返すと、水着本体５１Ｂの裏側には伸縮性を有する生地としてのパワーネットからなる羽根部材６５Ｆが裏地５２に縫付けられている。ここで、羽根部材６５Ｆは略Ｘ字形を有しており、前部分岐部分６５Ｆｄ，６５Ｆｅの先端が、水着本体５１Ｂの裏側の前部の上端にステッチ縫い６５Ｆｊによって縫付けられている。そして、羽根部材６５Ｆは、水着本体５１Ｂの股部の裏側の裏地５２に取付けられた股下当て布６２の中を潜って、水着本体５１Ｂに縫付けられている。
【０６２１】
したがって、水着本体５１Ｂは、本発明における「伸縮性を有する生地からなる水着本体」に相当する。また、本実施の形態１９にかかるトレーニング用水着６１Ｆは、「伸縮性を有する生地からなる水着本体と、１対の分岐部分と１対の前部分岐部分とを有する略Ｘ字形の伸縮性を有する生地からなる羽根部材とを具備するトレーニング用水着」に相当する。
【０６２２】
さらに、本実施の形態１９にかかるトレーニング用水着６１Ｆは、「羽根部材の前部分岐部分の先端が水着本体の裏側の前部の上端に縫付けられているトレーニング用水着」に相当し、また「羽根部材が水着本体の股部の裏側に取付けられた股下当て布と水着本体の股部との間を潜って取付けられているトレーニング用水着」に相当する。
【０６２３】
羽根部材６５Ｆは、羽根部材６５Ｃ，６５Ｄ，６５Ｅと同様に二枚のパワーネット生地を袋縫いしてなるものであり、１対の分岐部分６５Ｆａ，６５Ｆｂの先端及びその周囲の部分がステッチ縫い６５Ｆｉによって水着本体５１Ｂの裏地５２の臀部に縫付けられており、羽根部材６５Ｆの前部分岐部分６５Ｆｄ，６５Ｆｅの先端が、ステッチ縫い６５Ｆｊによって水着本体５１Ｂの裏側の前部の上端まで伸びて縫付けられている。
【０６２４】
これによって、伸縮性を有する生地としての二枚のパワーネット生地からなる羽根部材６５Ｆの引っ張り力がより強力になって、肛門が効果的に締付けられるとともに、下腹部が羽根部材６５Ｆによって押え付けられるので、下腹部が引っ込んでより美しいプロポーションを得ることができる。
【０６２５】
そして、図３５（ｅ）に示されるように、股下当て布６２は、羽根部材６５Ｆを縫付けずに羽根部材６５Ｆを覆うように、その両縁が水着本体５１Ｂの股部の裏地５２に、ステッチ縫い６２ａによって縫付けられている。これによって、着用者の股部に羽根部材６５Ｆが直接当接することが防止され、股下当て布６２を介して当接するため、股下当て布６２がクッションとなって穿き心地が向上し、長時間着用しても違和感を覚えることがなくなる。また、羽根部材６５Ｆは股下当て布６２の中で自由に伸縮することができる。
【０６２６】
したがって、羽根部材６５Ｆは、ステッチ縫い６５Ｆｊによって前部分岐部分６５Ｆｄ，６５Ｆｅの先端が水着本体５１Ｂの裏側の前部の上端に縫付けられた部分と、ステッチ縫い６５ｉによって水着本体５１Ｂの臀部裏側に縫付けられた部分との間は縫付けられておらず、フリーの状態になっている。
【０６２７】
１対の分岐部分６５Ｆａ，６５Ｆｂの内側におけるステッチ縫い６５Ｆｉの縫い止まり点６５Ｆｋは、羽根部材６５Ｆの分岐点６５Ｆｃから約７ｃｍ（６．０ｃｍ〜８．０ｃｍ）離れており、１対の分岐部分６５Ｆａ，６５Ｆｂの外側におけるステッチ縫い６５Ｆｉの縫い止まり点６５Ｆｋは、内側のステッチ縫い６５Ｆｉの縫い止まり点とほぼ対応する位置にあって、少なくとも着用者の肛門の位置ＨＣＰよりは上方にある。
【０６２８】
そして、図３５（ｄ）に示されるように、羽根部材６５Ｆは、トレーニング用水着６１Ｆを着用したときに、着用者の肛門の位置ＨＣＰが１対の分岐部分６５Ｆａ，６５Ｆｂの間の分岐点６５Ｆｃの近傍（分岐点６５Ｆｃから約１．５ｃｍ（１．０ｃｍ〜２．０ｃｍ）離れた位置）にくるように縫付けられている。
【０６２９】
これによって、本実施の形態１９にかかるトレーニング用水着６１Ｆを着用することによって、羽根部材６５Ｆには伸縮性による引っ張り力がかかり、着用者の肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【０６３０】
そして、本実施の形態１９にかかるトレーニング用水着６１Ｆを着用して、水中ウォーキング、スイミング、アクアビクス（アクアエクササイズ）、等のトレーニングをすることによって、筋肉に刺激が与えられ大臀筋・中臀筋が鍛えられて効果的にトレーニングをすることができ、美しいプロポーションを得ることができる。
【０６３１】
また、肛門が引き締められると臀部に左右１対の笑窪様の小さい窪みが生じ、これらの小さい窪みの位置する点ＨＥＰが水着本体５１Ｂを介して羽根部材６５Ｆの１対の分岐部分６５Ｆａ，６５Ｆｂによって押えられるため、着用者の臀部が引き締まって小尻になるとともにヒップアップの効果が得られる。さらに、本実施の形態１９にかかるトレーニング用水着６１Ｆにおいては、羽根部材６５Ｆが股下当て布６２を介して着用者の股下に当接するので、穿き心地が著しく向上するという利点が得られる。
【０６３２】
なお、羽根部材６５Ｆについては、羽根部材６５Ｃのように二枚の伸縮性を有する生地を袋縫いにしたものでも、羽根部材１３Ｎのように一枚の伸縮性を有する生地の縁を裁ちかがり縫いしたものでも、羽根部材１３Ｐのように袋縫いにして作製した左右対称の部分を中心接ぎ縫い１３Ｐｇで接いでなるものでも良い。
【０６３３】
このようにして、本実施の形態１９にかかるトレーニング用水着６１Ｆにおいては、意識しなくても着用するだけで肛門がより強力に引き締められて正しい姿勢をとることができ、さらに着用してトレーニングをするだけで筋肉に刺激を与え大臀筋・中臀筋が鍛えられて効果的にトレーニングをすることができ、さらに下腹部が引き締められるためより美しいプロポーションを得ることができ、穿き心地も良く長時間着用しても違和感を生ずることがない。
【０６３４】
実施の形態２０
次に、本発明の実施の形態２０にかかるトレーニング用水着について、図３６及び図３７を参照して説明する。
【０６３５】
図３６（ａ）は本発明の実施の形態２０にかかるトレーニング用水着の全体構成を示す正面図、（ｂ）は背面図、（ｃ）は本発明の実施の形態２０にかかるトレーニング用水着を裏返した場合の全体構成を示す正面図、（ｄ）は背面図、（ｅ）は本発明の実施の形態２０にかかるトレーニング用水着の股下部分の内部構造を示す部分拡大図である。図３７（ａ）は本発明の実施の形態２０の第１変形例にかかるトレーニング用水着を裏返した場合の全体構成を示す正面図、（ｂ）は本発明の実施の形態２０の第２変形例にかかるトレーニング用水着を裏返した場合の全体構成を示す正面図である。
【０６３６】
なお、本実施の形態２０にかかるトレーニング用水着の構成は、一部を除いて上記実施の形態１９にかかるトレーニング用水着６１Ｆと同様であるため、同一の部分には同一の符号を付して、一部説明を省略する。
【０６３７】
図３６（ａ），（ｂ）に示されるように、本実施の形態２０にかかるトレーニング用水着６１Ｇは、表地がポリエステル８５％，ポリウレタン１５％からなる伸縮性を有する生地としてのポリウレタン混合生地からなり、伸縮性を有する生地としてのパワーネット生地からなる裏地５２を有する水着本体５１Ｂを中心に構成されている。
【０６３８】
また、図３６（ｃ），（ｄ）に示されるように、トレーニング用水着６１Ｇを裏返すと、水着本体５１Ｂの裏側には伸縮性を有する生地としてのパワーネットからなる羽根部材６５Ｇが裏地５２に縫付けられている。ここで、羽根部材６５Ｇは略Ｘ字形状を有しており、前部分岐部分６５Ｇｄ，６５Ｇｅの先端が、水着本体５１Ｂの裏側の前部の上端にステッチ縫い６５Ｇｊによって縫付けられている。そして、羽根部材６５Ｇは、水着本体５１Ｂの股部の裏側の裏地５２に取付けられた股下当て布６２の中を潜って、水着本体５１Ｂの裏地５２に縫付けられている。
【０６３９】
さらに、羽根部材６５Ｇには１対の枝部分６５Ｇｍが設けられており、羽根部材６５Ｇが股下当て布６２を潜って取付けられる際に、１対の枝部分６５Ｇｍが股下当て布６２の内部において水着本体５１Ｂの股部の裏地５２及び股下当て布６２に縫付けられている。
【０６４０】
したがって、水着本体５１Ｂは、本発明における「伸縮性を有する生地からなる水着本体」に相当する。また、本実施の形態２０にかかるトレーニング用水着６１Ｇは、「伸縮性を有する生地からなる水着本体と、１対の分岐部分と１対の前部分岐部分とを有する略Ｘ字形の伸縮性を有する生地からなる羽根部材とを具備するトレーニング用水着」に相当し、「羽根部材の前部分岐部分の先端が水着本体の裏側の前部の上端に縫付けられているトレーニング用水着」に相当する。
【０６４１】
さらに、本実施の形態２０にかかるトレーニング用水着６１Ｇは、「羽根部材が水着本体の股部の裏側に取付けられた股下当て布と水着本体の股部との間を潜って取付けられているトレーニング用水着」に相当し、また「羽根部材には１対の枝部分が設けられており、羽根部材が水着本体の股部の裏側に取付けられた股下当て布と水着本体の股部との間を潜って取付けられる際に枝部分が股下当て布の内部において水着本体の股部の裏側及び股下当て布に縫付けられているトレーニング用水着」に相当する。
【０６４２】
ここで、羽根部材６５Ｇは、羽根部材６５Ｆと同様に二枚のパワーネット生地を袋縫いしてなるものであり、１対の分岐部分６５Ｇａ，６５Ｇｂの先端及びその周囲の部分がステッチ縫い６５Ｇｉによって水着本体５１Ｂの裏地５２の臀部に縫付けられており、羽根部材６５Ｇの前部分岐部分６５Ｇｄ，６５Ｇｅの先端が、ステッチ縫い６５Ｇｊによって水着本体５１Ｂの裏側の前部の上端まで伸びて縫付けられている。
【０６４３】
これによって、伸縮性を有する生地としての二枚のパワーネット生地からなる羽根部材６５Ｇの引っ張り力がより強力になって、肛門が効果的に締付けられるとともに、下腹部が羽根部材６５Ｇによって押え付けられるので、下腹部が引っ込んでより美しいプロポーションを得ることができる。
【０６４４】
そして、図３６（ｅ）に示されるように、股下当て布６２は、羽根部材６５Ｇの枝部分６５Ｇｍのみを縫付けて、羽根部材６５Ｇを覆うようにその両縁が水着本体５１Ｂの股部の裏側の裏地５２に、ステッチ縫い６２ａによって縫付けられている。これによって、着用者の股部に羽根部材６５Ｇが直接当接することが防止され、股下当て布６２を介して当接するため、股下当て布６２がクッションとなって穿き心地が向上し、長時間着用しても違和感を覚えることがなくなる。
【０６４５】
また、羽根部材６５Ｇは股下当て布６２の中で枝部分６５Ｇｍのみが縫付けられることによって、羽根部材６５Ｇの自由な伸縮を妨げることなく、長い羽根部材６５Ｇの中間部分が捩れたりずれたりして肛門を引き締める効果が半減するとともに穿き心地も悪くなる事態を、確実に防止することができる。
【０６４６】
したがって、羽根部材６５Ｇは、ステッチ縫い６５Ｇｊによって前部分岐部分６５Ｇｄ，６５Ｇｅの先端が水着本体５１Ｂの裏側の前部の上端に縫付けられた部分と、ステッチ縫い６５Ｇｉによって水着本体５１Ｂの臀部裏地５２に縫付けられた部分との間は、枝部分６５Ｇｍのみが縫付けられており、自由に伸縮することができる。
【０６４７】
１対の分岐部分６５Ｇａ，６５Ｇｂの内側におけるステッチ縫い６５Ｇｉの縫い止まり点６５Ｇｋは、羽根部材６５Ｇの分岐点６５Ｇｃから約７ｃｍ（６．０ｃｍ〜８．０ｃｍ）離れており、１対の分岐部分６５Ｇａ，６５Ｇｂの外側におけるステッチ縫い６５Ｇｉの縫い止まり点６５Ｇｋは、内側のステッチ縫い６５Ｇｉの縫い止まり点とほぼ対応する位置にあって、少なくとも着用者の肛門の位置ＨＣＰよりは上方にある。
【０６４８】
そして、図３６（ｄ）に示されるように、羽根部材６５Ｇは、トレーニング用水着６１Ｇを着用したときに、着用者の肛門の位置ＨＣＰが１対の分岐部分６５Ｇａ，６５Ｇｂの間の分岐点６５Ｇｃの近傍（分岐点６５Ｇｃから約１．５ｃｍ（１．０ｃｍ〜２．０ｃｍ）離れた位置）にくるように縫付けられている。
【０６４９】
これによって、本実施の形態２０にかかるトレーニング用水着６１Ｇを着用することによって、羽根部材６５Ｇには伸縮性による引っ張り力がかかり、着用者の肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【０６５０】
そして、本実施の形態２０にかかるトレーニング用水着６１Ｇを着用して、水中ウォーキング、スイミング、アクアビクス（アクアエクササイズ）、等のトレーニングをすることによって、筋肉に刺激が与えられ大臀筋・中臀筋が鍛えられて効果的にトレーニングをすることができ、美しいプロポーションを得ることができる。
【０６５１】
また、肛門が引き締められると臀部に左右１対の笑窪様の小さい窪みが生じ、これらの小さい窪みの位置する点ＨＥＰが水着本体５１Ｂを介して羽根部材６５Ｇの１対の分岐部分６５Ｇａ，６５Ｇｂによって押えられるため、着用者の臀部が引き締まって小尻になるとともにヒップアップの効果が得られる。さらに、本実施の形態２０にかかるトレーニング用水着６１Ｇにおいては、羽根部材６５Ｇが股下当て布６２を介して着用者の股下に当接するので、穿き心地が著しく向上するという利点が得られる。
【０６５２】
なお、羽根部材６５Ｇについては、羽根部材６５Ｃ，６５Ｄ，６５Ｅ，６５Ｆのように二枚の伸縮性を有する生地を袋縫いにしたものでも、羽根部材１３Ｎのように一枚の伸縮性を有する生地の縁を裁ちかがり縫いしたものでも、羽根部材１３Ｐのように袋縫いにして作製した左右対称の部分を中心接ぎ縫い１３Ｐｇで接いでなるものでも良い。
【０６５３】
このようにして、本実施の形態２０にかかるトレーニング用水着６１Ｇにおいては、意識しなくても単独で、またはズボン・パンツやスカート等の衣服の下に着用するだけで肛門がより強力に引き締められて正しい姿勢をとることができ、さらに着用してトレーニングをするだけで筋肉に刺激を与え大臀筋・中臀筋が鍛えられて効果的にトレーニングをすることができ、さらに下腹部が引き締められるためより美しいプロポーションを得ることができ、穿き心地も良く長時間着用しても違和感を生ずることがない。
【０６５４】
次に、本実施の形態２０の変形例にかかるトレーニング用水着について、図３７を参照して説明する。なお、本実施の形態２０の変形例にかかるトレーニング用水着の構成は、一部を除いて上記実施の形態２０にかかるトレーニング用水着６１Ｇと同様であるため、同一の部分には同一の符号を付すとともに、トレーニング用水着の全体構成を示す正面図及び背面図、トレーニング用水着を裏返した場合の全体構成を示す背面図については、図３６（ａ），（ｂ），（ｄ）を参照して、一部説明を省略する。
【０６５５】
図３７（ａ）に示されるように、本実施の形態２０の第１変形例にかかるトレーニング用水着６１Ｈは、表地がポリエステル８５％，ポリウレタン１５％からなる伸縮性を有する生地としてのポリウレタン混合生地からなり、伸縮性を有する生地としてのパワーネット生地からなる裏地５２を有する水着本体５１Ｂを中心に構成されている。本実施の形態２０の第１変形例にかかるトレーニング用水着６１Ｈが上記トレーニング用水着６１Ｇと異なるのは、図３７（ａ）に示されるように、羽根部材６５Ｈの形状のみである。
【０６５６】
即ち、本実施の形態２０の第１変形例にかかるトレーニング用水着６１Ｈにおいても、羽根部材６５Ｇのように二枚の伸縮性を有する生地としてのパワーネット生地を袋縫いにしてなる羽根部材６５Ｈの前部分岐部分６５Ｈｄ，６５Ｈｅの先端が、水着本体５１Ｂの裏側の前部の上端まで伸びて、ステッチ縫い６５Ｈｊによって脇部に縫付けられている。そして、羽根部材６５Ｈの前部分岐部分６５Ｈｄ，６５Ｈｅは、上記トレーニング用水着６１Ｇにおける羽根部材６５Ｇよりも大きく広がっている。
【０６５７】
これによって、伸縮性を有する生地としての二枚のパワーネット生地からなる羽根部材６５Ｈの引っ張り力がまろやかになって全体に広がり、肛門が効果的に締付けられるとともに、下腹部が羽根部材６５Ｈによって押え付けられるので、下腹部が引っ込んでより美しいプロポーションを得ることができる。
【０６５８】
そして、股下当て布６２は、羽根部材６５Ｈの枝部分６５Ｈｍのみを縫付けて、羽根部材６５Ｈを覆うようにその両縁が水着本体５１Ｂの股部の裏側に、ステッチ縫い６２ａによって縫付けられている。これによって、着用者の股部に羽根部材６５Ｈが直接当接することが防止され、股下当て布６２を介して当接するため、股下当て布６２がクッションとなって穿き心地が向上し、長時間着用しても違和感を覚えることがなくなる。
【０６５９】
また、羽根部材６５Ｈは股下当て布６２の中で枝部分６５Ｈｍのみが縫付けられることによって、羽根部材６５Ｈの自由な伸縮を妨げることなく、長い羽根部材６５Ｈの中間部分が捩れたりずれたりして肛門を引き締める効果が半減するとともに穿き心地も悪くなる事態を、確実に防止することができる。
【０６６０】
次に、図３７（ｂ）に示されるように、本実施の形態２０の第２変形例にかかるトレーニング用水着６１Ｊは、表地がポリエステル８５％，ポリウレタン１５％からなる伸縮性を有する生地としてのポリウレタン混合生地からなり、伸縮性を有する生地としてのパワーネット生地からなる裏地５２を有する水着本体６５Ａ，６５Ｂを中心に構成されている。
【０６６１】
本実施の形態２０の第２変形例にかかるトレーニング用水着６１Ｊが上記トレーニング用水着６１Ｇ，６１Ｈと異なるのは、図３７（ｂ）に示されるように、水着本体が二つの部材６５Ａ，６５Ｂから構成されている点と、羽根部材６５Ｊの形状のみである。
【０６６２】
即ち、本実施の形態２０の第２変形例にかかるトレーニング用水着６１Ｊにおいては、羽根部材６５Ｇ，６５Ｈのように二枚の伸縮性を有する生地としてのパワーネット生地を袋縫いにしてなる羽根部材６５Ｊの前部分岐部分６５Ｊｄ，６５Ｊｅの先端が、水着本体６５Ａ，６５Ｂの裏側の前部の上端まで届いているとともに、二つの部材６５Ａ，６５Ｂを縫い合わせるステッチ縫い６５Ｊｊによって水着本体６５Ａ，６５Ｂの裏側に縫付けられている。
【０６６３】
これによって、伸縮性を有する生地としての二枚のパワーネット生地からなる羽根部材６５Ｊの引っ張り力がより強力になって、肛門が効果的に締付けられるとともに、下腹部が羽根部材６５Ｊによって押え付けられるので、下腹部が引っ込んでより美しいプロポーションを得ることができる。
【０６６４】
そして、股下当て布６２は、羽根部材６５Ｊの枝部分６５Ｊｍのみを縫付けて、羽根部材６５Ｊを覆うようにその両縁が水着本体６５Ａ，６５Ｂの股部の裏側に、ステッチ縫い６２ａによって縫付けられている。これによって、着用者の股部に羽根部材６５Ｊが直接当接することが防止され、股下当て布６２を介して当接するため、股下当て布６２がクッションとなって穿き心地が向上し、長時間着用しても違和感を覚えることがなくなる。
【０６６５】
また、羽根部材６５Ｊは股下当て布６２の中で枝部分６５Ｊｍのみが縫付けられることによって、羽根部材６５Ｊの自由な伸縮を妨げることなく、長い羽根部材６５Ｊの中間部分が捩れたりずれたりして肛門を引き締める効果が半減するとともに穿き心地も悪くなる事態を、確実に防止することができる。
【０６６６】
このようにして、本実施の形態２０の変形例にかかるトレーニング用水着６１Ｈ，６１Ｊにおいては、意識しなくても着用するだけで肛門がより強力に引き締められて正しい姿勢をとることができ、さらに着用してトレーニングをするだけで筋肉に刺激を与え大臀筋・中臀筋が鍛えられて効果的にトレーニングをすることができ、さらに下腹部が引き締められるためより美しいプロポーションを得ることができ、穿き心地も良く長時間着用しても違和感を生ずることがない。
【０６６７】
実施の形態２１
次に、本発明の実施の形態２１にかかるトレーニング用水着について、図３８乃至図４０を参照して説明する。
【０６６８】
図３８（ａ）は本発明の実施の形態２１にかかるトレーニング用水着の全体構成を示す正面図、（ｂ）は背面図、（ｃ）は本発明の実施の形態２１にかかるトレーニング用水着を裏返した場合の全体構成を示す正面図、（ｄ）は背面図、（ｅ）は本発明の実施の形態２１にかかるトレーニング用水着の股下部分の内部構造を示す部分拡大図である。
【０６６９】
図３９（ａ）は本発明の実施の形態２１の第１変形例にかかるトレーニング用水着の全体構成を示す正面図、（ｂ）は背面図、（ｃ）は本発明の実施の形態２１の第１変形例にかかるトレーニング用水着を裏返した場合の全体構成を示す正面図、（ｄ）は背面図、（ｅ）は本発明の実施の形態２１の第１変形例にかかるトレーニング用水着の股下部分の内部構造を示す部分拡大図である。
【０６７０】
図４０（ａ）は本発明の実施の形態２１の第２変形例にかかるトレーニング用水着の全体構成を示す正面図、（ｂ）は背面図、（ｃ）は本発明の実施の形態２１の第２変形例にかかるトレーニング用水着を裏返した場合の全体構成を示す正面図、（ｄ）は背面図、（ｅ）は本発明の実施の形態２１の第２変形例にかかるトレーニング用水着の股下部分の内部構造を示す部分拡大図である。
【０６７１】
なお、本実施の形態２１にかかるトレーニング用水着の構成は、一部を除いて上記実施の形態１９，２０にかかるトレーニング用水着６１Ｆ，６１Ｇ，６１Ｈと同様であるため、同一の部分には同一の符号を付して、一部説明を省略する。
【０６７２】
図３８（ａ），（ｂ）に示されるように、本実施の形態２１にかかるトレーニング用水着６１Ｋも、表地がポリエステル８５％，ポリウレタン１５％からなる伸縮性を有する生地としてのポリウレタン混合生地からなり、伸縮性を有する生地としてのパワーネット生地からなる裏地５２を有する水着本体５１Ｂを中心に構成されている。ここで、図３８（ｃ），（ｄ）に示されるように、トレーニング用水着６１Ｋの裏側には、股下当て布６２（伸縮性を有する生地としてのパワーネットからなる）が縫付けられている。
【０６７３】
そして、図３８（ｄ），（ｅ）に示されるように、トレーニング用水着６１Ｋの裏側臀部には、１対の分岐部分と分岐点を含む根元部分のみからなる伸縮性を有する生地としてのパワーネットからなる後部羽根部材６５Ｋの１対の分岐部分６５Ｋａ，６５Ｋｂがステッチ縫い６５Ｋｉで縫付けられており、根元部分６５Ｋｅが股下当て布６２の後部の端にステッチ縫い６５Ｋｈで縫付けられている。
【０６７４】
したがって、水着本体５１Ｂは、本発明における「伸縮性を有する生地からなる水着本体」に相当する。また、本実施の形態２１にかかるトレーニング用水着６１Ｋは、「羽根部材が１対の分岐部分と分岐点を含む根元部分のみからなる伸縮性を有する生地からなる後部羽根部材であって、後部羽根部材は根元部分が水着本体の股部の裏側に取付けられた伸縮性を有する生地からなる股下当て布の後部の端に縫付けられているトレーニング用水着」に相当する。
【０６７５】
ここで、後部羽根部材６５Ｋは、羽根部材６５Ｃと同様に、二枚のパワーネット生地を袋縫いしてなるものである。これによって、着用者の股部には股下当て布６２が当接するため、股下当て布６２がクッションとなって穿き心地が向上し、長時間着用しても違和感を覚えることがなくなる。そして、股下当て布６２は、伸縮性を有する生地としてのパワーネットからなる。
【０６７６】
したがって、後部羽根部材６５Ｋは、ステッチ縫い６５Ｋｈによって根元部分６５Ｋｅが股下当て布６２の後部の端に縫付けられた部分と、ステッチ縫い６５Ｋｉによって水着本体５１Ｂの臀部裏側に縫付けられた部分との間は、自由に伸縮することができる。
【０６７７】
１対の分岐部分６５Ｋａ，６５Ｋｂの内側におけるステッチ縫い６５Ｋｉの縫い止まり点６５Ｋｋは、後部羽根部材６５Ｋの分岐点６５Ｋｃから約７ｃｍ（６．０ｃｍ〜８．０ｃｍ）離れており、１対の分岐部分６５Ｋａ，６５Ｋｂの外側におけるステッチ縫い６５Ｋｉの縫い止まり点６５Ｋｋは、内側のステッチ縫い６５Ｋｉの縫い止まり点とほぼ対応する位置にあって、少なくとも着用者の肛門の位置ＨＣＰよりは上方にある。
【０６７８】
そして、図３８（ｄ）に示されるように、後部羽根部材６５Ｋは、トレーニング用水着６１Ｋを着用したときに、着用者の肛門の位置ＨＣＰが１対の分岐部分６５Ｋａ，６５Ｋｂの間の分岐点６５Ｋｃの近傍（分岐点６５Ｋｃから約１．５ｃｍ（１．０ｃｍ〜２．０ｃｍ）離れた位置）にくるように縫付けられている。
【０６７９】
これによって、本実施の形態２１にかかるトレーニング用水着６１Ｋを着用することによって、後部羽根部材６５Ｋには伸縮性による引っ張り力がかかり、着用者の肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【０６８０】
そして、本実施の形態２１にかかるトレーニング用水着６１Ｋを着用して、水中ウォーキング、スイミング、アクアビクス（アクアエクササイズ）、等のトレーニングをすることによって、筋肉に刺激が与えられ大臀筋・中臀筋が鍛えられて効果的にトレーニングをすることができ、美しいプロポーションを得ることができる。
【０６８１】
また、肛門が引き締められると臀部に左右１対の笑窪様の小さい窪みが生じ、これらの小さい窪みの位置する点ＨＥＰが水着本体５１Ｂを介して羽根部材６５Ｋの１対の分岐部分６５Ｋａ，６５Ｋｂによって押えられるため、着用者の臀部が引き締まって小尻になるとともにヒップアップの効果が得られる。さらに、本実施の形態２１にかかるトレーニング用水着６１Ｋにおいては、股下当て布６２が着用者の股下に当接するので、穿き心地が著しく向上するという利点が得られる。
【０６８２】
なお、後部羽根部材６５Ｋについては、羽根部材１３のように二枚の伸縮性を有する生地を袋縫いにしたものでも、羽根部材１３Ｎのように一枚の伸縮性を有する生地の縁を裁ちかがり縫いしたものでも、羽根部材１３Ｐのように袋縫いにして作製した左右対称の部分を中心接ぎ縫い１３Ｐｇで接いでなるものでも良い。
【０６８３】
次に、本実施の形態２１の第１変形例にかかるトレーニング用水着６１Ｌについて、図３９を参照して説明する。図３９（ａ），（ｂ），（ｄ）に示されるように、第１変形例にかかるトレーニング用水着６１Ｌの背面側の構成については、上記トレーニング用水着６１Ｋの構成と同様である。
【０６８４】
異なるのは、図３９（ｃ），（ｅ）に示されるように、第１変形例にかかるトレーニング用水着１０６の前面裏側には、羽根部材の分岐していない側のみからなる伸縮性を有する生地としてのパワーネットからなる前部羽根部材６５Ｌが縫付けられている点である。前部羽根部材６５Ｌの分岐していない側６５Ｌｄの先端６５Ｌｅは、ステッチ縫い６５Ｌｈによって水着本体５１Ｂの裏側の前部上端に縫付けられ、反対側の端６５Ｌａは、ステッチ縫い６５Ｌｉによって股下当て布６２の前部の端に縫付けられている。
【０６８５】
したがって、本実施の形態２１の第１変形例にかかるトレーニング用水着６１Ｌは、本発明における「後部羽根部材とともに羽根部材の分岐していない側のみからなる伸縮性を有する生地からなる前部羽根部材を有し、前部羽根部材の分岐していない側の先端は水着本体の裏側の前部に縫付けられており、前部羽根部材の反対側の端は股下当て布の前部の端に縫付けられているトレーニング用水着」に相当する。
【０６８６】
これによって、上記トレーニング用水着６１Ｋにおける効果に加えて、伸縮性を有する生地からなる股下当て布６２を介してではあるが、後部羽根部材６５Ｋが前部羽根部材６５Ｌによって引っ張られるために後部羽根部材６５Ｋが肛門を引き締める効果が向上するとともに、前部羽根部材６５Ｌによって下腹部が押え付けられるので、下腹部が引っ込んでより美しいプロポーションを得ることができる。
【０６８７】
なお、前部羽根部材６５Ｌについては、羽根部材１３のように二枚の伸縮性を有する生地を袋縫いにしたものでも、羽根部材１３Ｎのように一枚の伸縮性を有する生地の縁を裁ちかがり縫いしたものでも、羽根部材１３Ｐのように袋縫いにして作製した左右対称の部分を中心接ぎ縫い１３Ｐｇで接いでなるものでも良い。
【０６８８】
次に、本実施の形態２１の第２変形例にかかるトレーニング用水着６１Ｍについて、図４０を参照して説明する。図４０（ａ），（ｂ），（ｄ）に示されるように、第２変形例にかかるトレーニング用水着６１Ｍの背面側の構成については、上記トレーニング用水着６１Ｋ，６１Ｌの構成と同様である。
【０６８９】
異なるのは、図４０（ｃ），（ｅ）に示されるように、第２変形例にかかるトレーニング用水着６１Ｍの前面裏側には、羽根部材の１対の前部分岐部分のみからなる伸縮性を有する生地としてのパワーネットからなる前部羽根部材６５Ｍが縫付けられている点である。前部羽根部材６５Ｍの１対の前部分岐部分６５Ｍｄ，６５Ｍｅの先端は、ステッチ縫い６５Ｍｊによって水着本体５１Ｂの裏側の前部上端に縫付けられ、反対側の端６５Ｍａは、ステッチ縫い６５Ｍｈによって股下当て布６２の前部の端に縫付けられている。
【０６９０】
したがって、本実施の形態２１の第２変形例にかかるトレーニング用水着６１Ｍは、本発明における「後部羽根部材とともに羽根部材の１対の前部分岐部分のみからなる伸縮性を有する生地からなる前部羽根部材を有し、前部羽根部材の１対の前部分岐部分の先端は水着本体の裏側の前部に縫付けられており、前部羽根部材の反対側の端は股下当て布の前部の端に縫付けられているトレーニング用水着」に相当する。
【０６９１】
これによって、上記トレーニング用水着６１Ｋにおける効果に加えて、伸縮性を有する生地からなる股下当て布６２を介してではあるが、後部羽根部材６５Ｋが前部羽根部材６５Ｍによって引っ張られるために後部羽根部材６５Ｋが肛門を引き締める効果が向上するとともに、前部羽根部材６５Ｍによって下腹部が押え付けられるので、下腹部が引っ込んでより美しいプロポーションを得ることができる。
【０６９２】
なお、前部羽根部材６５Ｍについては、羽根部材１３のように二枚の伸縮性を有する生地を袋縫いにしたものでも、羽根部材１３Ｎのように一枚の伸縮性を有する生地の縁を裁ちかがり縫いしたものでも、二枚の伸縮性を有する生地の縁を裁ちかがり縫いしたものでも良い。
【０６９３】
このようにして、本実施の形態２１にかかるトレーニング用水着６１Ｋ，６１Ｌ，６１Ｍにおいては、意識しなくても着用するだけで肛門がより強力に引き締められて正しい姿勢をとることができ、さらに着用してトレーニングをするだけで筋肉に刺激を与え大臀筋・中臀筋が鍛えられて効果的にトレーニングをすることができ、さらに下腹部が引き締められるためより美しいプロポーションを得ることができ、穿き心地も良く長時間着用しても違和感を生ずることがない。
【０６９４】
上記実施の形態１５乃至実施の形態２１にかかるトレーニング用水着４５，５０，５７，６０，６１Ａ，６１Ｂ，６１Ｃ，６１Ｄ，６１Ｅ，６１Ｆ，６１Ｇ，６１Ｈ，６１Ｊ，６１Ｋ，６１Ｌ，６１Ｍにおいては、羽根部材を構成する伸縮性を有する生地としてパワーネットを用いた例について説明したが、サテンネット、ストレッチレース、トリコット、ニット生地、ポリウレタンが１％から３０％混入されたポリウレタン混合生地、綿ストレッチ、スパンレックス、ストレッチレース、を始めとする他の伸縮性を有する生地を用いても良い。
【０６９５】
また、上記実施の形態１７乃至実施の形態２１にかかるトレーニング用水着の構成を、上記実施の形態１５にかかるワンピース型のトレーニング用水着に適用することも可能である。
【０６９６】
さらに、水着本体４６，５１Ａ，５１Ｂが伸縮性を有する生地としてのポリウレタン混合生地を表地として伸縮性を有する生地としてのパワーネットを裏地として縫い合わせてなる場合について説明したが、伸縮性を有する生地としてポリウレタン混合生地及びパワーネット以外にも、サテンネット、ストレッチレース、トリコット、ニット生地、綿ストレッチ、スパンレックス、ストレッチレース、を始めとする他の伸縮性を有する生地を用いることもできる。
【０６９７】
上記各実施の形態においては、サポーター本体を伸縮性を有する生地としてのサテンネットを表地としてパワーネットを裏地として構成した場合について説明したが、サポーター本体を構成する伸縮性を有する生地としては、サテンネット、パワーネット、ストレッチレース、トリコット、ニット生地、ポリウレタンが１％から３０％混入されたポリウレタン混合生地、スパンレックス、ストレッチレース、を始めとする伸縮性を有する生地を単独で、または混合して用いても良い。
【０６９８】
また、上記各実施の形態においては、羽根部材を構成する伸縮性を有する生地として、パワーネット生地を用いた例についてのみ説明したが、羽根部材を構成する伸縮性を有する生地としては、その他にもサテンネット、ストレッチレース、を始めとする他の伸縮性を有する生地を用いることもできる。
【０６９９】
トレーニング用サポーター、トレーニング用スパッツ、トレーニング用水着のその他の部分の構造、形状、材質、数量、大きさ（幅・長さ・厚さ等）、接続関係等についても、上記各実施の形態に限定されるものではない。
【図面の簡単な説明】
【０７００】
【図１】図１（ａ）は本発明の実施の形態１にかかるトレーニング用サポーターの全体構成を示す正面図、（ｂ）は背面図、（ｃ）は本発明の実施の形態１にかかるトレーニング用サポーターを裏返した場合の全体構成を示す正面図、（ｄ）は背面図である。
【図２】図２は人体の肛門が引き締められた場合に臀部に生ずる左右１対の笑窪様の小さい窪みの位置を示す模式図である。
【図３】図３（ａ）は本発明の実施の形態１にかかるトレーニング用サポーターの縫付けの手順を示す正面図、（ｂ）は背面図である。
【図４】図４（ａ）は本発明の実施の形態１の第１変形例にかかるトレーニング用サポーターの全体構成を示す正面図、（ｂ）は背面図、（ｃ）は本発明の実施の形態１の第２変形例にかかるトレーニング用サポーターの全体構成を示す正面図、（ｄ）は背面図、（ｅ）は本発明の実施の形態１の第３変形例にかかるトレーニング用サポーターの全体構成を示す正面図、（ｆ）は背面図、（ｇ）は本発明の実施の形態１の第４変形例にかかるトレーニング用サポーターの全体構成を示す正面図、（ｈ）は背面図である。
【図５】図５（ａ）は本発明の実施の形態２にかかるトレーニング用サポーターの全体構成を示す正面図、（ｂ）は背面図、（ｃ）は本発明の実施の形態２にかかるトレーニング用サポーターを構成する一体の元地を示す展開図である。
【図６】図６（ａ）は本発明の実施の形態３にかかるトレーニング用サポーターの全体構成を示す正面図、（ｂ）は背面図、（ｃ）は本発明の実施の形態３にかかるトレーニング用サポーターを裏返した場合の全体構成を示す正面図、（ｄ）は背面図である。
【図７】図７（ａ）は本発明の実施の形態３の第１変形例にかかるトレーニング用サポーターの全体構成を示す正面図、（ｂ）は背面図、（ｃ）は本発明の実施の形態３の第２変形例にかかるトレーニング用サポーターの全体構成を示す正面図、（ｄ）は背面図、（ｅ）は本発明の実施の形態３の第３変形例にかかるトレーニング用サポーターの全体構成を示す正面図、（ｆ）は背面図、（ｇ）は本発明の実施の形態３の第４変形例にかかるトレーニング用サポーターの全体構成を示す正面図、（ｈ）は背面図である。
【図８】図８（ａ）は本発明の実施の形態３にかかるトレーニング用サポーターに用いられる羽根部材と肛門の位置及び左右１対の小さい窪みの位置との位置関係を示す図、（ｂ）は羽根部材と肛門の位置及び左右１対の小さい窪みの位置との別の位置関係を示す図、（ｃ）は羽根部材と肛門の位置及び左右１対の小さい窪みの位置とのさらに別の位置関係を示す図、（ｄ）は異なる羽根部材と肛門の位置との位置関係を示す図である。
【図９】図９（ａ）〜（ｊ）は本発明の実施の形態３にかかるトレーニング用サポーターに用いられる羽根部材の様々な形状を示す図である。
【図１０】図１０（ａ）は本発明の実施の形態３にかかるトレーニング用サポーターに用いられる羽根部材の縫付け方法を示す図、（ｂ）は羽根部材の異なる縫付け方法を示す図、（ｃ）は羽根部材のさらに異なる縫付け方法を示す図である。
【図１１】図１１（ａ）は本発明の実施の形態４にかかるトレーニング用サポーターの全体構成を示す正面図、（ｂ）は背面図、（ｃ）は本発明の実施の形態４にかかるトレーニング用サポーターを裏返した場合の全体構成を示す正面図、（ｄ）は背面図である。
【図１２】図１２（ａ）は本発明の実施の形態４の第１変形例にかかるトレーニング用サポーターの全体構成を示す正面図、（ｂ）は背面図、（ｃ）は本発明の実施の形態４の第２変形例にかかるトレーニング用サポーターの全体構成を示す正面図、（ｄ）は背面図、（ｅ）は本発明の実施の形態４の第３変形例にかかるトレーニング用サポーターの全体構成を示す正面図、（ｆ）は背面図、（ｇ）は本発明の実施の形態４の第４変形例にかかるトレーニング用サポーターの全体構成を示す正面図、（ｈ）は背面図である。
【図１３】図１３（ａ）は本発明の実施の形態５にかかるトレーニング用サポーターの全体構成を示す正面図、（ｂ）は背面図、（ｃ）は本発明の実施の形態５にかかるトレーニング用サポーターを構成する一体の元地を示す展開図である。
【図１４】図１４（ａ）は本発明の実施の形態６にかかるトレーニング用サポーターの全体構成を示す正面図、（ｂ）は背面図、（ｃ）は本発明の実施の形態６にかかるトレーニング用サポーターを裏返した場合の全体構成を示す正面図、（ｄ）は背面図である。
【図１５】図１５（ａ）は本発明の実施の形態７にかかるトレーニング用サポーターの調節機能付き接続具を外した状態の全体構成を示す正面図、（ｂ）は本発明の実施の形態７にかかるトレーニング用サポーターの調節機能付き接続具を嵌合させた状態の全体構成を示す正面図、（ｃ）は背面図、（ｄ）は本発明の実施の形態７にかかるトレーニング用サポーターを裏返した場合の全体構成を示す背面図である。
【図１６】図１６（ａ）は本発明の実施の形態７の変形例にかかるトレーニング用サポーターの全体構成を示す正面図、（ｂ）は背面図、（ｃ）は本発明の実施の形態７の変形例にかかるトレーニング用サポーターを裏返して調節機能付き接続具の一方を外した状態の全体構成を示す正面図、（ｄ）は背面図、（ｅ）は本発明の実施の形態７の変形例にかかるトレーニング用サポーターに用いられる羽根部材の形状を示す図である。
【図１７】図１７（ａ）は本発明の実施の形態８にかかるトレーニング用スパッツの全体構成を示す正面図、（ｂ）は背面図、（ｃ）は本発明の実施の形態８にかかるトレーニング用スパッツを裏返した場合の上部の構成を示す正面図、（ｄ）は背面図である。
【図１８】図１８（ａ）は本発明の実施の形態９にかかるトレーニング用スパッツの全体構成を示す正面図、（ｂ）は背面図、（ｃ）は本発明の実施の形態９にかかるトレーニング用スパッツを裏返した場合の上部の構成を示す正面図、（ｄ）は背面図、（ｅ）は本発明の実施の形態９にかかるトレーニング用スパッツの股下部分の内部構造を示す部分拡大図である。
【図１９】図１９（ａ）は本発明の実施の形態１０にかかるトレーニング用スパッツの全体構成を示す正面図、（ｂ）は背面図、（ｃ）は本発明の実施の形態１０にかかるトレーニング用スパッツを裏返した場合の上部の構成を示す正面図、（ｄ）は背面図、（ｅ）は本発明の実施の形態１０にかかるトレーニング用スパッツの股下部分の内部構造を示す部分拡大図である。
【図２０】図２０（ａ）は本発明の実施の形態１１にかかるトレーニング用スパッツの全体構成を示す正面図、（ｂ）は背面図、（ｃ）は本発明の実施の形態１１にかかるトレーニング用スパッツを裏返した場合の上部の構成を示す正面図、（ｄ）は背面図、（ｅ）は本発明の実施の形態１１にかかるトレーニング用スパッツの股下部分の内部構造を示す部分拡大図である。
【図２１】図２１（ａ）は本発明の実施の形態１１の第１変形例にかかるトレーニング用スパッツを裏返した場合の全体構成を示す正面図、（ｂ）は股下部分の内部構造を示す部分拡大図、（ｃ）は本発明の実施の形態１１の第２変形例にかかるトレーニング用スパッツを裏返した場合の全体構成を示す正面図、（ｄ）は本発明の実施の形態１１の第３変形例にかかるトレーニング用スパッツを裏返した場合の全体構成を示す正面図である。
【図２２】図２２（ａ）は本発明の実施の形態１２にかかるトレーニング用スパッツの全体構成を示す正面図、（ｂ）は背面図、（ｃ）は本発明の実施の形態１２にかかるトレーニング用スパッツを裏返した場合の全体構成を示す正面図、（ｄ）は背面図、（ｅ）は本発明の実施の形態１２にかかるトレーニング用スパッツの股下部分の内部構造を示す部分拡大図である。
【図２３】図２３（ａ）は本発明の実施の形態１３にかかるトレーニング用スパッツの全体構成を示す正面図、（ｂ）は背面図、（ｃ）は本発明の実施の形態１３にかかるトレーニング用スパッツを裏返した場合の全体構成を示す正面図、（ｄ）は背面図、（ｅ）は本発明の実施の形態１３にかかるトレーニング用スパッツの股下部分の内部構造を示す部分拡大図である。
【図２４】図２４（ａ）は本発明の実施の形態１３の第１変形例にかかるトレーニング用スパッツを裏返した場合の全体構成を示す正面図、（ｂ）は本発明の実施の形態１３の第２変形例にかかるトレーニング用スパッツを裏返した場合の全体構成を示す正面図である。
【図２５】図２５（ａ）は本発明の実施の形態１４にかかるトレーニング用スパッツの全体構成を示す正面図、（ｂ）は背面図、（ｃ）は本発明の実施の形態１４にかかるトレーニング用スパッツを裏返した場合の全体構成を示す正面図、（ｄ）は背面図、（ｅ）は本発明の実施の形態１４にかかるトレーニング用スパッツの股下部分の内部構造を示す部分拡大図である。
【図２６】図２６（ａ）は本発明の実施の形態１４の第１変形例にかかるトレーニング用スパッツの全体構成を示す正面図、（ｂ）は背面図、（ｃ）は本発明の実施の形態１４の第１変形例にかかるトレーニング用スパッツを裏返した場合の全体構成を示す正面図、（ｄ）は背面図、（ｅ）は本発明の実施の形態１４の第１変形例にかかるトレーニング用スパッツの股下部分の内部構造を示す部分拡大図である。
【図２７】図２７（ａ）は本発明の実施の形態１４の第２変形例にかかるトレーニング用スパッツの全体構成を示す正面図、（ｂ）は背面図、（ｃ）は本発明の実施の形態１４の第２変形例にかかるトレーニング用スパッツを裏返した場合の全体構成を示す正面図、（ｄ）は背面図、（ｅ）は本発明の実施の形態１４の第２変形例にかかるトレーニング用スパッツの股下部分の内部構造を示す部分拡大図である。
【図２８】図２８（ａ）は本発明の実施の形態１５にかかるトレーニング用水着の全体構成を示す正面図、（ｂ）は背面図、（ｃ）は本発明の実施の形態１５にかかるトレーニング用水着を裏返した場合の下部の構成を示す背面図である。
【図２９】図２９（ａ）は本発明の実施の形態１５の変形例にかかるトレーニング用水着の全体構成を示す正面図、（ｂ）は背面図、（ｃ）は本発明の実施の形態１５の変形例にかかるトレーニング用水着を裏返した場合の下部の構成を示す背面図である。
【図３０】図３０（ａ）は本発明の実施の形態１６にかかるトレーニング用水着の全体構成を示す正面図、（ｂ）は背面図、（ｃ）は本発明の実施の形態１６にかかるトレーニング用水着の水着ボトムを裏返した場合の全体構成を示す正面図、（ｄ）は背面図である。
【図３１】図３１（ａ）は本発明の実施の形態１６の変形例にかかるトレーニング用水着の全体構成を示す正面図、（ｂ）は背面図、（ｃ）は本発明の実施の形態１６の変形例にかかるトレーニング用水着の水着ボトムを裏返した場合の全体構成を示す正面図、（ｄ）は背面図である。
【図３２】図３２（ａ）は本発明の実施の形態１７にかかるトレーニング用水着の全体構成を示す正面図、（ｂ）は背面図、（ｃ）は本発明の実施の形態１７にかかるトレーニング用水着を裏返した場合の上部の構成を示す正面図、（ｄ）は背面図、（ｅ）は本発明の実施の形態１７にかかるトレーニング用水着の股下部分の内部構造を示す部分拡大図である。
【図３３】図３３（ａ）は本発明の実施の形態１８にかかるトレーニング用水着の全体構成を示す正面図、（ｂ）は背面図、（ｃ）は本発明の実施の形態１８にかかるトレーニング用水着を裏返した場合の全体構成を示す正面図、（ｄ）は背面図、（ｅ）は本発明の実施の形態１８にかかるトレーニング用水着の股下部分の内部構造を示す部分拡大図である。
【図３４】図３４（ａ）は本発明の実施の形態１８の第１変形例にかかるトレーニング用水着を裏返した場合の全体構成を示す正面図、（ｂ）は股下部分の内部構造を示す部分拡大図、（ｃ）は本発明の実施の形態１８の第２変形例にかかるトレーニング用水着を裏返した場合の全体構成を示す正面図、（ｄ）は本発明の実施の形態１８の第３変形例にかかるトレーニング用水着を裏返した場合の全体構成を示す正面図である。
【図３５】図３５（ａ）は本発明の実施の形態１９にかかるトレーニング用水着の全体構成を示す正面図、（ｂ）は背面図、（ｃ）は本発明の実施の形態１９にかかるトレーニング用水着を裏返した場合の全体構成を示す正面図、（ｄ）は背面図、（ｅ）は本発明の実施の形態１９にかかるトレーニング用水着の股下部分の内部構造を示す部分拡大図である。
【図３６】図３６（ａ）は本発明の実施の形態２０にかかるトレーニング用水着の全体構成を示す正面図、（ｂ）は背面図、（ｃ）は本発明の実施の形態２０にかかるトレーニング用水着を裏返した場合の全体構成を示す正面図、（ｄ）は背面図、（ｅ）は本発明の実施の形態２０にかかるトレーニング用水着の股下部分の内部構造を示す部分拡大図である。
【図３７】図３７（ａ）は本発明の実施の形態２０の第１変形例にかかるトレーニング用水着を裏返した場合の全体構成を示す正面図、（ｂ）は本発明の実施の形態２０の第２変形例にかかるトレーニング用水着を裏返した場合の全体構成を示す正面図である。
【図３８】図３８（ａ）は本発明の実施の形態２１にかかるトレーニング用水着の全体構成を示す正面図、（ｂ）は背面図、（ｃ）は本発明の実施の形態２１にかかるトレーニング用水着を裏返した場合の全体構成を示す正面図、（ｄ）は背面図、（ｅ）は本発明の実施の形態２１にかかるトレーニング用水着の股下部分の内部構造を示す部分拡大図である。
【図３９】図３９（ａ）は本発明の実施の形態２１の第１変形例にかかるトレーニング用水着の全体構成を示す正面図、（ｂ）は背面図、（ｃ）は本発明の実施の形態２１の第１変形例にかかるトレーニング用水着を裏返した場合の全体構成を示す正面図、（ｄ）は背面図、（ｅ）は本発明の実施の形態２１の第１変形例にかかるトレーニング用水着の股下部分の内部構造を示す部分拡大図である。
【図４０】図４０（ａ）は本発明の実施の形態２１の第２変形例にかかるトレーニング用水着の全体構成を示す正面図、（ｂ）は背面図、（ｃ）は本発明の実施の形態２１の第２変形例にかかるトレーニング用水着を裏返した場合の全体構成を示す正面図、（ｄ）は背面図、（ｅ）は本発明の実施の形態２１の第２変形例にかかるトレーニング用水着の股下部分の内部構造を示す部分拡大図である。
【符号の説明】
【０７０１】
１，１Ａ，１Ｂ，１Ｃ，１Ｄ，１０，１１，１１Ａ，１１Ｂ，１１Ｃ，１１Ｄ，１６，１６Ａ，１６Ｂ，１６Ｃ，１６Ｄ，２５，２６，３０，３３  トレーニング用サポーター
２，２Ｂ，２Ｄ，１２，１２Ｂ，１２Ｄ，１７，１７Ｂ，１７Ｃ，１７Ｄ，２７，３１，３４  サポーター本体
３，３Ｂ，３Ｄ，１０Ｂ，１８，１８Ａ，１８Ｂ，１８Ｄ，２５Ｂ  股部
３ａ，３ｂ，３Ｂａ，３Ｂｂ，３Ｄａ，３Ｄｂ，１０ａ，１０ｂ，１８ａ，１８ｂ，  １８Ａａ，１８Ａｂ，１８Ｂａ，１８Ｂｂ，１８Ｄａ，１８Ｄｂ，２５ａ，２５ｂ  股部の分岐部分
３ｃ，３Ｂｃ，３Ｄｃ，１０ｃ，１８ｃ，１８Ａｃ，１８Ｂｃ，１８Ｄｃ，２５ｃ  股部の分岐点
４ａ，４ｂ，４Ａａ，４Ａｂ，４Ｄａ，４Ｄｂ，１０ｄ，１０ｅ，１９ａ，１９ｂ，  １９Ａａ，１９Ａｂ，１９Ｄａ，１９Ｄｂ，２５ｄ，２５ｅ  クロス部分
５，５Ｂ，２０  開口部
６，６Ｂ，６Ｄ，２１，２１Ｂ，２１Ｄ  通風生地
７，２２  ループ
１３，１３Ａ，１３Ｂ，１３Ｃ，１３Ｄ，１３Ｅ，１３Ｆ，１３Ｇ，１３Ｈ，１３Ｊ，１３Ｋ，１３Ｌ，１３Ｍ，１３Ｎ，１３Ｐ，１３Ｑ，１３Ｒ，１３Ｓ，２８，３５，５４Ｃ，５４Ｄ，５４Ｅ，５４Ｆ，５４Ｇ，５４Ｈ，５４Ｊ，６５Ｃ，６５Ｄ，６５Ｅ，６５Ｆ，６５Ｇ，６５Ｈ，６５Ｊ  羽根部材
１３ａ，１３ｂ，１３Ａａ，１３Ａｂ，１３Ｂａ，１３Ｂｂ，１３Ｃａ，１３Ｃｂ，１３Ｄａ，１３Ｄｂ，１３Ｅａ，１３Ｅｂ，１３Ｆａ，１３Ｆｂ，１３Ｇａ，１３Ｇｂ，１３Ｈａ，１３Ｈｂ，１３Ｊａ，１３Ｊｂ，１３Ｋａ，１３Ｋｂ，１３Ｌａ，１３Ｌｂ，１３Ｍａ，１３Ｍｂ，１３Ｎａ，１３Ｎｂ，１３Ｐａ，１３Ｐｂ，１３Ｑａ，１３Ｑｂ，１３Ｒａ，１３Ｒｂ，１３Ｓａ，１３Ｓｂ，２８ａ，２８ｂ，３５ａ，３５ｂ，５４Ｃａ，５４Ｃｂ，５４Ｆａ，５４Ｆｂ，５４Ｇａ，５４Ｇｂ，５４Ｋａ，５４Ｋｂ，６５Ｃａ，６５Ｃｂ，６５Ｆａ，６５Ｆｂ，６５Ｇａ，６５Ｇｂ，６５Ｋａ，６５Ｋｂ  １対の分岐部分
１３ｃ，１３Ａｃ，１３Ｂｃ，１３Ｃｃ，１３Ｄｃ，１３Ｅｃ，１３Ｆｃ，１３Ｇｃ，１３Ｈｃ，１３Ｊｃ，１３Ｋｃ，１３Ｌｃ，１３Ｍｃ，１３Ｎｃ，１３Ｐｃ，１３Ｑｃ，１３Ｒｃ，１３Ｓｃ，２８ｃ，３５ｃ，５４Ｃｃ，５４Ｆｃ，５４Ｇｃ，５４Ｋｃ，６５Ｃｃ，６５Ｆｃ，６５Ｇｃ，６５Ｋｃ  分岐点
１３ｄ，１３Ａｄ，１３Ｎｄ，１３Ｐｄ，１３Ｑｄ，１３Ｒｄ，１３Ｓｄ，５４Ｃｄ，５４Ｄｄ，５４Ｅｄ，５４Ｌｄ，６５Ｃｄ，６５Ｄｄ，６５Ｅｄ，６５Ｌｄ  分岐していない側
１３ｅ，１３Ａｅ，１３Ｎｅ，１３Ｐｅ，１３Ｑｅ，１３Ｒｅ，１３Ｓｅ，５４Ｃｅ，５４Ｄｅ，５４Ｅｅ，５４Ｌｅ，６５Ｃｅ，６５Ｄｅ，６５Ｅｅ，６５Ｌｅ  分岐していない側の端
１３ｋ，１３Ｂｋ  縫い止まり点
１３Ｑｊ，１３Ｓｆ，５４Ｃｊ，５４Ｄｊ，５４Ｅｊ，５４Ｇｍ，５４Ｈｍ，５４Ｊｍ，６５Ｃｊ，６５Ｄｊ，６５Ｅｊ，６５Ｇｍ，６５Ｈｍ，６５Ｊｍ  枝部分
１８ｄ，１８ｅ  股部の前部分岐部分
２８ｄ，２８ｅ，３５ｄ，３５ｅ，５４Ｆｄ，５４Ｆｅ，５４Ｇｄ，５４Ｇｅ，５４Ｈｄ，５４Ｈｅ，５４Ｊｄ，５４Ｊｅ，５４Ｍｄ，５４Ｍｅ，６５Ｆｄ，６５Ｆｅ，６５Ｇｄ，６５Ｇｅ，６５Ｈｄ，６５Ｈｅ，６５Ｊｄ，６５Ｊｅ，６５Ｍｄ，６５Ｍｅ  １対の前部分岐部分
３２Ａ，３２Ｂ，３６Ａ，３６Ｂ  調節機能付き接続具
４０，５５，５５Ａ，５５Ｂ，５５Ｃ，５５Ｄ，５５Ｅ，５５Ｆ，５５Ｇ，５５Ｈ，５５Ｊ，５５Ｋ，５５Ｌ，５５Ｍ  トレーニング用スパッツ
４１，５４Ａ，５４Ｂ  スパッツ本体
４５，５０，５７，６０，６１Ａ，６１Ｂ，６１Ｃ，６１Ｄ，６１Ｅ，６１Ｆ，６１Ｇ，６１Ｈ，６１Ｊ，６１Ｋ，６１Ｌ，６１Ｍ  トレーニング用水着
４６，６５Ａ，６５Ｂ  水着本体
４８，５２  裏地
５０Ａ  水着トップ
５０Ｂ，６１  水着ボトム
５１Ａ  水着トップ本体
５１Ｂ  水着ボトム本体（水着本体）
５４Ｋ，６５Ｋ  羽根部材（後部羽根部材）
５４Ｌ，５４Ｍ，６５Ｌ，６５Ｍ  羽根部材（前部羽根部材）
５６，５８，６２  股下当て布
６５Ｋｅ  根元部分
ＢＣ  後中心
ＦＣ  前中心
ＨＣ  肛門
ＨＤ  臀部
ＨＥ  小さい窪み
ＨＣＰ  肛門の位置
ＨＥＰ  小さい窪みの位置
【図１】
2007247124.tif 000003
【図２】
2007247124.tif 000004
【図３】
2007247124.tif 000005
【図４】
2007247124.tif 000006
【図５】
2007247124.tif 000007
【図６】
2007247124.tif 000008
【図７】
2007247124.tif 000009
【図８】
2007247124.tif 000010
【図９】
2007247124.tif 000011
【図１０】
2007247124.tif 000012
【図１１】
2007247124.tif 000013
【図１２】
2007247124.tif 000014
【図１３】
2007247124.tif 000015
【図１４】
2007247124.tif 000016
【図１５】
2007247124.tif 000017
【図１６】
2007247124.tif 000018
【図１７】
2007247124.tif 000019
【図１８】
2007247124.tif 000020
【図１９】
2007247124.tif 000021
【図２０】
2007247124.tif 000022
【図２１】
2007247124.tif 000023
【図２２】
2007247124.tif 000024
【図２３】
2007247124.tif 000025
【図２４】
2007247124.tif 000026
【図２５】
2007247124.tif 000027
【図２６】
2007247124.tif 000028
【図２７】
2007247124.tif 000029
【図２８】
2007247124.tif 000030
【図２９】
2007247124.tif 000031
【図３０】
2007247124.tif 000032
【図３１】
2007247124.tif 000033
【図３２】
2007247124.tif 000034
【図３３】
2007247124.tif 000035
【図３４】
2007247124.tif 000036
【図３５】
2007247124.tif 000037
【図３６】
2007247124.tif 000038
【図３７】
2007247124.tif 000039
【図３８】
2007247124.tif 000040
【図３９】
2007247124.tif 000041
【図４０】
2007247124.tif 000042